(57)【特許請求の範囲】
【請求項１】
無線回線を介してセンタ局から複数のユーザ局に対して同一のデータをパケット信号として同報配信する通信システムを利用すると共に、前記センタ局が送出したパケット信号の前記ユーザ局への到達を確認するためのパケット到達確認方法であって、
前記複数のユーザ局のそれぞれが前記センタ局に応答するための複数のユーザ局に共通なバックワード回線を、前記センタ局が連続的に送出するパケット信号の数Ｍだけ割り当て、
前記複数のユーザ局のそれぞれは、前記センタ局から送出されたＭ個のパケット信号の受信を試行し、Ｍ個のパケット信号の中に正しく受信できなかったパケット信号があった場合には、正しく受信できなかったパケット信号のそれぞれに対応付けられた前記バックワード回線を利用して不達の応答信号を前記センタ局に送信し、
前記センタ局は、Ｍ個のパケット信号を送出した後で前記Ｍ個のバックワード回線のそれぞれについて応答信号の有無を監視し、
前記センタ局は、各々のバックワード回線について応答信号を検出した場合にはそのバックワード回線に対応するパケット信号を正しく受信できなかったユーザ局の存在を認識し、
前記センタ局は、全てのバックワード回線について応答信号を検出しなかった場合には、
予め決定された全てのユーザ局に対して、前記バックワード回線とは異なるユーザ局毎に独立した専用応答回線を割り当て、
前記センタ局は、前記全てのユーザ局に対し、送信したＭ個のパケット信号に関する到達確認問い合わせ信号を送信し、
全てのユーザ局のそれぞれは、前記到達確認問い合わせ信号の受信に応答して、Ｍ個のパケット信号の受信結果を含む到達確認応答信号をそのユーザ局に割り当てられた前記専用応答回線を介して前記センタ局に送信し、
前記センタ局は、全てのユーザ局からの前記到達確認応答信号を受信し、その受信内容から少なくとも１つのユーザ局が１つ以上のパケット信号の受信に失敗しているかどうかを確認する
ことを特徴とするパケット到達確認方法。
【請求項２】
無線回線を介してセンタ局から複数のユーザ局に対して同一のデータをパケット信号として同報配信する通信システムを利用すると共に、前記センタ局が送出したパケット信号の前記ユーザ局への到達を確認するためのパケット到達確認方法であって、
前記複数のユーザ局のそれぞれが前記センタ局に応答するための複数のユーザ局に共通なバックワード回線を、前記センタ局が連続的に送出するパケット信号の数Ｍだけ割り当て、
前記複数のユーザ局のそれぞれは、前記センタ局から送出されたＭ個のパケット信号の受信を試行し、Ｍ個のパケット信号の中に正しく受信できなかったパケット信号があった場合には、正しく受信できなかったパケット信号のそれぞれに対応付けられた前記バックワード回線を利用して不達の応答信号を前記センタ局に送信し、
前記センタ局は、Ｍ個のパケット信号を送出した後で前記Ｍ個のバックワード回線のそれぞれについて応答信号の有無を監視し、
前記センタ局は、各々のバックワード回線について応答信号を検出した場合にはそのバックワード回線に対応するパケット信号を正しく受信できなかったユーザ局の存在を認識し、
前記センタ局から複数のユーザ局に対してパケット信号の転送を開始する前に、前記センタ局と予め決定された全てのユーザ局との間で通信の可否を調べるためのリンク確立シーケンスを行い、通信の可能なユーザ局をコネクション確立ユーザ局として前記センタ局に登録し、
前記センタ局が全てのバックワード回線について応答信号を検出しなかった場合には、
前記コネクション確立ユーザ局のそれぞれに対して、前記バックワード回線とは異なるユーザ局毎に独立した専用応答回線を割り当て、
前記センタ局は、前記全てのコネクション確立ユーザ局に対し、送信したＭ個のパケット信号に関する到達確認問い合わせ信号を送信し、
前記コネクション確立ユーザ局のそれぞれは、前記到達確認問い合わせ信号の受信に応答して、Ｍ個のパケット信号の受信結果を含む到達確認応答信号をそのユーザ局に割り当てられた前記専用応答回線を介して前記センタ局に送信し、
前記センタ局は、全てのコネクション確立ユーザ局からの前記到達確認応答信号を受信し、その受信内容から少なくとも１つのユーザ局が１つ以上のパケット信号の受信に失敗しているかどうかを確認する
ことを特徴とするパケット到達確認方法。
【請求項３】
複数のユーザ局に対して同一のデータをパケット信号として無線回線で同報配信するセンタ局であって、
連続的に送出するパケット信号の数Ｍだけ、前記複数のユーザ局に共通なバックワード回線を割り当てるバックワード回線割り当て手段と、
Ｍ個のパケット信号を連続的に送信するパケット送信手段と、
前記Ｍ個のバックワード回線のそれぞれについて、ユーザ局からの応答の有無を監視する応答監視手段と、
前記応答監視手段が前記バックワード回線の各々について応答信号を検出した場合にはそのバックワード回線に対応するパケット信号を正しく受信できなかったユーザ局の存在を認識する不達認識手段と、
前記応答監視手段がＭ個の全てのバックワード回線について応答信号を検出しなかった場合に、予め決定された全てのユーザ局に対して、前記バックワード回線とは異なるユーザ局毎に独立した専用応答回線を割り当てる専用応答回線割り当て手段と、
前記応答監視手段がＭ個の全てのバックワード回線について応答信号を検出しなかった場合に、前記全てのユーザ局に対し、送信したＭ個のパケット信号に関する到達確認問い合わせ信号を送信する到達確認問い合わせ手段と、
前記専用応答回線で各々のユーザ局から受信した到達確認応答信号の受信内容に基づいて、各ユーザ局がＭ個のパケット信号のそれぞれの受信に成功したか否かを識別する到達確認識別手段と
を設けたことを特徴とするセンタ局。
【請求項４】
複数のユーザ局に対して同一のデータをパケット信号として無線回線で同報配信するセンタ局であって、
連続的に送出するパケット信号の数Ｍだけ、前記複数のユーザ局に共通なバックワード回線を割り当てるバックワード回線割り当て手段と、
Ｍ個のパケット信号を連続的に送信するパケット送信手段と、
前記Ｍ個のバックワード回線のそれぞれについて、ユーザ局からの応答の有無を監視する応答監視手段と、
前記応答監視手段が前記バックワード回線の各々について応答信号を検出した場合にはそのバックワード回線に対応するパケット信号を正しく受信できなかったユーザ局の存在を認識する不達認識手段と、
前記センタ局から複数のユーザ局に対してパケット信号の転送を開始する前に、予め決定された全てのユーザ局との間で通信の可否を調べるためのリンク確立シーケンスを実行し、通信の可能なユーザ局をコネクション確立ユーザ局として登録するユーザ局特定手段と、
前記応答監視手段がＭ個の全てのバックワード回線について応答信号を検出しなかった場合に、前記コネクション確立ユーザ局のそれぞれに対して、前記バックワード回線とは異なるユーザ局毎に独立した専用応答回線を割り当てる専用応答回線割り当て手段と、
前記応答監視手段がＭ個の全てのバックワード回線について応答信号を検出しなかった場合に、前記全てのコネクション確立ユーザ局に対し、送信したＭ個のパケット信号に関する到達確認問い合わせ信号を送信する到達確認問い合わせ手段と、
前記専用応答回線で各々のコネクション確立ユーザ局から受信した到達確認応答信号の受信内容に基づいて、各ユーザ局がＭ個のパケット信号のそれぞれの受信に成功したか否かを識別する到達確認識別手段と
を設けたことを特徴とするセンタ局。
【請求項５】
無線回線を介してセンタ局から複数のユーザ局に対して同一のデータをパケット信号として同報配信する通信システムを利用すると共に、前記センタ局が送出したパケット信号の前記ユーザ局への到達を確認するためのパケット到達確認方法であって、
前記複数のユーザ局のそれぞれが前記センタ局に応答するための複数のユーザ局に共通なバックワード回線を、前記センタ局が連続的に送出するパケット信号の数Ｍだけ割り当て、
前記複数のユーザ局のそれぞれは、前記センタ局から送出されたＭ個のパケット信号の受信を試行し、Ｍ個のパケット信号の中に正しく受信できなかったパケット信号があった場合には、正しく受信できなかったパケット信号のそれぞれに対応付けられた前記バックワード回線を利用して不達の応答信号を前記センタ局に送信し、
前記センタ局は、パケット信号の送出を開始した後、Ｍ個のパケット信号の送出を完了する前に、前記Ｍ個のバックワード回線のそれぞれについて応答信号の有無に関する監視を開始し、
前記センタ局は、各々のバックワード回線について応答信号を検出した場合にはそのバックワード回線に対応するパケット信号を正しく受信できなかったユーザ局の存在を認識し、
前記センタ局が全てのバックワード回線について応答信号を検出しなかった場合には、
予め決定された全てのユーザ局に対して、前記バックワード回線とは異なるユーザ局毎に独立した専用応答回線を割り当て、
前記センタ局は、前記全てのユーザ局に対し、送信したＭ個のパケット信号に関する到達確認問い合わせ信号を送信し、
全てのユーザ局のそれぞれは、前記到達確認問い合わせ信号の受信に応答して、Ｍ個のパケット信号の受信結果を含む到達確認応答信号をそのユーザ局に割り当てられた前記専用応答回線を介して前記センタ局に送信し、
前記センタ局は、全てのユーザ局からの前記到達確認応答信号を受信し、その受信内容から少なくとも１つのユーザ局が１つ以上のパケット信号の受信に失敗しているかどうかを確認する
ことを特徴とするパケット到達確認方法。
【請求項６】
無線回線を介してセンタ局から複数のユーザ局に対して同一のデータをパケット信号として同報配信する通信システムを利用すると共に、前記センタ局が送出したパケット信号の前記ユーザ局への到達を確認するためのパケット到達確認方法であって、
前記センタ局は送出するＭ個のパケット信号を、Ｙ組のパケット信号グループに分割するとともに、各々のパケット信号グループには連続する複数のパケット信号を割り当て、
前記複数のユーザ局のそれぞれがセンタ局に応答するための複数のユーザ局に共通なバックワード回線を、前記センタ局が連続的に送出するパケット信号グループの数Ｙだけ割り当て、
前記複数のユーザ局のそれぞれは、前記センタ局から送出されたＭ個のパケット信号の受信を試行し、Ｍ個のパケット信号の中に正しく受信できなかったパケット信号があった場合には、正しく受信できなかったパケット信号が属するパケット信号グループに対応付けられた前記バックワード回線を利用して不達の応答信号を前記センタ局に送信し、
前記センタ局は、パケット信号の送出を開始した後で前記Ｙ個のバックワード回線のそれぞれについて応答信号の有無に関する監視を開始し、
前記センタ局は、各々のバックワード回線について応答信号を検出した場合にはそのバックワード回線に対応するパケット信号グループを正しく受信できなかったユーザ局の存在を認識し、
前記センタ局が全てのバックワード回線について応答信号を検出しなかった場合には、
予め決定された全てのユーザ局に対して、前記バックワード回線とは異なるユーザ局毎に独立した専用応答回線を割り当て、
前記センタ局は、前記全てのユーザ局に対し、送信したＭ個のパケット信号に関する到達確認問い合わせ信号を送信し、
全てのユーザ局のそれぞれは、前記到達確認問い合わせ信号の受信に応答して、Ｍ個のパケット信号の受信結果を含む到達確認応答信号をそのユーザ局に割り当てられた前記専用応答回線を介して前記センタ局に送信し、
前記センタ局は、全てのユーザ局からの前記到達確認応答信号を受信し、その受信内容から少なくとも１つのユーザ局が１つ以上のパケット信号の受信に失敗しているかどうかを確認する
ことを特徴とするパケット到達確認方法。
【請求項７】
請求項６のパケット到達確認方法において、前記センタ局は、パケット信号の送出を開始した後、前記Ｍ個のパケット信号の送出が完了する前に前記Ｙ個のバックワード回線のそれぞれについて応答信号の有無に関する監視を開始することを特徴とするパケット到達確認方法。
【請求項８】
無線回線を介してセンタ局から複数のユーザ局に対して同一のデータをパケット信号として同報配信する通信システムを利用すると共に、前記センタ局が送出したパケット信号の前記ユーザ局への到達を確認するためのパケット到達確認方法であって、
前記センタ局はユーザ局を複数のＺ個のユーザグループに分割し、
前記複数のユーザグループに属するユーザ局のそれぞれが、センタ局に応答するための複数ユーザ局に共通なバックワード回線を、ユーザグループ毎に前記センタ局が送出するパケット信号の数Ｍだけ割り当て、
前記複数のユーザ局のそれぞれは、前記センタ局から送出されたＭ個のパケット信号の受信を試行し、Ｍ個のパケット信号の中に正しく受信できなかったパケット信号があった場合には、ユーザグループ毎に、正しく受信できなかったパケット信号のそれぞれに対応付けられた前記バックワード回線を利用して不達の応答信号を前記センタ局に送信し、
前記センタ局は、パケット信号の送出を開始した後で前記Ｍ×Ｚ個のバックワード回線のそれぞれについて応答信号の有無に関する監視を開始し、
前記センタ局は、各々のバックワード回線について応答信号を検出した場合にはそのバックワード回線に対応するパケット信号を正しく受信できなかったユーザ局の存在を認識し、
前記センタ局は、応答のためのバックワード回線をユーザグループ毎に割り当て、かつ各々のバックワード回線について応答信号を検出した場合には、同じパケット信号に対する他のユーザグループへの応答のためのバックワード回線の割り当てを省略し、
前記センタ局が全てのバックワード回線について応答信号を検出しなかった場合には、
予め決定された全てのユーザ局に対して、前記バックワード回線とは異なるユーザ局毎に独立した専用応答回線を割り当て、
前記センタ局は、前記全てのユーザ局に対し、送信したＭ個のパケット信号に関する到達確認問い合わせ信号を送信し、
全てのユーザ局のそれぞれは、前記到達確認問い合わせ信号の受信に応答して、Ｍ個のパケット信号の受信結果を含む到達確認応答信号をそのユーザ局に割り当てられた前記専用応答回線を介して前記センタ局に送信し、
前記センタ局は、全てのユーザ局からの前記到達確認応答信号を受信し、その受信内容から少なくとも１つのユーザ局が１つ以上のパケット信号の受信に失敗しているかどうかを確認する
ことを特徴とするパケット到達確認方法。
【請求項９】
無線回線を介してセンタ局から複数のユーザ局に対して同一のデータをパケット信号として同報配信する通信システムを利用すると共に、前記センタ局が送出したパケット信号の前記ユーザ局への到達を確認するためのパケット到達確認方法であって、
前記センタ局は、送出するＭ個のパケット信号をＹ組のパケット信号グループに分割するとともに、各々のパケット信号グループには連続する複数のパケット信号を割り当て、
前記センタ局は、ユーザ局を複数のＺ個のユーザグループに分割し、
前記複数のユーザグループに属するユーザ局のそれぞれが、センタ局に応答するための複数ユーザ局に共通なバックワード回線を、ユーザグループ毎に前記センタ局が送出するパケット信号グループの数Ｙだけ割り当て、
前記複数のユーザ局のそれぞれは、前記センタ局から送出されたＭ個のパケット信号の受信を試行し、Ｍ個のパケット信号の中に正しく受信できなかったパケット信号があった場合には、ユーザグループ毎に、正しく受信できなかったパケット信号が属するグループに対応付けられた前記バックワード回線を利用して不達の応答信号を前記センタ局に送信し、
前記センタ局は、パケット信号の送出を開始した後で前記Ｙ×Ｚ個のバックワード回線のそれぞれについて応答信号の有無に関する監視を開始し、
前記センタ局は、各々のバックワード回線について応答信号を検出した場合にはそのバックワード回線に対応するパケット信号グループを正しく受信できなかったユーザ局の存在を認識し、
前記センタ局は、応答のためのバックワード回線をユーザグループ毎に割り当て、かつ各々のバックワード回線について応答信号を検出した場合には、同じパケット信号に対する他のユーザグループへの応答のためのバックワード回線の割り当てを省略し、
前記センタ局が全てのバックワード回線について応答信号を検出しなかった場合には、
予め決定された全てのユーザ局に対して、前記バックワード回線とは異なるユーザ局毎に独立した専用応答回線を割り当て、
前記センタ局は、前記全てのユーザ局に対し、送信したＭ個のパケット信号に関する到達確認問い合わせ信号を送信し、
全てのユーザ局のそれぞれは、前記到達確認問い合わせ信号の受信に応答して、Ｍ個のパケット信号の受信結果を含む到達確認応答信号をそのユーザ局に割り当てられた前記専用応答回線を介して前記センタ局に送信し、
前記センタ局は、全てのユーザ局からの前記到達確認応答信号を受信し、その受信内容から少なくとも１つのユーザ局が１つ以上のパケット信号の受信に失敗しているかどうかを確認する
ことを特徴とするパケット到達確認方法。
【請求項１０】
請求項９のパケット到達確認方法において、前記センタ局は、パケット信号の送出を開始した後、前記Ｍ個のパケット信号の送出が完了する前に前記Ｙ×Ｚ個のバックワード回線のそれぞれについて応答信号の有無に関する監視を開始することを特徴とするパケット到達確認方法。
【請求項１１】
無線回線を介してセンタ局から複数のユーザ局に対して同一のデータをパケット信号として同報配信する通信システムを利用すると共に、前記センタ局が送出したパケット信号の前記ユーザ局への到達を確認するためのパケット到達確認方法であって、
前記センタ局は、前記複数のユーザ局の一部分をユーザサンプル局として割り当て、
前記センタ局は、各々のユーザサンプル局がセンタ局に応答するための複数のユーザサンプル局に共通なバックワード回線を、前記センタ局が連続的に送出するパケット信号の数Ｍだけ割り当て、
前記ユーザ局のそれぞれは、前記センタ局から送出されたＭ個のパケット信号の受信を試行し、Ｍ個のパケット信号の中に正しく受信できなかったパケット信号があった場合には、正しく受信できなかったパケット信号のそれぞれに対応付けられた前記バックワード回線を利用して、前記ユーザサンプル局に割り当てられた各々のユーザ局が不達の応答信号を前記センタ局に送信し、
前記センタ局は、パケット信号の送出を開始した後で前記Ｍ個のバックワード回線のそれぞれについて応答信号の有無に関する監視を開始し、
前記センタ局は、各々のバックワード回線について応答信号を検出した場合にはそのバックワード回線に対応するパケット信号を正しく受信できなかったユーザ局の存在を認識し、
前記センタ局が全てのバックワード回線について応答信号を検出しなかった場合には、
予め決定された全てのユーザ局に対して、前記バックワード回線とは異なるユーザ局毎に独立した専用応答回線を割り当て、
前記センタ局は、前記全てのユーザ局に対し、送信したＭ個のパケット信号に関する到達確認問い合わせ信号を送信し、
全てのユーザ局のそれぞれは、前記到達確認問い合わせ信号の受信に応答して、Ｍ個のパケット信号の受信結果を含む到達確認応答信号をそのユーザ局に割り当てられた前記専用応答回線を介して前記センタ局に送信し、
前記センタ局は、全てのユーザ局からの前記到達確認応答信号を受信し、その受信内容から少なくとも１つのユーザ局が１つ以上のパケット信号の受信に失敗しているかどうかを確認する
ことを特徴とするパケット到達確認方法。
【請求項１２】
無線回線を介してセンタ局から複数のユーザ局に対して同一のデータをパケット信号として同報配信する通信システムを利用すると共に、前記センタ局が送出したパケット信号の前記ユーザ局への到達を確認するためのパケット到達確認方法であって、
前記センタ局は送出するＭ個のパケット信号を、Ｙ組のパケット信号グループに分割するとともに、各々のパケット信号グループには連続する複数のパケット信号を割り当て、
前記センタ局は、前記複数のユーザ局の一部分をユーザサンプル局として割り当て、
前記センタ局は、各々のユーザサンプル局がセンタ局に応答するための複数のユーザサンプル局に共通なバックワード回線を、前記センタ局が連続的に送出するパケット信号グループの数Ｙだけ割り当て、
前記ユーザ局のそれぞれは、前記センタ局から送出されたＭ個のパケット信号の受信を試行し、Ｍ個のパケット信号の中に正しく受信できなかったパケット信号があった場合には、正しく受信できなかったパケット信号が属するパケット信号グループのそれぞれに対応付けられた前記バックワード回線を利用して、前記ユーザサンプル局に割り当てられた各々のユーザ局が不達の応答信号を前記センタ局に送信し、
前記センタ局は、パケット信号の送出を開始した後で前記Ｙ個のバックワード回線のそれぞれについて応答信号の有無に関する監視を開始し、
前記センタ局は、各々のバックワード回線について応答信号を検出した場合にはそのバックワード回線に対応するパケット信号グループを正しく受信できなかったユーザ局の存在を認識し、
前記センタ局が全てのバックワード回線について応答信号を検出しなかった場合には、
予め決定された全てのユーザ局に対して、前記バックワード回線とは異なるユーザ局毎に独立した専用応答回線を割り当て、
前記センタ局は、前記全てのユーザ局に対し、送信したＭ個のパケット信号に関する到達確認問い合わせ信号を送信し、
全てのユーザ局のそれぞれは、前記到達確認問い合わせ信号の受信に応答して、Ｍ個のパケット信号の受信結果を含む到達確認応答信号をそのユーザ局に割り当てられた前記専用応答回線を介して前記センタ局に送信し、
前記センタ局は、全てのユーザ局からの前記到達確認応答信号を受信し、その受信内容から少なくとも１つのユーザ局が１つ以上のパケット信号の受信に失敗しているかどうかを確認する
ことを特徴とするパケット到達確認方法。
【請求項１３】
請求項１２のパケット到達確認方法において、前記センタ局は、パケット信号の送出を開始した後、前記Ｍ個のパケット信号の送出が完了する前に前記Ｙ個のバックワード回線のそれぞれについて応答信号の有無に関する監視を開始することを特徴とするパケット到達確認方法。
【請求項１４】
無線回線を介してセンタ局から複数のユーザ局に対して同一のデータをパケット信号として同報配信する通信システムを利用すると共に、前記センタ局が送出したパケット信号の前記ユーザ局への到達を確認するためのパケット到達確認方法であって、
前記複数のユーザ局のそれぞれが前記センタ局に応答するための複数のユーザ局に共通なバックワード回線を、前記センタ局が連続的に送出するパケット信号の数Ｍだけ割り当て、
前記複数のユーザ局のそれぞれは、前記センタ局から送出されたＭ個のパケット信号の受信を試行し、Ｍ個のパケット信号の中に正しく受信できなかったパケット信号があった場合には、正しく受信できなかったパケット信号のそれぞれに対応付けられた前記バックワード回線を利用して不達の応答信号を前記センタ局に送信し、
前記複数のユーザ局のそれぞれは、パケット信号の受信状況が悪化した場合には、前記不達の応答信号の送信を中断し、
前記複数のユーザ局のそれぞれは、前記不達の応答信号の送信を中断している間に受信状況が回復したことを検出すると、前記不達の応答信号の送信を再開し、
前記センタ局は、パケット信号の送出を開始した後で前記Ｍ個のバックワード回線のそれぞれについて応答信号の有無に関する監視を開始し、
前記センタ局は、各々のバックワード回線について応答信号を検出した場合にはそのバックワード回線に対応するパケット信号を正しく受信できなかったユーザ局の存在を認識し、
前記センタ局が全てのバックワード回線について応答信号を検出しなかった場合には、
予め決定された全てのユーザ局に対して、前記バックワード回線とは異なるユーザ局毎に独立した専用応答回線を割り当て、
前記センタ局は、前記全てのユーザ局に対し、送信したＭ個のパケット信号に関する到達確認問い合わせ信号を送信し、
全てのユーザ局のそれぞれは、前記到達確認問い合わせ信号の受信に応答して、Ｍ個のパケット信号の受信結果を含む到達確認応答信号をそのユーザ局に割り当てられた前記専用応答回線を介して前記センタ局に送信し、
前記センタ局は、全てのユーザ局からの前記到達確認応答信号を受信し、その受信内容から少なくとも１つのユーザ局が１つ以上のパケット信号の受信に失敗しているかどうかを確認する
ことを特徴とするパケット到達確認方法。
【請求項１５】
無線回線を介してセンタ局から複数のユーザ局に対して同一のデータをパケット信号として同報配信する通信システムを利用すると共に、前記センタ局が送出したパケット信号の前記ユーザ局への到達を確認するためのパケット到達確認方法であって、
前記センタ局は送出するＭ個のパケット信号を、Ｙ組のパケット信号グループに分割するとともに、各々のパケット信号グループには連続する複数のパケット信号を割り当て、
前記複数のユーザ局のそれぞれが前記センタ局に応答するための複数のユーザ局に共通なバックワード回線を、前記センタ局が連続的に送出するパケット信号グループの数Ｙだけ割り当て、
前記複数のユーザ局のそれぞれは、前記センタ局から送出されたＭ個のパケット信号の受信を試行し、Ｍ個のパケット信号の中に正しく受信できなかったパケット信号があった場合には、正しく受信できなかったパケット信号が属するパケット信号グループに対応付けられた前記バックワード回線を利用して不達の応答信号を前記センタ局に送信し、
前記複数のユーザ局のそれぞれは、パケット信号の受信状況が悪化した場合には、前記不達の応答信号の送信を中断し、
前記複数のユーザ局のそれぞれは、前記不達の応答信号の送信を中断している間に受信状況が回復したことを検出すると、前記不達の応答信号の送信を再開し、
前記センタ局は、パケット信号の送出を開始した後で前記Ｙ個のバックワード回線のそれぞれについて応答信号の有無に関する監視を開始し、
前記センタ局は、各々のバックワード回線について応答信号を検出した場合にはそのバックワード回線に対応するパケット信号グループを正しく受信できなかったユーザ局の存在を認識し、
前記センタ局が全てのバックワード回線について応答信号を検出しなかった場合には、
予め決定された全てのユーザ局に対して、前記バックワード回線とは異なるユーザ局毎に独立した専用応答回線を割り当て、
前記センタ局は、前記全てのユーザ局に対し、送信したＭ個のパケット信号に関する到達確認問い合わせ信号を送信し、
全てのユーザ局のそれぞれは、前記到達確認問い合わせ信号の受信に応答して、Ｍ個のパケット信号の受信結果を含む到達確認応答信号をそのユーザ局に割り当てられた前記専用応答回線を介して前記センタ局に送信し、
前記センタ局は、全てのユーザ局からの前記到達確認応答信号を受信し、その受信内容から少なくとも１つのユーザ局が１つ以上のパケット信号の受信に失敗しているかどうかを確認する
ことを特徴とするパケット到達確認方法。
【請求項１６】
請求項１５のパケット到達確認方法において、前記センタ局は、パケット信号の送出を開始した後、前記Ｍ個のパケット信号の送出が完了する前に前記Ｙ個のバックワード回線のそれぞれについて応答信号の有無に関する監視を開始することを特徴とするパケット到達確認方法。
【請求項１７】
請求項５から請求項１６までのいずれかに記載のパケット到達確認方法において、
パケット信号の転送を開始する前に、前記センタ局と予め決定された全てのユーザ局との間で通信の可否を調べるためのリンク確立シーケンスを行い、通信の可能なユーザ局をコネクション確立ユーザ局として前記センタ局に登録し、
前記センタ局が全てのバックワード回線について応答信号を検出しなかった場合には、
前記コネクション確立ユーザ局のそれぞれに対して、前記バックワード回線とは異なるユーザ局毎に独立した専用応答回線を割り当て、
前記センタ局は、前記全てのコネクション確立ユーザ局に対し、送信したＭ個のパケット信号に関する到達確認問い合わせ信号を送信し、
前記コネクション確立ユーザ局のそれぞれは、前記到達確認問い合わせ信号の受信に応答して、Ｍ個のパケット信号の受信結果を含む到達確認応答信号をそのユーザ局に割り当てられた前記専用応答回線を介して前記センタ局に送信し、
前記センタ局は、全てのコネクション確立ユーザ局からの前記到達確認応答信号を受信し、その受信内容から少なくとも１つのユーザ局が１つ以上のパケット信号の受信に失敗しているかどうかを確認する
ことを特徴とするパケット到達確認方法。
【請求項１８】
複数のユーザ局に対して同一のデータをパケット信号として無線回線で同報配信するセンタ局であって、
連続的に送出するＭ個のパケット信号をＹ個のパケット信号グループに分割するとともに、各々のパケット信号グループに連続する複数のパケット信号を割り当てるパケットグループ分割手段と、
前記パケット信号グループの数Ｙだけ、前記複数のユーザ局に共通なバックワード回線を割り当てるバックワード回線割り当て手段と、
Ｍ個のパケット信号を連続的に送信するパケット送信手段と、
前記Ｙ個のバックワード回線のそれぞれについて、ユーザ局からの応答の有無を監視する応答監視手段と、
前記応答監視手段が前記バックワード回線の各々について応答信号を検出した場合にはそのバックワード回線に対応するパケット信号グループを正しく受信できなかったユーザ局の存在を認識する不達認識手段と、
前記応答監視手段が全ての前記バックワード回線について応答信号を検出しなかった場合に、予め決定された全てのユーザ局に対して、前記バックワード回線とは異なるユーザ局毎に独立した専用応答回線を割り当てる専用応答回線割り当て手段と、
前記応答監視手段が全てのバックワード回線について応答信号を検出しなかった場合に、前記全てのユーザ局に対し、送信したＭ個のパケット信号に関する到達確認問い合わせ信号を送信する到達確認問い合わせ手段と、
前記専用応答回線で各々のユーザ局から受信した到達確認応答信号の受信内容に基づいて、各ユーザ局がＭ個のパケット信号のそれぞれの受信に成功したか否かを識別する到達確認識別手段と
を設けたことを特徴とするセンタ局。
【請求項１９】
複数のユーザ局に対して同一のデータをパケット信号として無線回線で同報配信するセンタ局であって、
前記複数のユーザ局をＺ個のユーザグループに分割するユーザグループ分割手段と、
連続的に送信するパケット信号の数Ｍだけ、前記複数のユーザグループに共通なバックワード回線をユーザグループ毎に割り当てるバックワード回線割り当て手段と、
Ｍ個のパケット信号を連続的に送信するパケット送信手段と、
Ｍ×Ｚ個の前記バックワード回線のそれぞれについて、ユーザ局からの応答の有無を監視する応答監視手段と、
前記応答監視手段が前記バックワード回線の各々について応答信号を検出した場合にはそのバックワード回線に対応するパケット信号を正しく受信できなかったユーザグループの存在を認識する不達認識手段と、
前記バックワード回線割り当て手段によって割り当てられたバックワード回線の各々について応答信号を検出した場合には、同じパケット信号に対する他のユーザグループへの応答のためのバックワード回線の割り当てを省略する回線割り当て省略手段と、
前記応答監視手段が全ての前記バックワード回線について応答信号を検出しなかった場合に、予め決定された全てのユーザ局に対して、前記バックワード回線とは異なるユーザ局毎に独立した専用応答回線を割り当てる専用応答回線割り当て手段と、
前記応答監視手段が全てのバックワード回線について応答信号を検出しなかった場合に、前記全てのユーザ局に対し、送信したＭ個のパケット信号に関する到達確認問い合わせ信号を送信する到達確認問い合わせ手段と、
前記専用応答回線で各々のユーザ局から受信した到達確認応答信号の受信内容に基づいて、各ユーザ局がＭ個のパケット信号のそれぞれの受信に成功したか否かを識別する到達確認識別手段と
を設けたことを特徴とするセンタ局。
【請求項２０】
複数のユーザ局に対して同一のデータをパケット信号として無線回線で同報配信するセンタ局であって、
前記複数のユーザ局をＺ個のユーザグループに分割するユーザグループ分割手段と、
連続的に送出するＭ個のパケット信号をＹ個のパケット信号グループに分割するとともに、各々のパケット信号グループに連続する複数のパケット信号を割り当てるパケットグループ分割手段と、
前記パケット信号グループの数Ｙだけ、前記複数のユーザグループに共通なバックワード回線をユーザグループ毎に割り当てるバックワード回線割り当て手段と、
Ｍ個のパケット信号を連続的に送信するパケット送信手段と、
Ｙ×Ｚ個の前記バックワード回線のそれぞれについて、ユーザ局からの応答の有無を監視する応答監視手段と、
前記応答監視手段が前記バックワード回線の各々について応答信号を検出した場合にはそのバックワード回線に対応するパケット信号グループを正しく受信できなかったユーザグループの存在を認識する不達認識手段と、
前記バックワード回線割り当て手段によって割り当てられたバックワード回線の各々について応答信号を検出した場合には、同じパケット信号に対する他のユーザグループへの応答のためのバックワード回線の割り当てを省略する回線割り当て省略手段と、
前記応答監視手段が全ての前記バックワード回線について応答信号を検出しなかった場合に、予め決定された全てのユーザ局に対して、前記バックワード回線とは異なるユーザ局毎に独立した専用応答回線を割り当てる専用応答回線割り当て手段と、
前記応答監視手段が全てのバックワード回線について応答信号を検出しなかった場合に、前記全てのユーザ局に対し、送信したＭ個のパケット信号に関する到達確認問い合わせ信号を送信する到達確認問い合わせ手段と、
前記専用応答回線で各々のユーザ局から受信した到達確認応答信号の受信内容に基づいて、各ユーザ局がＭ個のパケット信号のそれぞれの受信に成功したか否かを識別する到達確認識別手段と
を設けたことを特徴とするセンタ局。
【請求項２１】
複数のユーザ局に対して同一のデータをパケット信号として無線回線で同報配信するセンタ局であって、
前記複数のユーザ局の一部分をユーザサンプル局として割り当てるサンプル局割り当て手段と、
連続的に送出するパケット信号の数Ｍだけ、複数の前記ユーザサンプル局に共通なバックワード回線を割り当てるバックワード回線割り当て手段と、
Ｍ個のパケット信号を連続的に送信するパケット送信手段と、
Ｍ個の前記バックワード回線のそれぞれについて、ユーザ局からの応答の有無を監視する応答監視手段と、
前記応答監視手段が前記バックワード回線の各々について応答信号を検出した場合にはそのバックワード回線に対応するパケット信号を正しく受信できなかったユーザ局の存在を認識する不達認識手段と、
前記応答監視手段が全ての前記バックワード回線について応答信号を検出しなかった場合に、予め決定された全てのユーザ局に対して、前記バックワード回線とは異なるユーザ局毎に独立した専用応答回線を割り当てる専用応答回線割り当て手段と、
前記応答監視手段が全てのバックワード回線について応答信号を検出しなかった場合に、前記全てのユーザ局に対し、送信したＭ個のパケット信号に関する到達確認問い合わせ信号を送信する到達確認問い合わせ手段と、
前記専用応答回線で各々のユーザ局から受信した到達確認応答信号の受信内容に基づいて、各ユーザ局がＭ個のパケット信号のそれぞれの受信に成功したか否かを識別する到達確認識別手段と
を設けたことを特徴とするセンタ局。
【請求項２２】
複数のユーザ局に対して同一のデータをパケット信号として無線回線で同報配信するセンタ局であって、
前記複数のユーザ局の一部分をユーザサンプル局として割り当てるサンプル局割り当て手段と、
連続的に送出するＭ個のパケット信号をＹ個のパケット信号グループに分割するとともに、各々のパケット信号グループに連続する複数のパケット信号を割り当てるパケットグループ分割手段と、
前記パケット信号グループの数Ｙだけ、複数の前記ユーザサンプル局に共通なバックワード回線を割り当てるバックワード回線割り当て手段と、
Ｍ個のパケット信号を連続的に送信するパケット送信手段と、
Ｙ個の前記バックワード回線のそれぞれについて、ユーザ局からの応答の有無を監視する応答監視手段と、
前記応答監視手段が前記バックワード回線の各々について応答信号を検出した場合にはそのバックワード回線に対応するパケット信号グループを正しく受信できなかったユーザ局の存在を認識する不達認識手段と、
前記応答監視手段が全ての前記バックワード回線について応答信号を検出しなかった場合に、予め決定された全てのユーザ局に対して、前記バックワード回線とは異なるユーザ局毎に独立した専用応答回線を割り当てる専用応答回線割り当て手段と、
前記応答監視手段が全てのバックワード回線について応答信号を検出しなかった場合に、前記全てのユーザ局に対し、送信したＭ個のパケット信号に関する到達確認問い合わせ信号を送信する到達確認問い合わせ手段と、
前記専用応答回線で各々のユーザ局から受信した到達確認応答信号の受信内容に基づいて、各ユーザ局がＭ個のパケット信号のそれぞれの受信に成功したか否かを識別する到達確認識別手段と
を設けたことを特徴とするセンタ局。
【請求項２３】
請求項３、４及び請求項１８から請求項２２までのいずれかに記載のセンタ局において、
前記ユーザ局からの受信状況の通知の受信に基づいて該当するユーザ局におけるパケット信号の受信状況を把握する受信状況認識手段
を更に設けたことを特徴とするセンタ局。
【請求項２４】
請求項１８から請求項２３までのいずれかに記載のセンタ局において、
パケット信号の転送を開始する前に、予め決定された全てのユーザ局との間で通信の可否を調べるためのリンク確立シーケンスを実行し、通信の可能なユーザ局をコネクション確立ユーザ局として登録するユーザ局特定手段と、
前記応答監視手段が全ての前記バックワード回線について応答信号を検出しなかった場合に、前記コネクション確立ユーザ局のそれぞれに対して、前記バックワード回線とは異なるユーザ局毎に独立した専用応答回線を割り当てる専用応答回線割り当て手段と、
前記応答監視手段が全ての前記バックワード回線について応答信号を検出しなかった場合に、全ての前記コネクション確立ユーザ局に対し、送信したＭ個のパケット信号に関する到達確認問い合わせ信号を送信する到達確認問い合わせ手段と、
前記専用応答回線で各々のコネクション確立ユーザ局から受信した到達確認応答信号の受信内容に基づいて、各ユーザ局がＭ個のパケット信号のそれぞれの受信に成功したか否かを識別する到達確認識別手段と
を更に設けたことを特徴とするセンタ局。
【発明の詳細な説明】
【０００１】
【発明の属する技術分野】
本発明は、無線回線を介してセンタ局から複数のユーザ局に対して同一のデータをパケット信号として同報配信する通信システムに用いられるパケット到達確認方法及びセンタ局に関する。
【０００２】
【従来の技術】
コンピュータネットワークを介して同一の情報を多数のユーザに効率良く配布するために、高信頼マルチキャスト通信プロトコル（ＲＭＴＰ：Ｒｅｌｉａｂｌｅ  Ｍｕｌｔｉｃａｓｔ  Ｔｒａｎｓｐｏｒｔ  Ｐｒｏｔｏｃｏｌ）が用いられる。ＲＭＴＰでは、データ転送の信頼性を高めるために、データの転送後に送信先の各ユーザは確認信号としてＡＣＫまたはＮＡＫをセンタ局に対して送信する。
【０００３】
センタ局では、各ユーザ局から受信した確認信号を参照して再送が必要なパケット信号を判別する。すなわち、確認信号としてＡＣＫを送出したユーザ局については該当するパケット信号を正しく受信したものとみなし、確認信号としてＮＡＫを送出したユーザ局については該当するパケット信号の受信に失敗したとみなす。そして、センタ局は全パケット信号を受信したユーザ局を除いた全ユーザ局に対して、該当するパケット信号のみを再送する。
【０００４】
ＲＭＴＰを適用する通信システムにおいて、センタ局から各ユーザ局への通信（データ配信）に利用する下りの通信回線と、各ユーザ局からセンタ局への通信（確認信号の送信）に利用する上りの通信回線との両方の回線を無線通信により確保することができる。
その場合、センタ局から各ユーザ局へのデータ配信については、同一周波数の単一の下り回線だけを用いて、複数のユーザ局に同報配信可能である。また、各ユーザ局がセンタ局に確認信号を送信するために利用する上り回線については、ユーザ局毎に独立した回線が用意される。
【０００５】
上り回線については、実際には汎用性のある周波数分割多元接続（ＦＤＭＡ）や時分割多元接続（ＴＤＭＡ）によってユーザ毎に独立した通信回線が確保される傾向がある。
ＦＤＭＡの場合には、図１６に示す通信システムのように、各々のユーザ局（１〜ｎ）にそれぞれ互いに異なる周波数Ｆ（１〜ｎ）の上りの通信回線が割り当てられる。各々のユーザ局は、自局に割り当てられた周波数を利用して確認信号を送信する。
【０００６】
ＴＤＭＡの場合には、図１７に示すように、各々のユーザ局（１〜ｎ）にそれぞれ互いに異なるタイムスロットＴＳ（１〜ｎ）の上りの通信回線が割り当てられる。各ユーザ局は、自局に割り当てられたタイムスロットを利用して確認信号を送信する。
【０００７】
【発明が解決しようとする課題】
無線通信により上り及び下りの通信回線を確保する通信システムにＲＭＴＰを適用する場合、確認信号の転送のために、従来の技術ではパケット配信対象のユーザ局の数と同じ数の独立した通信回線を確保する必要があった。
【０００８】
このため、ＦＤＭＡで通信回線を確保する場合には、ユーザ局の数が増えるに従って確保すべき通信回線の周波数容量が増大する。また、ＴＤＭＡで通信回線を確保する場合には、ユーザ局の数が増えるに従って、確保すべき通信回線のタイムスロットの数が増大する。タイムスロットの数が増えると通信に利用する信号フレームの周期が長くなるため、全てのユーザ局からの確認信号がセンタ局に到着するまでの所要時間が長くなり、データ転送の終了までの処理時間が増大する。
【０００９】
本発明は、上記のような通信システムにおいて、データの配信対象のユーザ局数が多い場合に、確認信号のために確保する通信回線の周波数容量やタイムスロット数を低減可能なパケット到達確認方法及びセンタ局を提供することを目的とする。
【００１０】
【課題を解決するための手段】
請求項１は、無線回線を介してセンタ局から複数のユーザ局に対して同一のデータをパケット信号として同報配信する通信システムを利用すると共に、前記センタ局が送出したパケット信号の前記ユーザ局への到達を確認するためのパケット到達確認方法であって、前記複数のユーザ局のそれぞれが前記センタ局に応答するための複数のユーザ局に共通なバックワード回線を、前記センタ局が連続的に送出するパケット信号の数Ｍだけ割り当て、前記複数のユーザ局のそれぞれは、前記センタ局から送出されたＭ個のパケット信号の受信を試行し、Ｍ個のパケット信号の中に正しく受信できなかったパケット信号があった場合には、正しく受信できなかったパケット信号のそれぞれに対応付けられた前記バックワード回線を利用して不達の応答信号を前記センタ局に送信し、前記センタ局は、Ｍ個のパケット信号を送出した後で前記Ｍ個のバックワード回線のそれぞれについて応答信号の有無を監視し、前記センタ局は、各々のバックワード回線について応答信号を検出した場合にはそのバックワード回線に対応するパケット信号を正しく受信できなかったユーザ局の存在を認識し、前記センタ局が全てのバックワード回線について応答信号を検出しなかった場合には、予め決定された全てのユーザ局に対して、前記バックワード回線とは異なるユーザ局毎に独立した専用応答回線を割り当て、前記センタ局は、前記全てのユーザ局に対し、送信したＭ個のパケット信号に関する到達確認問い合わせ信号を送信し、全てのユーザ局のそれぞれは、前記到達確認問い合わせ信号の受信に応答して、Ｍ個のパケット信号の受信結果を含む到達確認応答信号をそのユーザ局に割り当てられた前記専用応答回線を介して前記センタ局に送信し、前記センタ局は、全てのユーザ局からの前記到達確認応答信号を受信し、その受信内容から少なくとも１つのユーザ局が１つ以上のパケット信号の受信に失敗しているかどうかを確認することを特徴とする。
【００１１】
請求項１では、複数のユーザ局のそれぞれがセンタ局に応答するためのバックワード回線を、複数のユーザ局に共通に割り当てる。このバックワード回線については、前記センタ局が連続的に送出するパケット信号の数Ｍだけ用意する。
なお、連続的に送出するパケット信号の数Ｍが予め固定的に定まっている場合には、バックワード回線を予め固定的に割り当てておいてもよいし、パケット信号の数Ｍが変動する場合にはセンタ局の制御により動的に割り当てを変更してもよい。
【００１２】
各々のユーザ局では、センタ局から送出されたＭ個のパケット信号の受信を試行し、Ｍ個のパケット信号の中に正しく受信できなかったパケット信号があった場合には、正しく受信できなかったパケット信号のそれぞれに対応付けられたバックワード回線を利用して不達の応答信号をセンタ局に送信する。
センタ局では、Ｍ個のパケット信号を送出した後でＭ個のバックワード回線のそれぞれについて応答信号の有無を監視する。そして、各々のバックワード回線について応答信号を検出した場合にはそのバックワード回線に対応するパケット信号を正しく受信できなかったユーザ局の存在を認識する。
【００１３】
なお、センタ局が各々のバックワード回線で応答信号を検出しなかった場合には、そのバックワード回線に対応するパケット信号を全てのユーザ局が正しく受信できたとみなすことも可能である。
請求項１の場合、バックワード回線が複数のユーザ局に共通に割り当てられるので、複数のユーザ局が同じバックワード回線に対して同時に重複した信号を出力する可能性もある。
【００１４】
例えば、センタ局のパケット配信対象のユーザ局として、ユーザ局（１）とユーザ局（２）とが存在する場合には、ユーザ局（１）及びユーザ局（２）が共に応答信号を送出しない場合（Ａ）と、ユーザ局（１）及びユーザ局（２）の何れか一方のみが応答信号を送出する場合（Ｂ）と、ユーザ局（１）及びユーザ局（２）が共に応答信号を送出する場合（Ｃ）とがある。
【００１５】
センタ局からのパケット信号の再送が必要になるのは前記（Ｂ）及び（Ｃ）の場合である。（Ｃ）の場合には、２つのユーザ局（１），（２）の送出する同じ応答信号が無線回線上に重複して現れるので、センタ局は（Ｂ）の場合と同様の応答信号を検出することになる。
つまり、センタ局では各々のパケット信号について再送の必要なユーザ局の有無だけを識別できればよいので、複数のユーザ局が送出する応答信号が共通のバックワード回線上で重なっても問題は生じない。
【００１６】
このように、請求項１では複数のユーザ局に共通のバックワード回線を割り当てるので、パケット信号の配信対象となるユーザ局の数が増えても、確保すべきバックワード回線の数を増やす必要はない。
【００１７】
また、請求項１では、センタ局が全てのバックワード回線について応答信号を検出しなかった場合には、予め決定された全てのユーザ局に対して、前記バックワード回線とは異なるユーザ局毎に独立した専用応答回線を割り当てる。
また、センタ局は前記全てのユーザ局に対して送信したＭ個のパケット信号に関する到達確認問い合わせ信号を送信する。
【００１８】
ユーザ局のそれぞれは、前記到達確認問い合わせ信号の受信に応答して、Ｍ個のパケット信号の受信結果を含む到達確認応答信号をそのユーザ局に割り当てられた前記専用応答回線を介して前記センタ局に送信する。
センタ局では、全てのユーザ局からの前記到達確認応答信号を受信して、その受信内容から少なくとも１つのユーザ局が１つ以上のパケット信号の受信に失敗しているかどうかを確認する。
【００１９】
ここでは、バックワード回線として無線回線を利用しているので、例えば降雨による信号レベルの減衰によってバックワード回線の品質が劣化する場合がある。バックワード回線の品質劣化が生じると、特定のユーザ局が応答信号を送出した場合であっても、センタ局は応答信号を全く検出できない可能性がある。
従って、センタ局が応答信号を全く検出しなかったとしても、パケット信号の再送を必要とする場合がある。
【００２０】
請求項１では、センタ局が全てのバックワード回線について応答信号を検出しなかった場合には、センタ局が送出する到達確認問い合わせ信号とそれに対して各ユーザ局が送出する到達確認応答信号とで最終確認が行われる。
各ユーザ局が送出する到達確認応答信号は、ユーザ局毎に独立した専用応答回線を介して送出されるので、各ユーザ局は不達の応答だけでなく、正常に受信したことを示す応答をも送信することができる。
【００２１】
もしも無線回線の品質劣化によってパケット信号に誤りが発生し、且つ不達を示すＮＡＫ信号がセンタ局に届かないような場合であっても、センタ局においてユーザ局からの前記到達確認応答信号を受信することができれば、不達のパケット信号の再送が必要であることを認識できる。
従って、請求項１では無線回線の品質劣化により一時的に通信不能な状態になったとしてもパケット配信の不達が生じにくい。
【００２２】
請求項２は、無線回線を介してセンタ局から複数のユーザ局に対して同一のデータをパケット信号として同報配信する通信システムを利用すると共に、前記センタ局が送出したパケット信号の前記ユーザ局への到達を確認するためのパケット到達確認方法であって、前記複数のユーザ局のそれぞれが前記センタ局に応答するための複数のユーザ局に共通なバックワード回線を、前記センタ局が連続的に送出するパケット信号の数Ｍだけ割り当て、前記複数のユーザ局のそれぞれは、前記センタ局から送出されたＭ個のパケット信号の受信を試行し、Ｍ個のパケット信号の中に正しく受信できなかったパケット信号があった場合には、正しく受信できなかったパケット信号のそれぞれに対応付けられた前記バックワード回線を利用して不達の応答信号を前記センタ局に送信し、前記センタ局は、Ｍ個のパケット信号を送出した後で前記Ｍ個のバックワード回線のそれぞれについて応答信号の有無を監視し、前記センタ局は、各々のバックワード回線について応答信号を検出した場合にはそのバックワード回線に対応するパケット信号を正しく受信できなかったユーザ局の存在を認識し、前記センタ局から複数のユーザ局に対してパケット信号の転送を開始する前に、前記センタ局と予め決定された全てのユーザ局との間で通信の可否を調べるためのリンク確立シーケンスを行い、通信の可能なユーザ局をコネクション確立ユーザ局として前記センタ局に登録し、前記センタ局が全てのバックワード回線について応答信号を検出しなかった場合には、前記コネクション確立ユーザ局のそれぞれに対して、前記バックワード回線とは異なるユーザ局毎に独立した専用応答回線を割り当て、前記センタ局は、前記全てのコネクション確立ユーザ局に対し、送信したＭ個のパケット信号に関する到達確認問い合わせ信号を送信し、前記コネクション確立ユーザ局のそれぞれは、前記到達確認問い合わせ信号の受信に応答して、Ｍ個のパケット信号の受信結果を含む到達確認応答信号をそのユーザ局に割り当てられた前記専用応答回線を介して前記センタ局に送信し、前記センタ局は、全てのコネクション確立ユーザ局からの前記到達確認応答信号を受信し、その受信内容から少なくとも１つのユーザ局が１つ以上のパケット信号の受信に失敗しているかどうかを確認することを特徴とする。
【００２３】
請求項２では、請求項１と同様に、センタ局が全てのバックワード回線について応答信号を検出しなかった場合には、センタ局とユーザ局との間で到達確認問い合わせ信号及び到達確認応答信号のやりとりによる最終確認を行う。但し、請求項２では最終確認を行うユーザ局を、パケット信号の送信前に行うリンク確立シーケンスにおいて通信可能であることを確認できたコネクション確立ユーザ局のみに限定している。
【００２４】
パケット信号の配信対象として予め定めたユーザ局の中の特定のユーザ局（通信不能局）がセンタ局との間で通信不可能な状態にある場合を想定する。この場合、仮にセンタ局が前記通信不能局に対して到達確認問い合わせ信号を送信したとしても、前記通信不能局が正しく受信したことを示す到達確認応答信号をセンタ局に返すことはないので、センタ局は無駄な通信を繰り返すことになる。
【００２５】
請求項２では、最終確認を行うユーザ局を、コネクション確立ユーザ局のみに限定するので、前記通信不能局との間で無駄な通信を行うことはなく、効率的なパケット信号の配信が可能になる。
請求項３は、複数のユーザ局に対して同一のデータをパケット信号として無線回線で同報配信するセンタ局であって、連続的に送出するパケット信号の数Ｍだけ、前記複数のユーザ局に共通なバックワード回線を割り当てるバックワード回線割り当て手段と、Ｍ個のパケット信号を連続的に送信するパケット送信手段と、前記Ｍ個のバックワード回線のそれぞれについて、ユーザ局からの応答の有無を監視する応答監視手段と、前記応答監視手段が前記バックワード回線の各々について応答信号を検出した場合にはそのバックワード回線に対応するパケット信号を正しく受信できなかったユーザ局の存在を認識する不達認識手段と、前記応答監視手段がＭ個の全てのバックワード回線について応答信号を検出しなかった場合に、予め決定された全てのユーザ局に対して、前記バックワード回線とは異なるユーザ局毎に独立した専用応答回線を割り当てる専用応答回線割り当て手段と、前記応答監視手段がＭ個の全てのバックワード回線について応答信号を検出しなかった場合に、前記全てのユーザ局に対し、送信したＭ個のパケット信号に関する到達確認問い合わせ信号を送信する到達確認問い合わせ手段と、前記専用応答回線で各々のユーザ局から受信した到達確認応答信号の受信内容に基づいて、各ユーザ局がＭ個のパケット信号のそれぞれの受信に成功したか否かを識別する到達確認識別手段とを設けたことを特徴とする
【００２６】
請求項３では、センタ局にバックワード回線割り当て手段，パケット送信手段，応答監視手段及び不達認識手段を設けることにより、請求項１または請求項２のパケット到達確認方法の実施に利用可能なセンタ局を実現できる。
【００２８】
請求項３では、センタ局に専用応答回線割り当て手段，到達確認問い合わせ手段，到達確認識別手段及びパケット再送手段を更に設けることにより、請求項１のパケット到達確認方法の実施に利用可能なセンタ局を実現できる。
請求項４は、複数のユーザ局に対して同一のデータをパケット信号として無線回線で同報配信するセンタ局であって、連続的に送出するパケット信号の数Ｍだけ、前記複数のユーザ局に共通なバックワード回線を割り当てるバックワード回線割り当て手段と、Ｍ個のパケット信号を連続的に送信するパケット送信手段と、前記Ｍ個のバックワード回線のそれぞれについて、ユーザ局からの応答の有無を監視する応答監視手段と、前記応答監視手段が前記バックワード回線の各々について応答信号を検出した場合にはそのバックワード回線に対応するパケット信号を正しく受信できなかったユーザ局の存在を認識する不達認識手段と、センタ局から複数のユーザ局に対してパケット信号の転送を開始する前に、予め決定された全てのユーザ局との間で通信の可否を調べるためのリンク確立シーケンスを実行し、通信の可能なユーザ局をコネクション確立ユーザ局として登録するユーザ局特定手段と、前記応答監視手段がＭ個の全てのバックワード回線について応答信号を検出しなかった場合に、前記コネクション確立ユーザ局のそれぞれに対して、前記バックワード回線とは異なるユーザ局毎に独立した専用応答回線を割り当てる専用応答回線割り当て手段と、前記応答監視手段がＭ個の全てのバックワード回線について応答信号を検出しなかった場合に、前記全てのコネクション確立ユーザ局に対し、送信したＭ個のパケット信号に関する到達確認問い合わせ信号を送信する到達確認問い合わせ手段と、前記専用応答回線で各々のコネクション確立ユーザ局から受信した到達確認応答信号の受信内容に基づいて、各ユーザ局がＭ個のパケット信号のそれぞれの受信に成功したか否かを識別する到達確認識別手段とを更に設けたことを特徴とする。
【００２９】
請求項４では、センタ局にユーザ局特定手段，専用応答回線割り当て手段，到達確認問い合わせ手段及び到達確認識別手段を更に設けることにより、請求項２のパケット到達確認方法の実施に利用可能なセンタ局を実現できる。
【００３４】
請求項５は、無線回線を介してセンタ局から複数のユーザ局に対して同一のデータをパケット信号として同報配信する通信システムを利用すると共に、前記センタ局が送出したパケット信号の前記ユーザ局への到達を確認するためのパケット到達確認方法であって、前記複数のユーザ局のそれぞれが前記センタ局に応答するための複数のユーザ局に共通なバックワード回線を、前記センタ局が連続的に送出するパケット信号の数Ｍだけ割り当て、前記複数のユーザ局のそれぞれは、前記センタ局から送出されたＭ個のパケット信号の受信を試行し、Ｍ個のパケット信号の中に正しく受信できなかったパケット信号があった場合には、正しく受信できなかったパケット信号のそれぞれに対応付けられた前記バックワード回線を利用して不達の応答信号を前記センタ局に送信し、前記センタ局は、パケット信号の送出を開始した後、Ｍ個のパケット信号の送出を完了する前に、前記Ｍ個のバックワード回線のそれぞれについて応答信号の有無に関する監視を開始し、前記センタ局は、各々のバックワード回線について応答信号を検出した場合にはそのバックワード回線に対応するパケット信号を正しく受信できなかったユーザ局の存在を認識し、前記センタ局が全てのバックワード回線について応答信号を検出しなかった場合には、予め決定された全てのユーザ局に対して、前記バックワード回線とは異なるユーザ局毎に独立した専用応答回線を割り当て、前記センタ局は、前記全てのユーザ局に対し、送信したＭ個のパケット信号に関する到達確認問い合わせ信号を送信し、全てのユーザ局のそれぞれは、前記到達確認問い合わせ信号の受信に応答して、Ｍ個のパケット信号の受信結果を含む到達確認応答信号をそのユーザ局に割り当てられた前記専用応答回線を介して前記センタ局に送信し、前記センタ局は、全てのユーザ局からの前記到達確認応答信号を受信し、その受信内容から少なくとも１つのユーザ局が１つ以上のパケット信号の受信に失敗しているかどうかを確認することを特徴とする。
【００３５】
請求項５では、請求項１または請求項２と同様に、複数のユーザ局のそれぞれがセンタ局に応答するためのバックワード回線を、複数のユーザ局に共通に割り当てる。このバックワード回線については、前記センタ局が連続的に送出するパケット信号の数Ｍだけ用意する。
各々のユーザ局では、センタ局から送出されたＭ個のパケット信号の受信を試行し、Ｍ個のパケット信号の中に正しく受信できなかったパケット信号があった場合には、正しく受信できなかったパケット信号のそれぞれに対応付けられたバックワード回線を利用して不達の応答信号をセンタ局に送信する。
【００３６】
センタ局では、パケット信号の送出を開始した後、Ｍ個のパケット信号の送出を完了する前に、Ｍ個のバックワード回線のそれぞれについて応答信号の有無に関する監視を開始する。そして、各々のバックワード回線について応答信号を検出した場合にはそのバックワード回線に対応するパケット信号を正しく受信できなかったユーザ局の存在を認識する。
【００３７】
請求項５においては、Ｍ個のパケット信号の送出が完了する前に応答信号の監視を開始するので、パケット信号の送出を開始してから応答信号の監視が終了するまでの所要時間を短縮することができる。
なお、センタ局が各々のバックワード回線で応答信号を検出しなかった場合には、そのバックワード回線に対応するパケット信号を全てのユーザ局が正しく受信できたとみなすことができる。
また、請求項５では、センタ局が全てのバックワード回線について応答信号を検出しなかった場合には、予め決定された全てのユーザ局に対して、前記バックワード回線とは異なるユーザ局毎に独立した専用応答回線を割り当てる。また、センタ局は前記全てのユーザ局に対して送信したＭ個のパケット信号に関する到達確認問い合わせ信号を送信する。
ユーザ局のそれぞれは、前記到達確認問い合わせ信号の受信に応答して、Ｍ個のパケット信号の受信結果を含む到達確認応答信号をそのユーザ局に割り当てられた前記専用応答回線を介して前記センタ局に送信する。
センタ局では、全てのユーザ局からの前記到達確認応答信号を受信して、その受信内容から少なくとも１つのユーザ局が１つ以上のパケット信号の受信に失敗しているかどうかを確認する。
ここでは、バックワード回線として無線回線を利用しているので、例えば降雨による信号レベルの減衰によってバックワード回線の品質が劣化する場合がある。バックワード回線の品質劣化が生じると、特定のユーザ局が応答信号を送出した場合であっても、センタ局は応答信号を全く検出できない可能性がある。
従って、センタ局が応答信号を全く検出しなかったとしても、パケット信号の再送を必要とする場合がある。
請求項５では、センタ局が全てのバックワード回線について応答信号を検出しなかった場合には、センタ局が送出する到達確認問い合わせ信号とそれに対して各ユーザ局が送出する到達確認応答信号とで最終確認が行われる。
各ユーザ局が送出する到達確認応答信号は、ユーザ局毎に独立した専用応答回線を介して送出されるので、各ユーザ局は不達の応答だけでなく、正常に受信したことを示す応答をも送信することができる。
もしも無線回線の品質劣化によってパケット信号に誤りが発生し、且つ不達を示すＮＡＫ信号がセンタ局に届かないような場合であっても、センタ局においてユーザ局からの前記到達確認応答信号を受信することができれば、不達のパケット信号の再送が必要であることを認識できる。従って、無線回線の品質劣化により一時的に通信不能な状態になったとしてもパケット配信の不達が生じにくい。
【００３８】
請求項６は、無線回線を介してセンタ局から複数のユーザ局に対して同一のデータをパケット信号として同報配信する通信システムを利用すると共に、前記センタ局が送出したパケット信号の前記ユーザ局への到達を確認するためのパケット到達確認方法であって、前記センタ局は送出するＭ個のパケット信号を、Ｙ組のパケット信号グループに分割するとともに、各々のパケット信号グループには連続する複数のパケット信号を割り当て、前記複数のユーザ局のそれぞれがセンタ局に応答するための複数のユーザ局に共通なバックワード回線を、前記センタ局が連続的に送出するパケット信号グループの数Ｙだけ割り当て、前記複数のユーザ局のそれぞれは、前記センタ局から送出されたＭ個のパケット信号の受信を試行し、Ｍ個のパケット信号の中に正しく受信できなかったパケット信号があった場合には、正しく受信できなかったパケット信号が属するパケット信号グループに対応付けられた前記バックワード回線を利用して不達の応答信号を前記センタ局に送信し、前記センタ局は、パケット信号の送出を開始した後で前記Ｙ個のバックワード回線のそれぞれについて応答信号の有無に関する監視を開始し、前記センタ局は、各々のバックワード回線について応答信号を検出した場合にはそのバックワード回線に対応するパケット信号グループを正しく受信できなかったユーザ局の存在を認識し、前記センタ局が全てのバックワード回線について応答信号を検出しなかった場合には、予め決定された全てのユーザ局に対して、前記バックワード回線とは異なるユーザ局毎に独立した専用応答回線を割り当て、前記センタ局は、前記全てのユーザ局に対し、送信したＭ個のパケット信号に関する到達確認問い合わせ信号を送信し、全てのユーザ局のそれぞれは、前記到達確認問い合わせ信号の受信に応答して、Ｍ個のパケット信号の受信結果を含む到達確認応答信号をそのユーザ局に割り当てられた前記専用応答回線を介して前記センタ局に送信し、前記センタ局は、全てのユーザ局からの前記到達確認応答信号を受信し、その受信内容から少なくとも１つのユーザ局が１つ以上のパケット信号の受信に失敗しているかどうかを確認することを特徴とする。
【００３９】
請求項６では、請求項１または請求項２と同様に、複数のユーザ局のそれぞれがセンタ局に応答するためのバックワード回線を、複数のユーザ局に共通に割り当てる。但し、パケット信号を複数のパケット信号グループに区分しておき、バックワード回線についてはパケット信号グループの数Ｙだけ用意する。
なお、連続的に送出するパケット信号の数Ｍとパケット信号グループの数Ｙとが予め固定的に定まっている場合には、バックワード回線を予め固定的に割り当ててもよいし、パケット信号の数Ｍとパケット信号グループの数Ｙとが変動する場合には、センタ局の制御により動的に割り当てを変更してもよい。
【００４０】
各々のユーザ局では、センタ局から送出されたＭ個のパケット信号の受信を試行し、Ｍ個のパケット信号の中に正しく受信できなかったパケット信号があった場合には、正しく受信できなかったパケット信号が属するパケット信号グループに対応付けられたバックワード回線を利用して不達の応答信号をセンタ局に送信する。
【００４１】
センタ局では、パケット信号の送出を開始した後で全てのバックワード回線のそれぞれについて応答信号の有無に関する監視を開始する。そして、各々のバックワード回線について応答信号を検出した場合にはそのバックワード回線に対応するパケット信号グループのパケット信号を正しく受信できなかったユーザ局の存在を認識する。
【００４２】
なお、センタ局が各々のバックワード回線で応答信号を検出しなかった場合には、そのバックワード回線に対応するパケット信号グループを全てのユーザ局が正しく受信できたとみなすことができる。
また、請求項６では、センタ局が全てのバックワード回線について応答信号を検出しなかった場合には、予め決定された全てのユーザ局に対して、前記バックワード回線とは異なるユーザ局毎に独立した専用応答回線を割り当てる。また、センタ局は前記全てのユーザ局に対して送信したＭ個のパケット信号に関する到達確認問い合わせ信号を送信する。
ユーザ局のそれぞれは、前記到達確認問い合わせ信号の受信に応答して、Ｍ個のパケット信号の受信結果を含む到達確認応答信号をそのユーザ局に割り当てられた前記専用応答回線を介して前記センタ局に送信する。
センタ局では、全てのユーザ局からの前記到達確認応答信号を受信して、その受信内容から少なくとも１つのユーザ局が１つ以上のパケット信号の受信に失敗しているかどうかを確認する。
ここでは、バックワード回線として無線回線を利用しているので、例えば降雨による信号レベルの減衰によってバックワード回線の品質が劣化する場合がある。バックワード回線の品質劣化が生じると、特定のユーザ局が応答信号を送出した場合であっても、センタ局は応答信号を全く検出できない可能性がある。
従って、センタ局が応答信号を全く検出しなかったとしても、パケット信号の再送を必要とする場合がある
請求項６では、センタ局が全てのバックワード回線について応答信号を検出しなかった場合には、センタ局が送出する到達確認問い合わせ信号とそれに対して各ユーザ局が送出する到達確認応答信号とで最終確認が行われる。
各ユーザ局が送出する到達確認応答信号は、ユーザ局毎に独立した専用応答回線を介して送出されるので、各ユーザ局は不達の応答だけでなく、正常に受信したことを示す応答をも送信することができる。
もしも無線回線の品質劣化によってパケット信号に誤りが発生し、且つ不達を示すＮＡＫ信号がセンタ局に届かないような場合であっても、センタ局においてユーザ局からの前記到達確認応答信号を受信することができれば、不達のパケット信号の再送が必要であることを認識できる。従って、無線回線の品質劣化により一時的に通信不能な状態になったとしてもパケット配信の不達が生じにくい。
請求項７は、請求項６のパケット到達確認方法において、前記センタ局は、パケット信号の送出を開始した後、前記Ｍ個のパケット信号の送出が完了する前に前記Ｙ個のバックワード回線のそれぞれについて応答信号の有無に関する監視を開始することを特徴とする。
【００４３】
請求項７では、Ｍ個のパケット信号の送出が完了する前に応答信号の監視を開始するので、パケット信号の送出を開始してから応答信号の監視が終了するまでの所要時間を短縮することができる。
請求項８は、無線回線を介してセンタ局から複数のユーザ局に対して同一のデータをパケット信号として同報配信する通信システムを利用すると共に、前記センタ局が送出したパケット信号の前記ユーザ局への到達を確認するためのパケット到達確認方法であって、前記センタ局はユーザ局を複数のＺ個のユーザグループに分割し、前記複数のユーザグループに属するユーザ局のそれぞれが、センタ局に応答するための複数ユーザ局に共通なバックワード回線を、ユーザグループ毎に前記センタ局が送出するパケット信号の数Ｍだけ割り当て、前記複数のユーザ局のそれぞれは、前記センタ局から送出されたＭ個のパケット信号の受信を試行し、Ｍ個のパケット信号の中に正しく受信できなかったパケット信号があった場合には、ユーザグループ毎に、正しく受信できなかったパケット信号のそれぞれに対応付けられた前記バックワード回線を利用して不達の応答信号を前記センタ局に送信し、前記センタ局は、パケット信号の送出を開始した後で前記Ｍ×Ｚ個のバックワード回線のそれぞれについて応答信号の有無に関する監視を開始し、前記センタ局は、各々のバックワード回線について応答信号を検出した場合にはそのバックワード回線に対応するパケット信号を正しく受信できなかったユーザ局の存在を認識し、前記センタ局は、応答のためのバックワード回線をユーザグループ毎に割り当て、かつ各々のバックワード回線について応答信号を検出した場合には、同じパケット信号に対する他のユーザグループへの応答のためのバックワード回線の割り当てを省略し、前記センタ局が全てのバックワード回線について応答信号を検出しなかった場合には、予め決定された全てのユーザ局に対して、前記バックワード回線とは異なるユーザ局毎に独立した専用応答回線を割り当て、前記センタ局は、前記全てのユーザ局に対し、送信したＭ個のパケット信号に関する到達確認問い合わせ信号を送信し、全てのユーザ局のそれぞれは、前記到達確認問い合わせ信号の受信に応答して、Ｍ個のパケット信号の受信結果を含む到達確認応答信号をそのユーザ局に割り当てられた前記専用応答回線を介して前記センタ局に送信し、前記センタ局は、全てのユーザ局からの前記到達確認応答信号を受信し、その受信内容から少なくとも１つのユーザ局が１つ以上のパケット信号の受信に失敗しているかどうかを確認することを特徴とする。
【００４４】
請求項８では、複数のユーザ局をＺ個のユーザグループに分割しておき、バックワード回線については複数のユーザグループに共通に割り当てる。バックワード回線の数については、合計でＭ×Ｚ個を用意する必要がある。
なお、連続的に送出するパケット信号の数Ｍ及びユーザグループの数Ｚが予め固定的に定まっている場合には、バックワード回線を予め固定的に割り当てておいてもよいし、Ｍ，Ｚが変動する場合にはセンタ局の制御により動的に割り当ててもよい。
【００４５】
各々のユーザ局では、センタ局から送出されたＭ個のパケット信号の受信を試行し、Ｍ個のパケット信号の中に正しく受信できなかったパケット信号があった場合には、ユーザグループ毎に、正しく受信できなかったパケット信号のそれぞれに対応付けられたバックワード回線を利用して不達の応答信号をセンタ局に送信する。
【００４６】
請求項８では、不達の応答信号の送出をユーザグループ毎に行うので、多数のユーザ局が存在する場合であっても応答信号の集中が生じるのを防止でき、センタ局にかかる負荷や無線中継装置にかかる負荷を分散して低減することができる。
センタ局では、パケット信号の送出を開始した後で、Ｍ×Ｚ個のバックワード回線のそれぞれについて応答信号の有無に関する監視を開始する。そして、各々のバックワード回線について応答信号を検出した場合にはそのバックワード回線に対応するパケット信号を正しく受信できなかったユーザ局の存在を認識する。
【００４７】
センタ局は、応答のためのバックワード回線をユーザグループ毎に割り当てる。また、各々のバックワード回線について応答信号を検出した場合には、同じパケット信号に対する他のユーザグループへの応答のためのバックワード回線の割り当てを省略する。
センタ局は、応答信号を検出した場合には各々のバックワード回線に対応するパケット信号を正しく受信できなかったユーザ局が少なくとも１局存在することを認識できる。この場合、他のユーザグループに属するユーザ局が同じパケット信号を正しく受信できなかった場合に他のユーザグループに対する応答のためのバックワード回線の割り当てを省略しても問題はない。
【００４８】
また、例えば時間区分により複数のバックワード回線を順次に割り当てる場合には、他のユーザグループに対するバックワード回線の割り当てを省略することにより、応答信号の監視に必要な時間を短縮することができる。
なお、センタ局が各々のバックワード回線で応答信号を検出しなかった場合には、そのバックワード回線に対応するパケット信号を全てのユーザ局が正しく受信できたとみなすことができる。
また、請求項８では、センタ局が全てのバックワード回線について応答信号を検出しなかった場合には、予め決定された全てのユーザ局に対して、前記バックワード回線とは異なるユーザ局毎に独立した専用応答回線を割り当てる。また、センタ局は前記全てのユーザ局に対して送信したＭ個のパケット信号に関する到達確認問い合わせ信号を送信する。
ユーザ局のそれぞれは、前記到達確認問い合わせ信号の受信に応答して、Ｍ個のパケット信号の受信結果を含む到達確認応答信号をそのユーザ局に割り当てられた前記専用応答回線を介して前記センタ局に送信する。
センタ局では、全てのユーザ局からの前記到達確認応答信号を受信して、その受信内容から少なくとも１つのユーザ局が１つ以上のパケット信号の受信に失敗しているかどうかを確認する。
ここでは、バックワード回線として無線回線を利用しているので、例えば降雨による信号レベルの減衰によってバックワード回線の品質が劣化する場合がある。バックワード回線の品質劣化が生じると、特定のユーザ局が応答信号を送出した場合であっても、センタ局は応答信号を全く検出できない可能性がある。
従って、センタ局が応答信号を全く検出しなかったとしても、パケット信号の再送を必要とする場合がある。
請求項８では、センタ局が全てのバックワード回線について応答信号を検出しなかった場合には、センタ局が送出する到達確認問い合わせ信号とそれに対して各ユーザ局が送出する到達確認応答信号とで最終確認が行われる。
各ユーザ局が送出する到達確認応答信号は、ユーザ局毎に独立した専用応答回線を介して送出されるので、各ユーザ局は不達の応答だけでなく、正常に受信したことを示す応答をも送信することができる。
もしも無線回線の品質劣化によってパケット信号に誤りが発生し、且つ不達を示すＮＡＫ信号がセンタ局に届かないような場合であっても、センタ局においてユーザ局からの前記到達確認応答信号を受信することができれば、不達のパケット信号の再送が必要であることを認識できる。従って、無線回線の品質劣化により一時的に通信不能な状態になったとしてもパケット配信の不達が生じにくい。
【００４９】
請求項９は、無線回線を介してセンタ局から複数のユーザ局に対して同一のデータをパケット信号として同報配信する通信システムを利用すると共に、前記センタ局が送出したパケット信号の前記ユーザ局への到達を確認するためのパケット到達確認方法であって、前記センタ局は、送出するＭ個のパケット信号をＹ組のパケット信号グループに分割するとともに、各々のパケット信号グループには連続する複数のパケット信号を割り当て、前記センタ局は、ユーザ局を複数のＺ個のユーザグループに分割し、前記複数のユーザグループに属するユーザ局のそれぞれが、センタ局に応答するための複数ユーザ局に共通なバックワード回線を、ユーザグループ毎に前記センタ局が送出するパケット信号グループの数Ｙだけ割り当て、前記複数のユーザ局のそれぞれは、前記センタ局から送出されたＭ個のパケット信号の受信を試行し、Ｍ個のパケット信号の中に正しく受信できなかったパケット信号があった場合には、ユーザグループ毎に、正しく受信できなかったパケット信号が属するグループに対応付けられた前記バックワード回線を利用して不達の応答信号を前記センタ局に送信し、前記センタ局は、パケット信号の送出を開始した後で前記Ｙ×Ｚ個のバックワード回線のそれぞれについて応答信号の有無に関する監視を開始し、前記センタ局は、各々のバックワード回線について応答信号を検出した場合にはそのバックワード回線に対応するパケット信号グループを正しく受信できなかったユーザ局の存在を認識し、前記センタ局は、応答のためのバックワード回線をユーザグループ毎に割り当て、かつ各々のバックワード回線について応答信号を検出した場合には、同じパケット信号に対する他のユーザグループへの応答のためのバックワード回線の割り当てを省略し、前記センタ局が全てのバックワード回線について応答信号を検出しなかった場合には、予め決定された全てのユーザ局に対して、前記バックワード回線とは異なるユーザ局毎に独立した専用応答回線を割り当て、前記センタ局は、前記全てのユーザ局に対し、送信したＭ個のパケット信号に関する到達確認問い合わせ信号を送信し、全てのユーザ局のそれぞれは、前記到達確認問い合わせ信号の受信に応答して、Ｍ個のパケット信号の受信結果を含む到達確認応答信号をそのユーザ局に割り当てられた前記専用応答回線を介して前記センタ局に送信し、前記センタ局は、全てのユーザ局からの前記到達確認応答信号を受信し、その受信内容から少なくとも１つのユーザ局が１つ以上のパケット信号の受信に失敗しているかどうかを確認することを特徴とする。
【００５０】
請求項９では、請求項８と同様に複数のユーザ局をＺ個のユーザグループに分割しておき、バックワード回線については複数のユーザグループに共通に割り当てる。また、請求項６と同様に、パケット信号をＹ個のパケット信号グループに区分しておく。バックワード回線の数については、合計でＹ×Ｚ個を用意する必要がある。
【００５１】
請求項９においては、不達の応答信号の送出をユーザグループ毎に行うので、多数のユーザ局が存在する場合であっても応答信号の集中が生じるのを防止でき、センタ局にかかる負荷や無線中継装置にかかる負荷を分散して低減することができる。また、パケット信号グループ毎に応答信号を監視するので、応答信号の監視に必要な時間を短縮することができる。
【００５２】
また、例えば時間区分により複数のバックワード回線を順次に割り当てる場合には、他のユーザグループに対するバックワード回線の割り当てを省略することにより、応答信号の監視に必要な時間を短縮することができる。
また、請求項９では、センタ局が全てのバックワード回線について応答信号を検出しなかった場合には、予め決定された全てのユーザ局に対して、前記バックワード回線とは異なるユーザ局毎に独立した専用応答回線を割り当てる。また、センタ局は前記全てのユーザ局に対して送信したＭ個のパケット信号に関する到達確認問い合わせ信号を送信する。
ユーザ局のそれぞれは、前記到達確認問い合わせ信号の受信に応答して、Ｍ個のパケット信号の受信結果を含む到達確認応答信号をそのユーザ局に割り当てられた前記専用応答回線を介して前記センタ局に送信する。
センタ局では、全てのユーザ局からの前記到達確認応答信号を受信して、その受信内容から少なくとも１つのユーザ局が１つ以上のパケット信号の受信に失敗しているかどうかを確認する。
ここでは、バックワード回線として無線回線を利用しているので、例えば降雨による信号レベルの減衰によってバックワード回線の品質が劣化する場合がある。バックワード回線の品質劣化が生じると、特定のユーザ局が応答信号を送出した場合であっても、センタ局は応答信号を全く検出できない可能性がある。
従って、センタ局が応答信号を全く検出しなかったとしても、パケット信号の再送を必要とする場合がある。
請求項９では、センタ局が全てのバックワード回線について応答信号を検出しなかった場合には、センタ局が送出する到達確認問い合わせ信号とそれに対して各ユーザ局が送出する到達確認応答信号とで最終確認が行われる。
各ユーザ局が送出する到達確認応答信号は、ユーザ局毎に独立した専用応答回線を介して送出されるので、各ユーザ局は不達の応答だけでなく、正常に受信したことを示す応答をも送信することができる。
もしも無線回線の品質劣化によってパケット信号に誤りが発生し、且つ不達を示すＮＡＫ信号がセンタ局に届かないような場合であっても、センタ局においてユーザ局からの前記到達確認応答信号を受信することができれば、不達のパケット信号の再送が必要であることを認識できる。従って、無線回線の品質劣化により一時的に通信不能な状態になったとしてもパケット配信の不達が生じにくい。
【００５３】
請求項１０は、請求項９のパケット到達確認方法において、前記センタ局は、パケット信号の送出を開始した後、前記Ｍ個のパケット信号の送出が完了する前に前記Ｙ×Ｚ個のバックワード回線のそれぞれについて応答信号の有無に関する監視を開始することを特徴とする。
請求項１０では、Ｍ個のパケット信号の送出が完了する前に応答信号の監視を開始するので、パケット信号の送出を開始してから応答信号の監視が終了するまでの所要時間を短縮することができる。
【００５４】
請求項１1は、無線回線を介してセンタ局から複数のユーザ局に対して同一のデータをパケット信号として同報配信する通信システムを利用すると共に、前記センタ局が送出したパケット信号の前記ユーザ局への到達を確認するためのパケット到達確認方法であって、前記センタ局は、前記複数のユーザ局の一部分をユーザサンプル局として割り当て、前記センタ局は、各々のユーザサンプル局がセンタ局に応答するための複数のユーザサンプル局に共通なバックワード回線を、前記センタ局が連続的に送出するパケット信号の数Ｍだけ割り当て、前記ユーザ局のそれぞれは、前記センタ局から送出されたＭ個のパケット信号の受信を試行し、Ｍ個のパケット信号の中に正しく受信できなかったパケット信号があった場合には、正しく受信できなかったパケット信号のそれぞれに対応付けられた前記バックワード回線を利用して、前記ユーザサンプル局に割り当てられた各々のユーザ局が不達の応答信号を前記センタ局に送信し、前記センタ局は、パケット信号の送出を開始した後で前記Ｍ個のバックワード回線のそれぞれについて応答信号の有無に関する監視を開始し、前記センタ局は、各々のバックワード回線について応答信号を検出した場合にはそのバックワード回線に対応するパケット信号を正しく受信できなかったユーザ局の存在を認識し、前記センタ局が全てのバックワード回線について応答信号を検出しなかった場合には、予め決定された全てのユーザ局に対して、前記バックワード回線とは異なるユーザ局毎に独立した専用応答回線を割り当て、前記センタ局は、前記全てのユーザ局に対し、送信したＭ個のパケット信号に関する到達確認問い合わせ信号を送信し、全てのユーザ局のそれぞれは、前記到達確認問い合わせ信号の受信に応答して、Ｍ個のパケット信号の受信結果を含む到達確認応答信号をそのユーザ局に割り当てられた前記専用応答回線を介して前記センタ局に送信し、前記センタ局は、全てのユーザ局からの前記到達確認応答信号を受信し、その受信内容から少なくとも１つのユーザ局が１つ以上のパケット信号の受信に失敗しているかどうかを確認することを特徴とする。
【００５５】
請求項１1では、複数のユーザ局の一部分をユーザサンプル局として割り当てるとともに、センタ局に対して応答信号を送出するユーザ局をユーザサンプル局のみに限定する。従って、多数のユーザ局が存在する場合であっても、応答信号を送出するユーザ局が一部のユーザサンプル局のみであり、多数の応答信号が集中して現れるのを防止できる。このため、センタ局や無線回線中継装置にかかる負荷を分散して低減することができる。
また、請求項１１では、センタ局が全てのバックワード回線について応答信号を検出しなかった場合には、予め決定された全てのユーザ局に対して、前記バックワード回線とは異なるユーザ局毎に独立した専用応答回線を割り当てる。また、センタ局は前記全てのユーザ局に対して送信したＭ個のパケット信号に関する到達確認問い合わせ信号を送信する。
ユーザ局のそれぞれは、前記到達確認問い合わせ信号の受信に応答して、Ｍ個のパケット信号の受信結果を含む到達確認応答信号をそのユーザ局に割り当てられた前記専用応答回線を介して前記センタ局に送信する。
センタ局では、全てのユーザ局からの前記到達確認応答信号を受信して、その受信内容から少なくとも１つのユーザ局が１つ以上のパケット信号の受信に失敗しているかどうかを確認する。
ここでは、バックワード回線として無線回線を利用しているので、例えば降雨による信号レベルの減衰によってバックワード回線の品質が劣化する場合がある。バックワード回線の品質劣化が生じると、特定のユーザ局が応答信号を送出した場合であっても、センタ局は応答信号を全く検出できない可能性がある。
従って、センタ局が応答信号を全く検出しなかったとしても、パケット信号の再送を必要とする場合がある。
請求項１１では、センタ局が全てのバックワード回線について応答信号を検出しなかった場合には、センタ局が送出する到達確認問い合わせ信号とそれに対して各ユーザ局が送出する到達確認応答信号とで最終確認が行われる。
各ユーザ局が送出する到達確認応答信号は、ユーザ局毎に独立した専用応答回線を介して送出されるので、各ユーザ局は不達の応答だけでなく、正常に受信したことを示す応答をも送信することができる。
もしも無線回線の品質劣化によってパケット信号に誤りが発生し、且つ不達を示すＮＡＫ信号がセンタ局に届かないような場合であっても、センタ局においてユーザ局からの前記到達確認応答信号を受信することができれば、不達のパケット信号の再送が必要であることを認識できる。従って、無線回線の品質劣化により一時的に通信不能な状態になったとしてもパケット配信の不達が生じにくい。
【００５６】
請求項１２は、無線回線を介してセンタ局から複数のユーザ局に対して同一のデータをパケット信号として同報配信する通信システムを利用すると共に、前記センタ局が送出したパケット信号の前記ユーザ局への到達を確認するためのパケット到達確認方法であって、前記センタ局は送出するＭ個のパケット信号を、Ｙ組のパケット信号グループに分割するとともに、各々のパケット信号グループには連続する複数のパケット信号を割り当て、前記センタ局は、前記複数のユーザ局の一部分をユーザサンプル局として割り当て、前記センタ局は、各々のユーザサンプル局がセンタ局に応答するための複数のユーザサンプル局に共通なバックワード回線を、前記センタ局が連続的に送出するパケット信号グループの数Ｙだけ割り当て、前記ユーザ局のそれぞれは、前記センタ局から送出されたＭ個のパケット信号の受信を試行し、Ｍ個のパケット信号の中に正しく受信できなかったパケット信号があった場合には、正しく受信できなかったパケット信号が属するパケット信号グループのそれぞれに対応付けられた前記バックワード回線を利用して、前記ユーザサンプル局に割り当てられた各々のユーザ局が不達の応答信号を前記センタ局に送信し、前記センタ局は、パケット信号の送出を開始した後で前記Ｙ個のバックワード回線のそれぞれについて応答信号の有無に関する監視を開始し、前記センタ局は、各々のバックワード回線について応答信号を検出した場合にはそのバックワード回線に対応するパケット信号グループを正しく受信できなかったユーザ局の存在を認識し、前記センタ局が全てのバックワード回線について応答信号を検出しなかった場合には、予め決定された全てのユーザ局に対して、前記バックワード回線とは異なるユーザ局毎に独立した専用応答回線を割り当て、前記センタ局は、前記全てのユーザ局に対し、送信したＭ個のパケット信号に関する到達確認問い合わせ信号を送信し、全てのユーザ局のそれぞれは、前記到達確認問い合わせ信号の受信に応答して、Ｍ個のパケット信号の受信結果を含む到達確認応答信号をそのユーザ局に割り当てられた前記専用応答回線を介して前記センタ局に送信し、前記センタ局は、全てのユーザ局からの前記到達確認応答信号を受信し、その受信内容から少なくとも１つのユーザ局が１つ以上のパケット信号の受信に失敗しているかどうかを確認することを特徴とする。
【００５７】
請求項１２では、請求項１１と同様に複数のユーザ局の一部分をユーザサンプル局として割り当てるとともに、センタ局に対して応答信号を送出するユーザ局をユーザサンプル局のみに限定する。また、請求項６と同様にパケット信号をＹ個のパケット信号グループに区分しておく。バックワード回線の数については、Ｙ個を用意する必要がある。
また、請求項１２では、センタ局が全てのバックワード回線について応答信号を検出しなかった場合には、予め決定された全てのユーザ局に対して、前記バックワード回線とは異なるユーザ局毎に独立した専用応答回線を割り当てる。また、センタ局は前記全てのユーザ局に対して送信したＭ個のパケット信号に関する到達確認問い合わせ信号を送信する。
ユーザ局のそれぞれは、前記到達確認問い合わせ信号の受信に応答して、Ｍ個のパケット信号の受信結果を含む到達確認応答信号をそのユーザ局に割り当てられた前記専用応答回線を介して前記センタ局に送信する。
センタ局では、全てのユーザ局からの前記到達確認応答信号を受信して、その受信内容から少なくとも１つのユーザ局が１つ以上のパケット信号の受信に失敗しているかどうかを確認する。
ここでは、バックワード回線として無線回線を利用しているので、例えば降雨による信号レベルの減衰によってバックワード回線の品質が劣化する場合がある。バックワード回線の品質劣化が生じると、特定のユーザ局が応答信号を送出した場合であっても、センタ局は応答信号を全く検出できない可能性がある。
従って、センタ局が応答信号を全く検出しなかったとしても、パケット信号の再送を必要とする場合がある。
請求項１２では、センタ局が全てのバックワード回線について応答信号を検出しなかった場合には、センタ局が送出する到達確認問い合わせ信号とそれに対して各ユーザ局が送出する到達確認応答信号とで最終確認が行われる。
各ユーザ局が送出する到達確認応答信号は、ユーザ局毎に独立した専用応答回線を介して送出されるので、各ユーザ局は不達の応答だけでなく、正常に受信したことを示す応答をも送信することができる。
もしも無線回線の品質劣化によってパケット信号に誤りが発生し、且つ不達を示すＮＡＫ信号がセンタ局に届かないような場合であっても、センタ局においてユーザ局からの前記到達確認応答信号を受信することができれば、不達のパケット信号の再送が必要であることを認識できる。従って、無線回線の品質劣化により一時的に通信不能な状態になったとしてもパケット配信の不達が生じにくい。
【００５８】
請求項１３は、請求項１２のパケット到達確認方法において、前記センタ局は、パケット信号の送出を開始した後、前記Ｍ個のパケット信号の送出が完了する前に前記Ｙ個のバックワード回線のそれぞれについて応答信号の有無に関する監視を開始することを特徴とする。
請求項１３では、Ｍ個のパケット信号の送出が完了する前に応答信号の監視を開始するので、パケット信号の送出を開始してから応答信号の監視が終了するまでの所要時間を短縮することができる。
【００５９】
請求項１４は、無線回線を介してセンタ局から複数のユーザ局に対して同一のデータをパケット信号として同報配信する通信システムを利用すると共に、前記センタ局が送出したパケット信号の前記ユーザ局への到達を確認するためのパケット到達確認方法であって、前記複数のユーザ局のそれぞれが前記センタ局に応答するための複数のユーザ局に共通なバックワード回線を、前記センタ局が連続的に送出するパケット信号の数Ｍだけ割り当て、前記複数のユーザ局のそれぞれは、前記センタ局から送出されたＭ個のパケット信号の受信を試行し、Ｍ個のパケット信号の中に正しく受信できなかったパケット信号があった場合には、正しく受信できなかったパケット信号のそれぞれに対応付けられた前記バックワード回線を利用して不達の応答信号を前記センタ局に送信し、前記複数のユーザ局のそれぞれは、パケット信号の受信状況が悪化した場合には、前記不達の応答信号の送信を中断し、前記複数のユーザ局のそれぞれは、前記不達の応答信号の送信を中断している間に受信状況が回復したことを検出すると、前記不達の応答信号の送信を再開し、前記センタ局は、パケット信号の送出を開始した後で前記Ｍ個のバックワード回線のそれぞれについて応答信号の有無に関する監視を開始し、前記センタ局は、各々のバックワード回線について応答信号を検出した場合にはそのバックワード回線に対応するパケット信号を正しく受信できなかったユーザ局の存在を認識し、前記センタ局が全てのバックワード回線について応答信号を検出しなかった場合には、予め決定された全てのユーザ局に対して、前記バックワード回線とは異なるユーザ局毎に独立した専用応答回線を割り当て、前記センタ局は、前記全てのユーザ局に対し、送信したＭ個のパケット信号に関する到達確認問い合わせ信号を送信し、全てのユーザ局のそれぞれは、前記到達確認問い合わせ信号の受信に応答して、Ｍ個のパケット信号の受信結果を含む到達確認応答信号をそのユーザ局に割り当てられた前記専用応答回線を介して前記センタ局に送信し、前記センタ局は、全てのユーザ局からの前記到達確認応答信号を受信し、その受信内容から少なくとも１つのユーザ局が１つ以上のパケット信号の受信に失敗しているかどうかを確認することを特徴とする。
【００６０】
請求項１４では、請求項１または請求項２と同様に、複数のユーザ局のそれぞれがセンタ局に応答するためのバックワード回線を、複数のユーザ局に共通に割り当てる。このバックワード回線については、前記センタ局が連続的に送出するパケット信号の数Ｍだけ用意する。
各々のユーザ局では、センタ局から送出されたＭ個のパケット信号の受信を試行し、Ｍ個のパケット信号の中に正しく受信できなかったパケット信号があった場合には、正しく受信できなかったパケット信号のそれぞれに対応付けられたバックワード回線を利用して不達の応答信号をセンタ局に送信する。
【００６１】
また、各々のユーザ局はパケット信号の受信状況が悪化した場合には、不達の応答信号の送信を中断する。受信状況の悪化したユーザ局が不達の応答信号の送信を中断することにより、応答信号の集中によるセンタ局及び無線中継装置にかかる負荷の増大を防止できる。
ユーザ局は、受信状況の悪化により不達の応答信号の送信を中断している間に、受信状況が回復した場合には、不達の応答信号の送信を再開する。
【００６２】
センタ局では、パケット信号の送出を開始した後でＭ個のバックワード回線のそれぞれについて応答信号の有無に関する監視を開始する。そして、各々のバックワード回線について応答信号を検出した場合にはそのバックワード回線に対応するパケット信号を正しく受信できなかったユーザ局の存在を認識する。
また、請求項１４では、センタ局が全てのバックワード回線について応答信号を検出しなかった場合には、予め決定された全てのユーザ局に対して、前記バックワード回線とは異なるユーザ局毎に独立した専用応答回線を割り当てる。また、センタ局は前記全てのユーザ局に対して送信したＭ個のパケット信号に関する到達確認問い合わせ信号を送信する。
ユーザ局のそれぞれは、前記到達確認問い合わせ信号の受信に応答して、Ｍ個のパケット信号の受信結果を含む到達確認応答信号をそのユーザ局に割り当てられた前記専用応答回線を介して前記センタ局に送信する。
センタ局では、全てのユーザ局からの前記到達確認応答信号を受信して、その受信内容から少なくとも１つのユーザ局が１つ以上のパケット信号の受信に失敗しているかどうかを確認する。
ここでは、バックワード回線として無線回線を利用しているので、例えば降雨による信号レベルの減衰によってバックワード回線の品質が劣化する場合がある。バックワード回線の品質劣化が生じると、特定のユーザ局が応答信号を送出した場合であっても、センタ局は応答信号を全く検出できない可能性がある。
従って、センタ局が応答信号を全く検出しなかったとしても、パケット信号の再送を必要とする場合がある。
請求項１４では、センタ局が全てのバックワード回線について応答信号を検出しなかった場合には、センタ局が送出する到達確認問い合わせ信号とそれに対して各ユーザ局が送出する到達確認応答信号とで最終確認が行われる。
各ユーザ局が送出する到達確認応答信号は、ユーザ局毎に独立した専用応答回線を介して送出されるので、各ユーザ局は不達の応答だけでなく、正常に受信したことを示す応答をも送信することができる。
もしも無線回線の品質劣化によってパケット信号に誤りが発生し、且つ不達を示すＮＡＫ信号がセンタ局に届かないような場合であっても、センタ局においてユーザ局からの前記到達確認応答信号を受信することができれば、不達のパケット信号の再送が必要であることを認識できる。従って、無線回線の品質劣化により一時的に通信不能な状態になったとしてもパケット配信の不達が生じにくい。
請求項１５は、無線回線を介してセンタ局から複数のユーザ局に対して同一のデータをパケット信号として同報配信する通信システムを利用すると共に、前記センタ局が送出したパケット信号の前記ユーザ局への到達を確認するためのパケット到達確認方法であって、前記センタ局は送出するＭ個のパケット信号を、Ｙ組のパケット信号グループに分割するとともに、各々のパケット信号グループには連続する複数のパケット信号を割り当て、前記複数のユーザ局のそれぞれが前記センタ局に応答するための複数のユーザ局に共通なバックワード回線を、前記センタ局が連続的に送出するパケット信号グループの数Ｙだけ割り当て、前記複数のユーザ局のそれぞれは、前記センタ局から送出されたＭ個のパケット信号の受信を試行し、Ｍ個のパケット信号の中に正しく受信できなかったパケット信号があった場合には、正しく受信できなかったパケット信号が属するパケット信号グループに対応付けられた前記バックワード回線を利用して不達の応答信号を前記センタ局に送信し、前記複数のユーザ局のそれぞれは、パケット信号の受信状況が悪化した場合には、前記不達の応答信号の送信を中断し、前記複数のユーザ局のそれぞれは、前記不達の応答信号の送信を中断している間に受信状況が回復したことを検出すると、前記不達の応答信号の送信を再開し、前記センタ局は、パケット信号の送出を開始した後で前記Ｙ個のバックワード回線のそれぞれについて応答信号の有無に関する監視を開始し、前記センタ局は、各々のバックワード回線について応答信号を検出した場合にはそのバックワード回線に対応するパケット信号グループを正しく受信できなかったユーザ局の存在を認識し、前記センタ局が全てのバックワード回線について応答信号を検出しなかった場合には、予め決定された全てのユーザ局に対して、前記バックワード回線とは異なるユーザ局毎に独立した専用応答回線を割り当て、前記センタ局は、前記全てのユーザ局に対し、送信したＭ個のパケット信号に関する到達確認問い合わせ信号を送信し、全てのユーザ局のそれぞれは、前記到達確認問い合わせ信号の受信に応答して、Ｍ個のパケット信号の受信結果を含む到達確認応答信号をそのユーザ局に割り当てられた前記専用応答回線を介して前記センタ局に送信し、前記センタ局は、全てのユーザ局からの前記到達確認応答信号を受信し、その受信内容から少なくとも１つのユーザ局が１つ以上のパケット信号の受信に失敗しているかどうかを確認することを特徴とする。
【００６３】
請求項１５では、請求項１４と同様に、各々のユーザ局はパケット信号の受信状況が悪化した場合には、不達の応答信号の送信を中断する。また、不達の応答信号の送信を中断している間に受信状況が回復したことを検出すると、不達の応答信号の送信を再開する。
また、請求項６と同様に、パケット信号をＹ個のパケット信号グループに区分しておく。バックワード回線の数についてはＹ個を用意する必要がある。
また、請求項１５では、センタ局が全てのバックワード回線について応答信号を検出しなかった場合には、予め決定された全てのユーザ局に対して、前記バックワード回線とは異なるユーザ局毎に独立した専用応答回線を割り当てる。また、センタ局は前記全てのユーザ局に対して送信したＭ個のパケット信号に関する到達確認問い合わせ信号を送信する。
ユーザ局のそれぞれは、前記到達確認問い合わせ信号の受信に応答して、Ｍ個のパケット信号の受信結果を含む到達確認応答信号をそのユーザ局に割り当てられた前記専用応答回線を介して前記センタ局に送信する。
センタ局では、全てのユーザ局からの前記到達確認応答信号を受信して、その受信内容から少なくとも１つのユーザ局が１つ以上のパケット信号の受信に失敗しているかどうかを確認する。
ここでは、バックワード回線として無線回線を利用しているので、例えば降雨による信号レベルの減衰によってバックワード回線の品質が劣化する場合がある。バックワード回線の品質劣化が生じると、特定のユーザ局が応答信号を送出した場合であっても、センタ局は応答信号を全く検出できない可能性がある。
従って、センタ局が応答信号を全く検出しなかったとしても、パケット信号の再送を必要とする場合がある。
請求項１５では、センタ局が全てのバックワード回線について応答信号を検出しなかった場合には、センタ局が送出する到達確認問い合わせ信号とそれに対して各ユーザ局が送出する到達確認応答信号とで最終確認が行われる。
各ユーザ局が送出する到達確認応答信号は、ユーザ局毎に独立した専用応答回線を介して送出されるので、各ユーザ局は不達の応答だけでなく、正常に受信したことを示す応答をも送信することができる。
もしも無線回線の品質劣化によってパケット信号に誤りが発生し、且つ不達を示すＮＡＫ信号がセンタ局に届かないような場合であっても、センタ局においてユーザ局からの前記到達確認応答信号を受信することができれば、不達のパケット信号の再送が必要であることを認識できる。従って、無線回線の品質劣化により一時的に通信不能な状態になったとしてもパケット配信の不達が生じにくい。
【００６４】
請求項１６は、請求項１５のパケット到達確認方法において、前記センタ局は、パケット信号の送出を開始した後、前記Ｍ個のパケット信号の送出が完了する前に前記Ｙ個のバックワード回線のそれぞれについて応答信号の有無に関する監視を開始することを特徴とする。
請求項１６では、Ｍ個のパケット信号の送出が完了する前に応答信号の監視を開始するので、パケット信号の送出を開始してから応答信号の監視が終了するまでの所要時間を短縮することができる。
【００７１】
請求項１７は、請求項５から請求項１６までのいずれかに記載のパケット到達確認方法において、パケット信号の転送を開始する前に、前記センタ局と予め決定された全てのユーザ局との間で通信の可否を調べるためのリンク確立シーケンスを行い、通信の可能なユーザ局をコネクション確立ユーザ局として前記センタ局に登録し、前記センタ局が全てのバックワード回線について応答信号を検出しなかった場合には、前記コネクション確立ユーザ局のそれぞれに対して、前記バックワード回線とは異なるユーザ局毎に独立した専用応答回線を割り当て、前記センタ局は、前記全てのコネクション確立ユーザ局に対し、送信したＭ個のパケット信号に関する到達確認問い合わせ信号を送信し、前記コネクション確立ユーザ局のそれぞれは、前記到達確認問い合わせ信号の受信に応答して、Ｍ個のパケット信号の受信結果を含む到達確認応答信号をそのユーザ局に割り当てられた前記専用応答回線を介して前記センタ局に送信し、前記センタ局は、全てのコネクション確立ユーザ局からの前記到達確認応答信号を受信し、その受信内容から少なくとも１つのユーザ局が１つ以上のパケット信号の受信に失敗しているかどうかを確認することを特徴とする。
【００７２】
請求項１７では、請求項２と同様に、最終確認を行うユーザ局をパケット信号の送信前に行うリンク確立シーケンスにおいて通信可能であることを確認できたコネクション確立ユーザ局のみに限定している。
パケット信号の配信対象として予め定めたユーザ局の中の特定のユーザ局（通信不能局）がセンタ局との間で通信不可能な状態にある場合を想定する。この場合、仮にセンタ局が前記通信不能局に対して到達確認問い合わせ信号を送信したとしても、前記通信不能局が正しく受信したことを示す到達確認応答信号をセンタ局に返すことはないので、センタ局は無駄な通信を繰り返すことになる。
【００７３】
請求項１７では、最終確認を行うユーザ局を、コネクション確立ユーザ局のみに限定するので、前記通信不能局との間で無駄な通信を行うことはなく、効率的なパケット信号の配信が可能になる。
請求項１８は、複数のユーザ局に対して同一のデータをパケット信号として無線回線で同報配信するセンタ局であって、連続的に送出するＭ個のパケット信号をＹ個のパケット信号グループに分割するとともに、各々のパケット信号グループに連続する複数のパケット信号を割り当てるパケットグループ分割手段と、前記パケット信号グループの数Ｙだけ、前記複数のユーザ局に共通なバックワード回線を割り当てるバックワード回線割り当て手段と、Ｍ個のパケット信号を連続的に送信するパケット送信手段と、前記Ｙ個のバックワード回線のそれぞれについて、ユーザ局からの応答の有無を監視する応答監視手段と、前記応答監視手段が前記バックワード回線の各々について応答信号を検出した場合にはそのバックワード回線に対応するパケット信号グループを正しく受信できなかったユーザ局の存在を認識する不達認識手段と、前記応答監視手段が全ての前記バックワード回線について応答信号を検出しなかった場合に、予め決定された全てのユーザ局に対して、前記バックワード回線とは異なるユーザ局毎に独立した専用応答回線を割り当てる専用応答回線割り当て手段と、前記応答監視手段が全てのバックワード回線について応答信号を検出しなかった場合に、前記全てのユーザ局に対し、送信したＭ個のパケット信号に関する到達確認問い合わせ信号を送信する到達確認問い合わせ手段と、前記専用応答回線で各々のユーザ局から受信した到達確認応答信号の受信内容に基づいて、各ユーザ局がＭ個のパケット信号のそれぞれの受信に成功したか否かを識別する到達確認識別手段とを設けたことを特徴とする。
【００７４】
請求項１８では、センタ局にパケットグループ分割手段，バックワード回線割り当て手段，パケット送信手段，応答監視手段及び不達認識手段を設けることにより、請求項６のパケット到達確認方法の実施に利用可能なセンタ局を実現できる。
また、請求項１８では、専用応答回線割り当て手段，到達確認問い合わせ手段及び到達確認識別手段を設けることにより、パケット到達確認方法の実施に利用可能なセンタ局を実現できる。
【００７５】
請求項１９は、複数のユーザ局に対して同一のデータをパケット信号として無線回線で同報配信するセンタ局であって、前記複数のユーザ局をＺ個のユーザグループに分割するユーザグループ分割手段と、連続的に送信するパケット信号の数Ｍだけ、前記複数のユーザグループに共通なバックワード回線をユーザグループ毎に割り当てるバックワード回線割り当て手段と、Ｍ個のパケット信号を連続的に送信するパケット送信手段と、Ｍ×Ｚ個の前記バックワード回線のそれぞれについて、ユーザ局からの応答の有無を監視する応答監視手段と、前記応答監視手段が前記バックワード回線の各々について応答信号を検出した場合にはそのバックワード回線に対応するパケット信号を正しく受信できなかったユーザグループの存在を認識する不達認識手段と、前記バックワード回線割り当て手段によって割り当てられたバックワード回線の各々について応答信号を検出した場合には、同じパケット信号に対する他のユーザグループへの応答のためのバックワード回線の割り当てを省略する回線割り当て省略手段と、前記応答監視手段が全ての前記バックワード回線について応答信号を検出しなかった場合に、予め決定された全てのユーザ局に対して、前記バックワード回線とは異なるユーザ局毎に独立した専用応答回線を割り当てる専用応答回線割り当て手段と、前記応答監視手段が全てのバックワード回線について応答信号を検出しなかった場合に、前記全てのユーザ局に対し、送信したＭ個のパケット信号に関する到達確認問い合わせ信号を送信する到達確認問い合わせ手段と、前記専用応答回線で各々のユーザ局から受信した到達確認応答信号の受信内容に基づいて、各ユーザ局がＭ個のパケット信号のそれぞれの受信に成功したか否かを識別する到達確認識別手段を設けたことを特徴とする。
【００７６】
請求項１９では、センタ局にユーザグループ分割手段，バックワード回線割り当て手段，パケット送信手段，応答監視手段及び不達認識手段を設けることにより、請求項８のパケット到達確認方法の実施に利用可能なセンタ局を実現できる。
また、請求項１９では、専用応答回線割り当て手段，到達確認問い合わせ手段及び到達確認識別手段を設けることにより、パケット到達確認方法の実施に利用可能なセンタ局を実現できる。
請求項２０は、複数のユーザ局に対して同一のデータをパケット信号として無線回線で同報配信するセンタ局であって、前記複数のユーザ局をＺ個のユーザグループに分割するユーザグループ分割手段と、連続的に送出するＭ個のパケット信号をＹ個のパケット信号グループに分割するとともに、各々のパケット信号グループに連続する複数のパケット信号を割り当てるパケットグループ分割手段と、前記パケット信号グループの数Ｙだけ、前記複数のユーザグループに共通なバックワード回線をユーザグループ毎に割り当てるバックワード回線割り当て手段と、Ｍ個のパケット信号を連続的に送信するパケット送信手段と、Ｙ×Ｚ個の前記バックワード回線のそれぞれについて、ユーザ局からの応答の有無を監視する応答監視手段と、前記応答監視手段が前記バックワード回線の各々について応答信号を検出した場合にはそのバックワード回線に対応するパケット信号グループを正しく受信できなかったユーザグループの存在を認識する不達認識手段と、前記バックワード回線割り当て手段によって割り当てられたバックワード回線の各々について応答信号を検出した場合には、同じパケット信号に対する他のユーザグループへの応答のためのバックワード回線の割り当てを省略する回線割り当て省略手段と、前記応答監視手段が全ての前記バックワード回線について応答信号を検出しなかった場合に、予め決定された全てのユーザ局に対して、前記バックワード回線とは異なるユーザ局毎に独立した専用応答回線を割り当てる専用応答回線割り当て手段と、前記応答監視手段が全てのバックワード回線について応答信号を検出しなかった場合に、前記全てのユーザ局に対し、送信したＭ個のパケット信号に関する到達確認問い合わせ信号を送信する到達確認問い合わせ手段と、前記専用応答回線で各々のユーザ局から受信した到達確認応答信号の受信内容に基づいて、各ユーザ局がＭ個のパケット信号のそれぞれの受信に成功したか否かを識別する到達確認識別手段とを設けたことを特徴とする。
【００７７】
請求項２０では、センタ局にユーザグループ分割手段，パケットグループ分割手段，バックワード回線割り当て手段，パケット送信手段，応答監視手段及び不達認識手段を設けることにより、請求項９のパケット到達確認方法の実施に利用可能なセンタ局を実現できる。
また、請求項２０では、専用応答回線割り当て手段，到達確認問い合わせ手段及び到達確認識別手段を設けることにより、パケット到達確認方法の実施に利用可能なセンタ局を実現できる。
請求項２１は、複数のユーザ局に対して同一のデータをパケット信号として無線回線で同報配信するセンタ局であって、前記複数のユーザ局の一部分をユーザサンプル局として割り当てるサンプル局割り当て手段と、連続的に送出するパケット信号の数Ｍだけ、複数の前記ユーザサンプル局に共通なバックワード回線を割り当てるバックワード回線割り当て手段と、Ｍ個のパケット信号を連続的に送信するパケット送信手段と、Ｍ個の前記バックワード回線のそれぞれについて、ユーザ局からの応答の有無を監視する応答監視手段と、前記応答監視手段が前記バックワード回線の各々について応答信号を検出した場合にはそのバックワード回線に対応するパケット信号を正しく受信できなかったユーザ局の存在を認識する不達認識手段と、前記応答監視手段が全ての前記バックワード回線について応答信号を検出しなかった場合に、予め決定された全てのユーザ局に対して、前記バックワード回線とは異なるユーザ局毎に独立した専用応答回線を割り当てる専用応答回線割り当て手段と、前記応答監視手段が全てのバックワード回線について応答信号を検出しなかった場合に、前記全てのユーザ局に対し、送信したＭ個のパケット信号に関する到達確認問い合わせ信号を送信する到達確認問い合わせ手段と、前記専用応答回線で各々のユーザ局から受信した到達確認応答信号の受信内容に基づいて、各ユーザ局がＭ個のパケット信号のそれぞれの受信に成功したか否かを識別する到達確認識別手段とを設けたことを特徴とする。
【００７８】
請求項２１では、センタ局にサンプル局割り当て手段，バックワード回線割り当て手段，パケット送信手段，応答監視手段及び不達認識手段を設けることにより、請求項１１のパケット到達確認方法の実施に利用可能なセンタ局を実現できる。
また、請求項２１では、専用応答回線割り当て手段，到達確認問い合わせ手段及び到達確認識別手段を設けることにより、パケット到達確認方法の実施に利用可能なセンタ局を実現できる。
請求項２２は、複数のユーザ局に対して同一のデータをパケット信号として無線回線で同報配信するセンタ局であって、前記複数のユーザ局の一部分をユーザサンプル局として割り当てるサンプル局割り当て手段と、連続的に送出するＭ個のパケット信号をＹ個のパケット信号グループに分割するとともに、各々のパケット信号グループに連続する複数のパケット信号を割り当てるパケットグループ分割手段と、前記パケット信号グループの数Ｙだけ、複数の前記ユーザサンプル局に共通なバックワード回線を割り当てるバックワード回線割り当て手段と、Ｍ個のパケット信号を連続的に送信するパケット送信手段と、Ｙ個の前記バックワード回線のそれぞれについて、ユーザ局からの応答の有無を監視する応答監視手段と、前記応答監視手段が前記バックワード回線の各々について応答信号を検出した場合にはそのバックワード回線に対応するパケット信号グループを正しく受信できなかったユーザ局の存在を認識する不達認識手段と、前記応答監視手段が全ての前記バックワード回線について応答信号を検出しなかった場合に、予め決定された全てのユーザ局に対して、前記バックワード回線とは異なるユーザ局毎に独立した専用応答回線を割り当てる専用応答回線割り当て手段と、前記応答監視手段が全てのバックワード回線について応答信号を検出しなかった場合に、前記全てのユーザ局に対し、送信したＭ個のパケット信号に関する到達確認問い合わせ信号を送信する到達確認問い合わせ手段と、前記専用応答回線で各々のユーザ局から受信した到達確認応答信号の受信内容に基づいて、各ユーザ局がＭ個のパケット信号のそれぞれの受信に成功したか否かを識別する到達確認識別手段とを設けたことを特徴とする。
【００７９】
請求項２２では、センタ局にサンプル局割り当て手段，パケットグループ分割手段，バックワード回線割り当て手段，パケット送信手段，応答監視手段及び不達認識手段を設けることにより、請求項１２のパケット到達確認方法の実施に利用可能なセンタ局を実現できる。
また、請求項２２では、専用応答回線割り当て手段，到達確認問い合わせ手段及び到達確認識別手段を設けることにより、パケット到達確認方法の実施に利用可能なセンタ局を実現できる。
請求項２３は、請求項３、４、及び請求項１８から請求項２２までのいずれかに記載のセンタ局において、前記ユーザ局からの受信状況の通知の受信に基づいて該当するユーザ局におけるパケット信号の受信状況を把握する受信状況認識手段と、前記応答監視手段が全ての前記バックワード回線について応答信号を検出しなかった場合に、予め決定された全てのユーザ局に対して、前記バックワード回線とは異なるユーザ局毎に独立した専用応答回線を割り当てる専用応答回線割り当て手段と、前記応答監視手段が全てのバックワード回線について応答信号を検出しなかった場合に、前記全てのユーザ局に対し、送信したＭ個のパケット信号に関する到達確認問い合わせ信号を送信する到達確認問い合わせ手段と、前記専用応答回線で各々のユーザ局から受信した到達確認応答信号の受信内容に基づいて、各ユーザ局がＭ個のパケット信号のそれぞれの受信に成功したか否かを識別する到達確認識別手段とを設けたことを特徴とする。
【００８０】
請求項２３では、センタ局に受信状況認識手段を設けることにより、請求項１４または請求項１５のパケット到達確認方法の実施に利用可能なセンタ局を実現できる。
【００８１】
請求項２３では、専用応答回線割り当て手段，到達確認問い合わせ手段及び到達確認識別手段を設けることにより、請求項１４または請求項１５のパケット到達確認方法の実施に利用可能なセンタ局を実現できる。
請求項２４は、請求項１８から請求項２３までのいずれかに記載のセンタ局において、パケット信号の転送を開始する前に、予め決定された全てのユーザ局との間で通信の可否を調べるためのリンク確立シーケンスを実行し、通信の可能なユーザ局をコネクション確立ユーザ局として登録するユーザ局特定手段と、前記応答監視手段が全ての前記バックワード回線について応答信号を検出しなかった場合に、前記コネクション確立ユーザ局のそれぞれに対して、前記バックワード回線とは異なるユーザ局毎に独立した専用応答回線を割り当てる専用応答回線割り当て手段と、前記応答監視手段が全ての前記バックワード回線について応答信号を検出しなかった場合に、全ての前記コネクション確立ユーザ局に対し、送信したＭ個のパケット信号に関する到達確認問い合わせ信号を送信する到達確認問い合わせ手段と、前記専用応答回線で各々のコネクション確立ユーザ局から受信した到達確認応答信号の受信内容に基づいて、各ユーザ局がＭ個のパケット信号のそれぞれの受信に成功したか否かを識別する到達確認識別手段とを更に設けたことを特徴とする。
【００８２】
請求項２４では、ユーザ局特定手段，専用応答回線割り当て手段，到達確認問い合わせ手段及び到達確認識別手段を設けることにより、請求項１７のパケット到達確認方法の実施に利用可能なセンタ局を実現できる。
【００８３】
請求項２４は、請求項１８から請求項２３までのいずれかに記載のセンタ局において、ユーザ局が送出するキャリア信号（搬送波）の有無を応答信号の有無に割り当てている場合を想定している。従って、応答監視手段は各バックワード回線のキャリア信号の有無を調べることにより、ユーザ局からの応答の有無を検出することができる。
【００９４】
【発明の実施の形態】
（第１の実施の形態）
本発明のパケット到達確認方法及びセンタ局並びにユーザ局の１つの形態について図１，図５〜図７，図１２及び図１５を参照して説明する。この形態は、請求項１〜請求項４に対応する。
【００９５】
図１はこの形態の到達確認通信シーケンスを示すシーケンス図である。図５はこの形態の信号の送信例を示す模式図である。図６はこの形態のセンタ局の構成を示すブロック図である。図７はこの形態のユーザ局の構成を示すブロック図である。図１２はこの形態の各局の動作を示すフローチャートである。図１５は通信システムのネットワークの構成例を示すブロック図である。
【００９６】
この形態では、請求項のバックワード回線割り当て手段，パケット送信手段，応答監視手段及び不達認識手段は、それぞれＮＡＫ送出制御信号発生部１４（Ｓ１０），衛星回線送信部１２（Ｓ１１），キャリア検出部１１（Ｓ１３）及びＮＡＫキャリア判定部１３（Ｓ１５）に対応する。
【００９７】
この形態では、データ通信プロトコルとしてＲＭＴＰを用いる通信システムを想定している。また、この例では、図１５に示すようにセンタ局と複数のユーザ局との間を衛星を介した無線通信回線で接続している。
センタ局から各ユーザ局に向かう方向の通信回線はフォワード回線と呼ばれ、各ユーザ局からセンタ局に向かう方向の通信回線はバックワード回線と呼ばれる。この例では、同一のパケット信号をセンタ局から全てのユーザ局に対して同報送信するので、フォワード回線は全てのユーザ局に共通である。すなわち、センタ局が１つのフォワード回線に送出したパケット信号は全てのユーザ局で受信される。
【００９８】
この例ではＲＭＴＰの制御を行うので、図１５に示すようにセンタ局は衛星センタ局１０及びＲＭＴＰセンタ局２０で構成され、各ユーザ局は衛星ユーザ局３０及びＲＭＴＰユーザ局４０で構成されている。
ＲＭＴＰの制御を行う場合には、センタ局では送出したパケット信号の再送が必要か否かを調べる必要があり、各ユーザ局はパケット信号を正しく受信できたか否かを示す応答をバックワード回線を介してセンタ局に送信する必要がある。
【００９９】
この例では、必要最小限の回線量で効率的なデータ転送を実現するために、各ユーザ局がパケット信号の受信結果を報告するために使用するバックワード回線を全てのユーザ局に共通に割り当てている。また、各ユーザ局では対応するパケット信号を正しく受信できなかった場合のみ不達を示す応答を返すように制御している。
【０１００】
実際には、パケット信号を正しく受信できなかった場合にのみキャリア（搬送波）信号を出力し、パケット信号を正しく受信できた場合にはバックワード回線に対するキャリア信号の出力を行わない。
また、この例ではセンタ局が連続的に出力するＭ個のパケット信号に対して、各々のパケット信号に対応するＭ個のバックワード回線を確保する。Ｍ個のバックワード回線は、時分割により同じ周波数に割り当てられる。
【０１０１】
一例として、センタ局からユーザ局に対して３つのパケット信号を連続的に送信した場合の結果に対して送出される応答信号の例が図５に示されている。図５において、受信結果の「◯」及び「×」は各々のパケット信号を正しく受信できたか否かを表している。
すなわち、図５の例ではユーザ局（１）は３つのパケット信号のうち最初のパケット信号の受信に失敗し、他の２つのパケット信号の受信には成功している。同様に、ユーザ局（２）は１番目及び２番目のパケット信号の受信に成功し、最後のパケット信号の受信に失敗している。ユーザ局（３）は１番目，３番目のパケット信号の受信に失敗し、２番目のパケット信号の受信には成功している。
【０１０２】
従って、ユーザ局（１）は受信に失敗した１番目のパケット信号に対応するタイミングＴｄ１で不達の応答信号を送出し、ユーザ局（２）は３番目のパケット信号に対応するタイミングＴｄ３で不達の応答信号を送出し、ユーザ局（３）は２つのタイミングＴｄ１，Ｔｄ３のそれぞれのタイミングで不達の応答信号を送出する。
【０１０３】
この場合、ユーザ局（１）がタイミングＴｄ１で送出する応答信号と、ユーザ局（３）がタイミングＴｄ１で送出する応答信号とは同じバックワード回線上に同時に出力されるので、それらは重なって１つの応答信号としてセンタ局に受信される。
【０１０４】
同様に、ユーザ局（２）がタイミングＴｄ３で送出する応答信号と、ユーザ局（３）がタイミングＴｄ３で送出する応答信号とは同じバックワード回線上に同時に出力されるので、それらは重なって１つの応答信号としてセンタ局に受信される。
従って、センタ局ではタイミングＴｄ１で受信する応答信号が何れのユーザ局が送出したものかを識別することはできない。しかし、応答信号を検出したタイミングに相当するパケット信号について再送が必要であることは確かであり、ＲＭＴＰ制御のためだけであれば、必ずしも不達の応答信号を送出したユーザ局を特定する必要はない。
【０１０５】
このため、従来のようにユーザ局毎に独立した応答用の通信回線を確保する必要がなく、必要最小限の通信回線を用いて効率的な通信が可能である。すなわち、ＦＤＭＡでユーザ局数Ｎだけの独立した通信回線を確保する従来例と比べると必要な周波数帯域が（１／Ｎ）以下に低減される。また、ＴＤＭＡでユーザ局数Ｎだけの独立した通信回線を確保する従来例と比べると、信号フレームのタイムスロット数が（１／Ｎ）になるため全てのユーザ局からの応答信号の確認に必要な時間が（１／Ｎ）に低減される。
【０１０６】
センタ局及び各ユーザ局が図１２に示す動作を実行することにより、図１に示すような到達確認通信シーケンスが実現する。図１及び図１２の動作について以下に説明する。
なお、図１はセンタ局の１回のパケット配信動作で４つのパケット信号Ｄａｔａ（ｄ１）〜Ｄａｔａ（ｄ４）を連続的に送信する場合を示している。また、図１における「◯」及び「×」は、それぞれ各パケット信号の受信の成功及び失敗を表している。
【０１０７】
図１において、センタ局の（ＲＭＴＰ）及び（ＳＡＴ）はそれぞれＲＭＴＰセンタ局２０及び衛星センタ局１０を表し、各ユーザ局の（ＲＭＴＰ）及び（ＳＡＴ）はそれぞれＲＭＴＰユーザ局４０及び衛星ユーザ局３０を表している。なお、図１ではユーザ局数が２の場合を示してあるが、ユーザ局数が３以上であっても同様に処理できる。
【０１０８】
センタ局は、図１２のステップＳ１０で、全てのユーザ局に共通のＭ個の応答用回線をバックワード回線上に確保する。回線数のＭ個は、次に連続的に送出するパケット信号の数（図１の例では４）である。
ステップＳ１１では、センタ局はフォワード回線を用いてＭ個のパケット信号Ｄａｔａ（１）〜Ｄａｔａ（Ｍ）を連続的に送信する。図１の例では、連続的に現れる４つのパケット信号Ｄａｔａ（ｄ１）〜Ｄａｔａ（ｄ４）が全てのユーザ局に同報配信されている。
【０１０９】
これらのパケット信号Ｄａｔａ（ｄ１）〜Ｄａｔａ（ｄ４）は、図１２のステップＳ２０の処理においてユーザ局に受信される。但し、図１の例では、フォワード回線の異常などの理由によりユーザ局（１）はパケット信号Ｄａｔａ（ｄ２）の受信に失敗し、ユーザ局（２）はパケット信号Ｄａｔａ（ｄ２）及びＤａｔａ（ｄ４）の受信に失敗している。
少なくとも１つのパケット信号に関する受信の失敗を検出すると、受信に失敗したパケット信号を特定する情報（例えばパケット番号）を含むＮＡＫ（パケットの不達を表す）信号（ＮＡＫ（ｕ１），ＮＡＫ（ｕ２））が、図１に示すように各ユーザ局の（ＲＭＴＰ）から（ＳＡＴ）に転送される。
【０１１０】
各ユーザ局の（ＲＭＴＰ）は、この後で再送パケット待ち状態へ遷移する。ユーザ局の（ＳＡＴ）は、受信したＮＡＫ信号に含まれる情報を保持して受信に失敗したパケット信号を把握する。
すなわち、ユーザ局の処理は図１２のステップＳ２１からＳ２２に進み、受信に失敗したパケット信号に関するＮＡＫ情報を作成する。
【０１１１】
センタ局は、送出したＭ個のパケットのそれぞれについてユーザ局が応答信号を送出するタイミングを定めるＮＡＫ送出制御信号Ｃｏｎ−ＮＡＫを図１２のステップＳ１２において一定の間隔ｔｄで順次に送信する。図１の例では、４つのパケット信号Ｄａｔａ（ｄ１）〜Ｄａｔａ（ｄ４）に対応する時間Ｔｄ１，Ｔｄ２，Ｔｄ３，Ｔｄ４のタイミングで、それぞれＮＡＫ送出制御信号Ｃｏｎ−ＮＡＫが出力されている。
【０１１２】
各ユーザ局では、受信に失敗したパケット信号に対応するタイミングで現れるＮＡＫ送出制御信号Ｃｏｎ−ＮＡＫを受信すると、ステップＳ２３からＳ２４に進み、ＮＡＫキャリア（Ｓａｔ−ＮＡＫ）を送出する。ＮＡＫキャリアは周波数が複数のユーザ局で共通である。
図１の例では、ユーザ局（１）は２番目のパケット信号Ｄａｔａ（ｄ２）の受信に失敗しているので、時間Ｔｄ２で送出されるＮＡＫ送出制御信号Ｃｏｎ−ＮＡＫを受信したときに、ＮＡＫキャリア（Ｓａｔ−ＮＡＫ）を送出する。正しく受信できたパケット信号に対応する他のタイミングではキャリアは出力しない。
【０１１３】
また、ユーザ局（２）はパケット信号Ｄａｔａ（ｄ２），Ｄａｔａ（ｄ４）の受信に失敗しているので、時間Ｔｄ２で送出されるＮＡＫ送出制御信号Ｃｏｎ−ＮＡＫを受信したとき、並びに時間Ｔｄ４で送出されるＮＡＫ送出制御信号Ｃｏｎ−ＮＡＫを受信したときに、ＮＡＫキャリア（Ｓａｔ−ＮＡＫ）を送出する。正しく受信できたパケット信号に対応する他のタイミングではキャリアは出力しない。
【０１１４】
図１の例では、時間Ｔｄ２の直後にユーザ局（１）及びユーザ局（２）の送出したＮＡＫキャリア（Ｓａｔ−ＮＡＫ）がセンタ局に届き、時間Ｔｄ４の直後にユーザ局（２）の送出したＮＡＫキャリア（Ｓａｔ−ＮＡＫ）がセンタ局に届く。他のタイミングではセンタ局はＮＡＫキャリア（Ｓａｔ−ＮＡＫ）を検出しない。
この例では、センタ局はステップＳ１２でＮＡＫ送出制御信号Ｃｏｎ−ＮＡＫを送出してから時間ｔｄを経過するまでの間、ステップＳ１３で各ユーザ局からのＮＡＫキャリア（Ｓａｔ−ＮＡＫ）の検出を行う。例えば、１番目に送出したパケット信号Ｄａｔａ（ｄ１）に対する応答については、時間Ｔｄ１から（Ｔｄ１＋ｔｄ）までの間に少なくとも１つのユーザ局からのＮＡＫキャリア（Ｓａｔ−ＮＡＫ）を受信した場合に、パケット信号Ｄａｔａ（ｄ１）に対する不達の応答信号を受信したとみなす。なお、ここでは衛星通信の伝播遅延時間は無視できるものと仮定している。
【０１１５】
Ｍ個の全てのパケット信号に対するユーザ局からの応答信号の受信タイミングが終了すると、センタ局の処理はステップＳ１４からＳ１５に進む。ステップＳ１５では、Ｔｄ１〜（Ｔｄ１＋ｔｄ），Ｔｄ２〜（Ｔｄ２＋ｔｄ），・・・の各タイミングで検出したＮＡＫキャリア（Ｓａｔ−ＮＡＫ）の有無から、各パケット信号に関する送信の成否を識別する。
【０１１６】
すなわち、ＮＡＫキャリア（Ｓａｔ−ＮＡＫ）を検出した場合には、そのタイミングに対応するパケット信号について少なくとも１つのユーザ局が受信に失敗していることがわかり、ＮＡＫキャリア（Ｓａｔ−ＮＡＫ）を検出しない場合には、そのタイミングに対応するパケット信号が全てのユーザ局に正しく届いたとみなすことができる。
【０１１７】
図１の例では、ＮＡＫキャリア（Ｓａｔ−ＮＡＫ）の検出結果が「◯×◯×」になっているので、２番目のパケット信号Ｄａｔａ（ｄ２）及び４番目のパケット信号Ｄａｔａ（ｄ４）の配信に失敗していることが分かる。
不達の応答信号であるＮＡＫキャリア（Ｓａｔ−ＮＡＫ）を検出したパケット信号が存在する場合には、センタ局の処理はステップＳ１６からＳ１７に進む。ステップＳ１７では、不達のパケット信号を連続的に再送する。図１の例では、最初の送信で配信に失敗したパケット信号Ｄａｔａ（ｄ２）及びＤａｔａ（ｄ４）を再送処理によって再び送信している。
【０１１８】
再送によりセンタ局から送信されたパケット信号Ｄａｔａ（ｄ２）及びＤａｔａ（ｄ４）は、各ユーザ局のステップＳ２６の処理で受信される。
この形態では、図６に示すようにセンタ局の衛星センタ局１０は、キャリア検出部１１，衛星回線送信部１２，ＮＡＫキャリア判定部１３，ＮＡＫ送出制御信号発生部１４，データ解析部１５，ＲＭＴＰ信号送信部１６，ＲＭＴＰ信号受信部１７，ＤＢ管理部１８，アンテナ１９ａ及び１９ｂで構成されている。
【０１１９】
データ解析部１５は、ＲＭＴＰ信号受信部１７を介してＲＭＴＰセンタ局２０からの信号を一定時間監視し続け、受信したパケット信号を衛星回線送信部１２に送信すると共に、送信したパケットの番号をＤＢ（データベース）管理部１８に格納する。
また、パケットの送信完了後、データ解析部１５はＮＡＫ送出制御信号発生部１４に対して、一定時間間隔（ｔｄ）でそれぞれのパケット番号に対応するＮＡＫ送出制御信号（Ｃｏｎ−ＮＡＫ）の送出を指示する。
【０１２０】
ＮＡＫ送出制御信号発生部１４は、データ解析部１５からの指示によりＮＡＫ送出制御信号（Ｃｏｎ−ＮＡＫ）を生成し、衛星回線送信部１２及びアンテナ１９ｂを経由して、衛星回線でユーザ局へＮＡＫ送出制御信号（Ｃｏｎ−ＮＡＫ）を送信する。また、ＮＡＫ送出制御信号発生部１４はこれと同時にセンタ局のＮＡＫキャリア判定部１３にも、対応するパケット番号と共にＮＡＫ送出制御信号（Ｃｏｎ−ＮＡＫ）を送信したことを通知する。
【０１２１】
一方、キャリア検出部１１は、ユーザ局からの不達の応答信号用として割り当てた周波数帯域幅を検波し、周期的に受信信号の電力値を算出する。ＮＡＫキャリア判定部１３は、キャリア検出部１１で周期的に算出される電力値が、過去の電力値よりも急激に増加した場合、ユーザ局からの不達の応答信号が送出されたと判定し、ＮＡＫ送出制御信号発生部１４より通知されたパケット番号を含むＮＡＫパケットをデータ解析部１５に通知する。
【０１２２】
データ解析部１５は、ＮＡＫキャリア判定部１３からのＮＡＫパケットを一定時間監視し続け、ＮＡＫキャリア判定部１３でＮＡＫパケットを受信した場合には、該当するパケット番号が不達であることをＤＢ管理部１８に記録する。
データ解析部１５は、一定時間監視した後、ＤＢ管理部１８のパケット到達結果を確認し、不達と判定されたパケット信号の番号を全て含むユーザ毎のＮＡＫパケット（ＮＡＫ（ｕ１），ＮＡＫ（ｕ２））をそれぞれ生成し、ＲＭＴＰ信号送信部１６へ通知する。ＲＭＴＰ信号送信部１６は、ＲＭＴＰセンタ局２０へ前記ユーザ毎のＮＡＫパケットを送信する。
【０１２３】
一方、図７に示すように、各ユーザ局の衛星ユーザ局３０は衛星回線受信部３１，衛星回線送信部３２，ＮＡＫ送出制御信号抽出部３３，ＮＡＫキャリア発生部３４，データ解析部３５，ＲＭＴＰ信号送信部３６，ＲＭＴＰ信号受信部３７，ＮＡＫ対応表管理部３８，アンテナ３９ａ及び３９ｂで構成されている。
ＲＭＴＰ信号受信部３７は、ＲＭＴＰユーザ局４０からのパケット信号の到達に対する応答信号（ＡＣＫ）または不達の応答信号（ＮＡＫ）を受信し、それをデータ解析部３５に通知する。
【０１２４】
データ解析部３５は、ＲＭＴＰ信号受信部３７から受信した応答信号に含まれている情報を解析して、パケット番号毎にその到達結果を識別し、その情報をＮＡＫ対応表管理部３８に書き込む。ＮＡＫ対応表管理部３８は、不達になったパケット信号のパケット番号を管理する。
一方、各パケット番号に対応したタイミングで一定の間隔（ｔｄ）でセンタ局から送出されるＮＡＫ送出制御信号（Ｃｏｎ−ＮＡＫ）は、アンテナ３９ａを介して衛星回線受信部３１で受信され、ＮＡＫ送出制御信号抽出部３３で受信データ信号から抽出される。
【０１２５】
また、ＮＡＫ送出制御信号抽出部３３は、抽出したＮＡＫ送出制御信号に対応付けられたパケット番号を認識し、そのパケット番号をデータ解析部３５に通知する。
データ解析部３５は、ＮＡＫ送出制御信号抽出部３３から通知されたパケット番号をＮＡＫ対応表管理部３８が保持する不達の各パケット番号と比較する。不達のパケット番号と一致するパケット番号がＮＡＫ送出制御信号抽出部３３から通知された場合には、データ解析部３５はＮＡＫキャリア発生部３４に対してＮＡＫキャリアの送出を通知する。
【０１２６】
データ解析部３５からＮＡＫキャリアの送出通知を受けた場合には、ＮＡＫキャリア発生部３４は、不達の応答信号であるＮＡＫキャリア（Sat-NAK）を衛星回線送信部３２及びアンテナ３９ｂを介して衛星回線に送出する。すなわち、そのパケット信号が不達であったことをセンタ局に通知する。
（第２の実施の形態）
本発明のパケット到達確認方法及びセンタ局並びにユーザ局のもう１つの形態について、図２，図３，図８，図９，図１３及び図１４を参照して説明する。この形態は、請求項１および請求項３に対応する。
【０１２７】
図２はこの形態の到達確認通信シーケンス（１）を示すシーケンス図である。図３はこの形態の到達確認通信シーケンス（２）を示すシーケンス図である。図８はこの形態のセンタ局の構成を示すブロック図である。図９はこの形態のユーザ局の構成を示すブロック図である。図１３はこの形態の各局の動作（１）を示すフローチャートである。図１４はこの形態の各局の動作（２）を示すフローチャートである。
【０１２８】
この形態では、請求項に記載する専用応答回線割り当て手段，到達確認問い合わせ手段，到達確認識別手段及びパケット再送手段は、それぞれ衛星回線受信部５１（Ｓ３０），問い合わせ信号発生部５２（Ｓ３１），データ解析部１５（Ｓ３５）及びデータ解析部１５（Ｓ１７）に対応する。
【０１２９】
この形態は、第１の実施の形態の変形例である。各図において、第１の実施の形態と対応する要素あるいは処理ステップには同一の番号又は記号を付けて示してある。第１の実施の形態と共通の部分については、以下の説明を省略する。
第１の実施の形態では、センタ局ではユーザ局からのＮＡＫキャリアの検出結果だけに基づいて不達の確認を行っている。ところが、無線回線の信号劣化（降雨による信号レベルの減衰等）が生じた場合には、仮にユーザ局がＮＡＫキャリアを送出した場合でも、それがセンタ局に届かない可能性があり、不達になったパケット信号が再送されない場合があり得る。
【０１３０】
そこで、この形態では、不達の応答信号をＭ個の全てのパケット信号についてセンタ局が検出しなかった場合には、センタ局はすべてのユーザ局に対して、最終到達確認を行うための応答回線を個別に割り当て、センタ局から全ユーザ局に対して問い合わせを行う。
また、各ユーザ局ではセンタ局からの問い合わせを検出した場合には、自局の応答用に専用に割り当てられた応答回線を用いて、全ての受信パケット信号の各々の受信結果の情報を含む到達確認信号（応答信号又は不達の応答信号）を送信する。
【０１３１】
センタ局では、全てのユーザ局からそれぞれ受信した到達確認信号を受信してその内容を解析する。そして、全ユーザ局が全てのパケット信号を正しく受信した場合には、データの再送を終了し、１つ以上のパケット信号の受信が少なくとも１つのユーザ局で失敗していた場合には、該当するパケット信号を再送する。以下、図２，図３，図１３及び図１４を参照して各局の動作を説明する。なお、図２はユーザ局（１）が３番目のパケット信号Ｄａｔａ（ｄ３）の受信に失敗し、かつユーザ局（１）の送出したＮＡＫキャリアが信号劣化によりセンタ局に届かなかった場合の動作例を示している。また、図３は全てのユーザ局が全てのパケット信号の受信に成功した場合の動作例を示している。
【０１３２】
図２の例では、時間Ｔｄ３でユーザ局（１）が送出したＮＡＫキャリアがセンタ局に届かないため、センタ局では不達のパケットが存在するとはみなさない。その場合、センタ局の処理は図１３のステップＳ１６から図１４のステップＳ３０に進む。
ステップＳ３０では、センタ局は予め定めた全てのユーザ局の数と同数のユーザ局毎に独立した応答回線を確保する。図２の例では、ユーザ局数が２の場合を想定しているので、時間Ｔｕ１のタイミングが、ユーザ局（１）が応答するための専用回線として割り当てられ、時間Ｔｕ２のタイミングが、ユーザ局（２）が応答するための専用回線として割り当てられている。
【０１３３】
センタ局では、図１４のステップＳ３１で全てのユーザ局に対する問い合わせ信号（図２の「ＡＣＫ問合せ」）を送信する。また、各ユーザ局が応答するタイミングを示すために、センタ局はステップＳ３２で各ユーザ局に割り当てたタイミング（Ｔｕ１，Ｔｕ２）で信号Ｃｏｎ−Ｔｉｍを送信する。
ユーザ局の処理は、センタ局からの問い合わせ信号を受信すると図１４のステップＳ４０からＳ４１に進み、更に信号Ｃｏｎ−Ｔｉｍの検出によって自局に割り当てられたタイミングであることを検出すると、ステップＳ４２に進みＡＣＫ又はＮＡＫの応答信号を送信する。この応答信号は、センタ局が送出した全てのパケット信号の各々について正しく受信したか否かを表す情報を含んでいる。
【０１３４】
センタ局では、ステップＳ３２で信号Ｃｏｎ−Ｔｉｍを送信してから一定の時間ｔｄだけステップＳ３３で各ユーザ局からの応答信号（ＡＣＫ，ＮＡＫ）の受信を試みる。
センタ局では、全てのユーザ局からの応答信号を受信した後、それらの応答信号の内容に基づいてステップＳ３５でパケット毎の送信成否を識別する。すなわち、ユーザ毎及びパケット毎にそれぞれ不達の有無を識別する。
【０１３５】
不達のパケットが存在する場合には、センタ局の処理はステップＳ３６から図１３のステップＳ１７に進み、不達のパケット信号を再送する。ユーザ局では、図１４のステップＳ４４で不達のパケット信号を受信する。
図３に示すように、全てのパケット信号Ｄａｔａ（ｄ１）〜Ｄａｔａ（ｄ４）が全てのユーザ局で正しく受信されている場合には、時間Ｔｕ１，Ｔｕ２で各ユーザ局が送出する応答信号は全てＡＣＫ（正しく受信している）であるため、センタ局では不達のパケット信号が存在しないことを認識する。この場合、センタ局は再送処理を行わずにこの処理を終了する。
【０１３６】
なお、図２，図３において、ユーザ局の（ＳＡＴ）から（ＲＭＴＰ）に送信されるＲｅ１（ｕｌ），Ｒｅｌ（ｕ２）は擬似コネクション解放メッセージであり、ユーザ局の（ＲＭＴＰ）から（ＳＡＴ）に送信されるＲａｃｋ（ｕ１），Ｒａｃｋ（ｕ２）はコネクション解放メッセージに対する確認応答信号である。
【０１３７】
また、センタ局の（ＲＭＴＰ）から（ＳＡＴ）に送信される（Ｒｅ１）はコネクション解放メッセージであり、センタ局の（ＳＡＴ）から（ＲＭＴＰ）に送信されるＲａｃｋ（ｕ１），Ｒａｃｋ（２）は各ユーザ局の擬似Ｒａｃｋ信号である。
この形態では、センタ局には図８に示すように、衛星回線受信部５１及び問い合わせ信号発生部５２が追加されている。問い合わせ信号発生部５２は、最終的なパケット信号の受信確認のための問い合わせ信号をステップＳ３１で各ユーザ局に送出するために設けてある。衛星回線受信部５１は、前記問い合わせ信号に対するユーザ局毎の応答信号（ＡＣＫ，ＮＡＫ）を専用の応答回線で受信するために設けてある。
【０１３８】
なお、データ解析部１５の動作は、図１３及び図１４の処理を実行できるように変更されている。センタ局の基本的な動作は、第１の実施の形態の場合と同様である。
この形態では、各ユーザ局には図９に示すように、問い合わせ信号抽出部５３及びＡＣＫ応答信号発生部５４が追加されている。問い合わせ信号抽出部５３は、衛星回線受信部３１が受信した信号の中から、センタ局の送信した問い合わせ信号を抽出する。
【０１３９】
ＡＣＫ応答信号発生部５４は、センタ局から受信した問い合わせ信号に対する応答信号（ＡＣＫ，ＮＡＫ）を送信するために設けてある。ＡＣＫ応答信号発生部５４の生成した応答信号は、衛星回線送信部３２及びアンテナ３９ｂを介して衛星回線に送出される。
なお、データ解析部３５の動作は、図１３及び図１４の処理を実行できるように変更されている。各ユーザ局の基本的な動作は第１の実施の形態の場合と同様である。
【０１４０】
（第３の実施の形態）
本発明のパケット到達確認方法及びセンタ局並びにユーザ局のもう１つの形態について、図４，図１０及び図１１を参照して説明する。この形態は請求項２，請求項４に対応する。
図４はこの形態のリンク確立シーケンスを示すシーケンス図である。図１０はこの形態のセンタ局の構成を示すブロック図である。図１１はこの形態のユーザ局の構成を示すブロック図である。
【０１４１】
この形態では、請求項４のユーザ局特定手段，専用応答回線割り当て手段，到達確認問い合わせ手段，到達確認識別手段及びパケット再送手段は、それぞれデータ解析部１５（Ｓ５５），衛星回線受信部５１，問い合わせ信号発生部５２，データ解析部１５（図１４のＳ３５）及びデータ解析部１５（図１３のＳ１７）に対応する。また、請求項１０のリンク確立応答手段はリンク確立応答信号発生部６２に対応する。
【０１４２】
この形態は、第２の実施の形態の変形例である。各図において、第２の実施の形態と対応する要素及び処理ステップについては同一の番号又は記号を付けて示してある。第２の実施の形態と共通の部分については、以下の説明を省略する。第２の実施の形態において、パケット送信対象のユーザ局の少なくとも１つが、継続的にパケット信号を受信できない状態であった場合、そのユーザ局はセンタ局からの問い合わせ信号に対してＡＣＫの応答信号を返すことができない。
【０１４３】
その場合、センタ局は通信のできない前記ユーザ局に対して問い合わせ信号の送出，応答信号の受信及びパケット信号の再送の処理を何度も繰り返し行うことになる。しかし、通信ができない状態にあるユーザ局に対して処理を行うことは無意味であり、パケット配信の効率低下につながる。
そこで、この形態では、データ送信に先立ってセンタ局と各ユーザ局との間で図４に示すようなリンク確立シーケンスを実行し、データ通信が可能な全てのユーザ局をコネクション確立ユーザ局として特定する。そして、センタ局からの問い合わせ信号の送出及びそれに対する応答信号の受信については、前記コネクション確立ユーザ局のみに限定する。
【０１４４】
図４のリンク確立シーケンスについて以下に説明する。センタ局の（ＲＭＴＰ）は、コネクション確立要求（Ｃｏｎｎ）に、転送するデータの大きさなどの情報を添付して全ユーザ宛に送信する（Ｓ５１）。
センタ局の（ＳＡＴ）は、コネクション確立要求の情報に、更に衛星回線を介したデータ送受信に利用する情報として、ユーザ局の送信及び受信回線情報（本実施例では回線情報として周波数を用いる）、データ受信に必要なフィルタリング情報及びデータ送信開始時刻情報を添付し、（Ｓａｔ−ｃｏｎｎ）として全ユーザ局に一斉配信を行う（Ｓ５２）。
【０１４５】
ユーザ局の（ＳＡＴ）では、受信した（Ｓａｔ−ｃｏｎｎ）の情報からデータ送受信に利用する周波数情報などを保持し、コネクション確立要求情報のみを当該ユーザ局の（ＲＭＴＰ）に転送する。
各ユーザ局の（ＲＭＴＰ）では、コネクション確立要求情報を受信すると自局の認証データを含む返答信号（Ｃｏｎｎ−ＡＣＫ）を（ＳＡＴ）に送信する。
【０１４６】
各ユーザ局の送出タイミングを決定する時間Ｔｕ１，Ｔｕ２に、それぞれセンタ局から信号が送出される。各ユーザ局の（ＳＡＴ）では、（ＲＭＴＰ）からの返答信号を自局が許可された時間帯（図４の「Ｔｕ１〜Ｔｕ１＋ｔｄ」又は「Ｔｕ２〜Ｔｕ２＋ｔｄ」）にセンタ局の（ＳＡＴ）へ送信する。
ユーザ局毎に異なる返答信号送信期間を指定することで、複数ユーザ局からの返答信号が衝突することを避けられる。センタ局の（ＳＡＴ）に到着した返答信号は、センタ局の（ＲＭＴＰ）に送信される。
【０１４７】
センタ局の（ＲＭＴＰ）では、各ユーザ局からの応答信号（Ｃｏｎｎ−ＡＣＫ）に含まれている認証データを用いてユーザ局の認証を行う（Ｓ５５）。この結果、正しく認証されたユーザ局との間でのみコネクションが確立される。
【０１４８】
これ以降の処理については、センタ局がパケット信号を配信する対象となるユーザ局が、図４のリンク確立シーケンスでコネクション確立されたユーザ局のみに限定される点を除いて、図１３のステップＳ１０，Ｓ２０以降の処理と同一である。
センタ局からの問い合わせ信号に対する各ユーザ局の応答のために確保する専用の応答回線についても、図４のリンク確立シーケンスでコネクション確立されたユーザ局のみについて割り当てられる。
【０１４９】
この形態では、図１０に示すように衛星センタ局１０にリンク確立信号発生部６１が追加してある。リンク確立信号発生部６１は、コネクション確立要求の信号（Ｓａｔ−ｃｏｎｎ）を衛星回線送信部１２を介して衛星回線に送出する。
各ユーザ局からの返答信号（Ｃｏｎｎ−ＡＣＫ）は、衛星回線受信部５１で受信される。なお、データ解析部１５が実行する動作には、図４に示すリンク確立シーケンスを実現するための処理が追加されている。その他の動作については、第２の実施の形態と同様である。
【０１５０】
また、図１１に示すように衛星ユーザ局３０にはリンク確立応答信号発生部６２，リンク確立信号抽出部６３及びリンク確立信号発生部６４が追加してある。リンク確立信号抽出部６３は、衛星回線受信部３１が衛星回線から受信した信号の中から、センタ局の送信したコネクション確立要求の信号（Ｓａｔ−ｃｏｎｎ）を抽出する。
【０１５１】
リンク確立信号発生部６４は、図４に示すコネクション確立要求情報（Ｃｏｎｎ）をＲＭＴＰユーザ局４０に対して送出する。リンク確立応答信号発生部６２は、返答信号（Ｃｏｎｎ−ＡＣＫ）を生成し、それを衛星回線送信部３２を介して衛星回線に送信する。
以下に、本発明のパケット到達確認方法及びセンタ局並びにユーザ局の様々な変形例について説明する。
【０１５２】
（変形例１−１）
この変形例は、第１の実施の形態の変形例であり、到達確認通信シーケンスが図１８に示すように変更される。想定するシステム全体の構成並びにセンタ局及びユーザ局の基本的な構成は第１の実施の形態と同じである。
【０１５３】
図１８に示す到達確認通信シーケンスの内容について以下に説明する。
図１８は、センタ局の１回のパケット配信動作で４つのパケット信号Ｄａｔａ（ｄ１）〜Ｄａｔａ（ｄ４）を連続的に送信する場合を示している。また、図１８における「○」及び「×」は、それぞれ各パケット信号の受信の成功及び失敗を表している。
【０１５４】
また、図１８において、センタ局の（ＲＭＴＰ）及び（ＳＡＴ）はそれぞれＲＭＴＰセンタ局２０及び衛星センタ局１０を表し、各ユーザ局の（ＲＭＴＰ）及び（ＳＡＴ）はそれぞれＲＭＴＰユーザ局４０及び衛星ユーザ局３０を表している。なお、図１８はユーザ局数が２の場合を示してあるが、ユーザ局が３以上であっても同様に処理できる。
【０１５５】
センタ局は、全てのユーザ局に共通のＭ個の応答用回線をバックワード回線上に確保する。回線数のＭ個は、次に連続的に送出するパケット信号の数（図１８の例では４）である。また確保するバックワード回線はパケット信号の配信開始直後に割り当てる。
センタ局はフォワード回線を用いてＭ個のパケット信号Ｄａｔａ（１）〜Ｄａｔａ（Ｍ）を連続的に送信する。図１８の例では、連続的に現れる４つのパケット信号Ｄａｔａ（ｄ１）〜Ｄａｔａ（ｄ４）が全てのユーザ局に同報配信されている。これらのパケット信号Ｄａｔａ（ｄ１）〜Ｄａｔａ（ｄ４）はユーザ局に受信される。但し、図１８の例ではフォワード回線の異常などの理由によりユーザ局（１）はパケット信号Ｄａｔａ（ｄ２）の受信に失敗し、ユーザ局（２）はパケット信号Ｄａｔａ（ｄ２）及びＤａｔａ（ｄ４）の受信に失敗している。
【０１５６】
ユーザ局では、各々のパケット信号に関する受信成功・失敗の情報を順次（ＲＭＴＰ）から（ＳＡＴ）に転送する。また、各パケット信号の送出後には、受信に失敗したパケット信号を特定する情報（例えばパケット番号）を含むＮＡＫ信号が（ＲＭＴＰ）から（ＳＡＴ）に転送される。
センタ局は、送出するＭ個のパケットのそれぞれについて、ユーザ局が応答信号を送出するためのタイミングを定めるＮＡＫ送出制御信号Ｃｏｎ−ＮＡＫをパケット信号の送出が開始された後に一定の間隔で順次送信する。図１８の例では、４つのパケット信号Ｄａｔａ（ｄ１）〜Ｄａｔａ（ｄ４）に対応する時間Ｔｄ１，Ｔｄ２，Ｔｄ３，Ｔｄ４のタイミングで、それぞれＮＡＫ送出制御信号Ｃｏｎ−ＮＡＫが出力されている。
【０１５７】
各ユーザ局では、受信に失敗したパケット信号に対応するタイミングで現れるＮＡＫ送出制御信号Ｃｏｎ−ＮＡＫを受信すると、ＮＡＫキャリア（Ｓａｔ−ＮＡＫ）を送出する。ＮＡＫキャリアは周波数が複数のユーザ局で共通になっている。
図１８の例では、センタ局はパケット信号Ｄａｔａ（ｄ２）をフォワード回線で送出した直後にパケット信号Ｄａｔａ（ｄ１）に対するＮＡＫ送出制御信号Ｃｏｎ−ＮＡＫを送信している。ＮＡＫ送出制御信号の送信間隔は、パケット信号送信間隔とは独立に一定の時間間隔（ｔｄ）に定めてあるため、パケット信号Ｄａｔａ（ｄ２）に対するＮＡＫ送出制御信号Ｃｏｎ−ＮＡＫはパケット信号Ｄａｔａ（ｄ４）を送信した後に送出されている。
【０１５８】
図１８の例では、ユーザ局（１）は２番目のパケット信号Ｄａｔａ（ｄ２）の受信に失敗しているので、時間Ｔｄ２で送出されるＮＡＫ送出制御信号Ｃｏｎ−ＮＡＫを受信したときに、ＮＡＫキャリア（Ｓａｔ−ＮＡＫ）を送出する。正しく受信できたパケット信号に対応する他のタイミングでは、キャリアは出力しない。
また、ユーザ局（２）はパケット信号Ｄａｔａ（ｄ２），Ｄａｔａ（ｄ４）の受信に失敗しているので、時間Ｔｄ２で送出されるＮＡＫ送出制御信号Ｃｏｎ−ＮＡＫを受信したとき、並びに時間Ｔｄ４で送出されるＮＡＫ送出制御信号Ｃｏｎ−ＮＡＫを受信したとき、ＮＡＫキャリア（Ｓａｔ−ＮＡＫ）を送出する。正しく受信できたパケット信号に対応する他のタイミングではキャリアは出力しない。
【０１５９】
図１８の例では、時間Ｔｄ２の直後にユーザ局（１）及びユーザ局（２）の送出したＮＡＫキャリア（Ｓａｔ−ＮＡＫ）がセンタ局に届き、時間Ｔｄ４の直後にユーザ局（２）の送出したＮＡＫキャリア（Ｓａｔ−ＮＡＫ）がセンタ局に届く。他のタイミングではセンタ局はＮＡＫキャリア（Ｓａｔ−ＮＡＫ）を検出しない。
この例では、センタ局はＮＡＫ送出制御信号Ｃｏｎ−ＮＡＫを送出してから時間ｔｄを経過するまでの間、各ユーザ局からのＮＡＫキャリア（Ｓａｔ−ＮＡＫ）の検出を行う。例えば、１番目に送出したパケット信号Ｄａｔａ（ｄ１）に対する応答については、時間Ｔｄ１から（Ｔｄ１＋ｔｄ）までの間に少なくとも１つのユーザ局からのＮＡＫキャリア（Ｓａｔ−ＮＡＫ）を受信した場合に、パケット信号Ｄａｔａ（ｄ１）に対する不達の応答信号を受信したとみなす。なお、ここでは衛星通信の伝播遅延時間は無視できるものと仮定している。
【０１６０】
Ｍ個の全てのパケット信号に対するユーザ局からの応答信号の受信タイミングが終了すると、センタ局ではＴｄ１〜（Ｔｄ１＋ｔｄ），Ｔｄ２〜（Ｔｄ２＋ｔｄ），・・・の各タイミングで検出したＮＡＫキャリア（Ｓａｔ−ＮＡＫ）の有無に基づいて、各パケット信号に関する送信の成否を識別する。
すなわち、ＮＡＫキャリア（Ｓａｔ−ＮＡＫ）を検出した場合には、そのタイミングに対応するパケット信号について少なくとも１つのユーザ局が受信に失敗していることがわかり、ＮＡＫキャリア（Ｓａｔ−ＮＡＫ）を検出しない場合には、そのタイミングに対応するパケット信号が全てのユーザ局に正しく届いたとみなすことができる。
【０１６１】
図１８の例では、ＮＡＫキャリア（Ｓａｔ−ＮＡＫ）の検出結果が「○×○×」になっているので、２番目のパケット信号Ｄａｔａ（ｄ２）及び４番目のパケット信号Ｄａｔａ（ｄ４）の配信に失敗していることが分かる。不達の応答信号であるＮＡＫキャリア（Ｓａｔ−ＮＡＫ）を検出したパケット信号が存在する場合には、センタ局は不達のパケット信号を連続的に再送する。
【０１６２】
図１８の例では、最初の送信で配信に失敗したパケット信号Ｄａｔａ（ｄ２）及びＤａｔａ（ｄ４）を再送処理によって再び送信している。再送によりセンタ局から送信されたパケット信号Ｄａｔａ（ｄ２）及びＤａｔａ（ｄ４）は、各ユーザ局で受信される。
センタ局及びユーザ局の構成については第１の実施の形態と同一である。但し、センタ局がＮＡＫ送出制御信号Ｃｏｎ−ＮＡＫの送出を開始するタイミング（Ｔｄ１）は、Ｍ個のパケット信号の送信が完了する前である。従って、Ｍ個のパケット信号の送信が完了する前であってもセンタ局は各ユーザ局からのＮＡＫキャリア（Ｓａｔ−ＮＡＫ）の監視を開始する。
【０１６３】
（変形例１−２，変形例１−３）
この変形例は、第１の実施の形態の変形例であり、到達確認通信シーケンスが図１９又は図２０に示すように変更される。想定するシステム全体の構成並びにセンタ局及びユーザ局の基本的な構成は第１の実施の形態と同じである。この変形例は請求項６，請求項７，請求項１８に対応する。
【０１６４】
この形態では、請求項１８のパケットグループ分割手段，バックワード回線割り当て手段，パケット送信手段，応答監視手段及び不達認識手段は、それぞれデータ解析部１５，ＮＡＫ送出制御信号発生部１４，衛星回線送信部１２，キャリア検出部１１及びＮＡＫキャリア判定部１３に対応する。
【０１６５】
なお、第１の実施の形態と共通の部分については以下の説明を省略する。
第１の実施の形態においては、センタ局では連続的に出力するＭ個のパケット信号Ｍ個に対して、各々のパケット信号に対応するＭ個のバックワード回線を確保している。しかし、バックワード回線を複数のユーザ局に共通に割り当てて応答時間の短縮を図る場合であっても、配信パケット信号数が増大する場合にはバックワード回線による応答時間が大きくなる可能性がある。
【０１６６】
そこで、この形態ではセンタ局が送出するＭ個のパケット信号をＹ個のパケット信号グループに分割する。各々のパケット信号グループには連続するＸ個のパケット信号を割り当てる。そして、ユーザ局のそれぞれがセンタ局に応答するためのバックワード回線を、パケット信号グループの数Ｙだけ割り当てる。
これにより、バックワード回線の数が削減され応答時間も短縮可能となる。さらに、センタ局においてユーザ局が不達応答するためのバックワード回線をパケットの配信途中でも割り当て可能にすることで、パケット信号配信開始から応答終了までの時間を短縮できる。
【０１６７】
ユーザ局では、センタ局が送出したパケット信号の中で正しく受信できなかったパケット信号があった場合には、正しく受信できなかったパケット信号が属するパケット信号グループに対応付けられたバックワード回線を利用して不達の応答信号を送出する。センタ局は、バックワード回線について応答信号を検出した場合にはそのバックワード回線に対応するパケット信号グループを正しく受信できなかったユーザ局の存在を認識し、該当パケット信号グループを再送する。
【０１６８】
以下、図１９，図２０に示す到達確認通信シーケンスの内容について以下に説明する。
なお、図１９，図２０のいずれの例においても、ユーザ局（１）が２番目のパケット信号Ｄａｔａ（ｄ２）の受信に失敗し、ユーザ局（２）が２番目のパケット信号Ｄａｔａ（ｄ２）と４番目のパケット信号Ｄａｔａ（ｄ４）の受信に失敗した場合が示されている。
【０１６９】
また、図１９の例ではセンタ局からのパケット信号送出が終了した後でバックワード回線を割り当てており、図２０の例ではパケット信号送出中にバックワード回線を割り当てている。
更に、図１９の例ではセンタ局（ＳＡＴ）は配信データＤａｔａ（ｄ１）〜Ｄａｔａ（ｄ４）を２つのパケット信号グループに区分し、各々のパケット信号グループには連続的に現れた２個のパケット信号をそれぞれ割り当てている。
【０１７０】
第１の実施の形態と同様に、データは全てのユーザ局に対して同時に配信される。センタ局は、ＮＡＫ送出制御信号Ｃｏｎ−ＮＡＫをパケット信号グループ毎に生成し、それを一定の時間間隔ｔｄで順次に送信する。
図１９の例では、パケット信号Ｄａｔａ（ｄ１），Ｄａｔａ（ｄ２）を１つのパケット信号グループに割り当て、パケット信号Ｄａｔａ（ｄ１）とＤａｔａ（ｄ２）に対応するＮＡＫ送出制御信号Ｃｏｎ−ＮＡＫ（Ａ）をＴｄ（Ａ）のタイミングで出力している。
【０１７１】
また、パケット信号Ｄａｔａ（ｄ３），Ｄａｔａ（ｄ４）をもう１つのパケット信号グループに割り当て、パケット信号Ｄａｔａ（ｄ３）とＤａｔａ（ｄ４）に対応するＮＡＫ送出制御信号Ｃｏｎ−ＮＡＫ（Ｂ）をＴｄ（Ｂ）のタイミングで出力している。
各ユーザ局では、ＮＡＫ送出制御信号を受信すると、それがどのパケット信号グループに対応するものかを認識し、受信に失敗したパケット信号が属するパケット信号グループに対応するタイミングで、ＮＡＫキャリア（Ｓａｔ−ＮＡＫ）を送出する。
【０１７２】
図１９の例では、ユーザ局（１）は１番目のパケット信号Ｄａｔａ（ｄ１）は正しく受信できたが、２番目のパケット信号Ｄａｔａ（ｄ２）の受信に失敗しているので、時間Ｔｄ（Ａ）で送出されるＮＡＫ送出制御信号Ｃｏｎ−ＮＡＫ（Ａ）を受信したときにＮＡＫキャリア（Ｓａｔ−ＮＡＫ）を送出する。次のパケット信号グループに含まれるパケット信号Ｄａｔａ（ｄ３），Ｄａｔａ（ｄ４）は何れも正しく受信できているので、ＮＡＫキャリアは出力しない。
【０１７３】
また、ユーザ局（２）はパケット信号Ｄａｔａ（ｄ２），Ｄａｔａ（ｄ４）の受信に失敗しているので、時間Ｔｄ（Ａ）で送出されるＮＡＫ送出制御信号Ｃｏｎ−ＮＡＫ（Ａ）を受信したとき、ならびに時間Ｔｄ（Ｂ）で送出されるＮＡＫ送出制御信号Ｃｏｎ−ＮＡＫ（Ｂ）を受信したときに、ＮＡＫキャリア（Ｓａｔ−ＮＡＫ）を送出する。図１９の例では、時間Ｔｄ（Ａ）の直後にユーザ局（１）及びユーザ局（２）の送出したキャリア（Ｓａｔ−ＮＡＫ）がセンタ局に届き、時間Ｔｄ（Ｂ）の直後にユーザ局（２）の送出したＮＡＫキャリア（Ｓａｔ−ＮＡＫ）がセンタ局に届く。
【０１７４】
センタ局では、各タイミングで検出したＮＡＫキャリア（Ｓａｔ−ＮＡＫ）の有無から、各パケット信号グループに関する送信の成否を識別する。図１９の例では、Ｓａｔ−ＮＡＫのパケット信号グループ毎の検出結果が「××」になっているので、Ｄａｔａ（ｄ１）とＤａｔａ（ｄ２）のいずれかあるいは両パケット信号のデータ配信に失敗し、またＤａｔａ（ｄ３）とＤａｔａ（ｄ４）のいずれかあるいは両パケット信号のデータ配信に失敗していることが分かる。
【０１７５】
センタ局では、パケット信号グループに属するパケット信号のいずれかが配信に失敗していると判定した場合には、このパケット信号グループを再送する。データ配信に失敗していると判定されるパケット信号グループが複数ある場合には、該当するパケット信号グループを連続的に再送する。
図１９の例では、Ｄａｔａ（ｄ１）〜Ｄａｔａ（ｄ４）をすべて再送している。図２０の例では、パケット信号Ｄａｔａ（ｄ２）をフォワード回線で送出した直後にパケット信号Ｄａｔａ（ｄ１）とパケット信号Ｄａｔａ（ｄ２）に対するＮＡＫ送出制御信号Ｃｏｎ−ＮＡＫ（Ａ）を送信している。
【０１７６】
ＮＡＫ送出制御信号の送信間隔は、パケット信号送信間隔とは独立に一定の時間間隔に定めてあるため、パケット信号Ｄａｔａ（ｄ３）及びＤａｔａ（ｄ４）に対するＮＡＫ送出制御信号Ｃｏｎ−ＮＡＫ（Ｂ）はパケット信号Ｄａｔａ（ｄ４）を送信した後に送出されている。
図２０の例においても、ＮＡＫ送出制御信号の送出タイミングの他は図１９の場合と同じ動作が実行される。
【０１７７】
センタ局の衛星センタ局１０の構成は第１の実施の形態と同様であり、図６のように構成されている。
図６のデータ解析部１５は、ＲＭＴＰ信号受信部１７を介してＲＭＴＰセンタ局２０からの信号を一定時間監視し続け、受信したパケット信号を衛星回線送信部１２に送信すると共に、送信したパケットの番号をＤＢ管理部１８に格納する。
【０１７８】
また、図１９の例ではデータ解析部１５はパケット信号を複数のパケット信号グループヘ分割し、パケット送信完了後にＮＡＫ送出制御信号発生部１４に対して、一定時間間隔（ｔｄ）でそれぞれのパケット信号グループに対応するＮＡＫ送出制御信号（Ｃｏｎ−ＡＣＫ）の送出を指示する。
図２０の例では、データ解析部１５はパケット信号を複数のパケット信号グループに分割し、パケット送信を開始した後に、一定時間間隔（ｔｄ）でそれぞれのパケット信号グループに対応するＮＡＫ送出制御信号（Ｃｏｎ−ＡＣＫ）の送出を指示する。
【０１７９】
一方、キャリア検出部１１でユーザ局からの不達の応答信号が送出されたと判定した場合、ＮＡＫ送出制御信号発生部１４より通知されたパケット信号グループ番号を含むＮＡＫパケットをデータ解析部１５に通知する。
データ解析部１５は、ＮＡＫキャリア判定部１３でＮＡＫパケットを受信した場合には、該当するパケット信号グループに属するパケット信号が全て不達であることをＤＢ管理部１８に記録する。
【０１８０】
データ解析部１５は、ＤＢ管理部１８のパケット到達結果を確認し、不達と判定されたパケット信号番号を全て含むユーザ毎のＮＡＫパケット（ＮＡＫ（ｕ１）、ＮＡＫ（ｕ２））をそれぞれ生成し、ＲＭＴＰ信号送信部１６へ通知する。各ユーザ局の衛星ユーザ局３０は、第１の実施の形態と同様に図７の用に構成されている。
【０１８１】
図７のデータ解析部３５は、ＲＭＴＰ信号受信部３７から受信した応答信号に含まれているパケット信号毎の情報を解析して、パケット番号毎にその到達結果を識別し、その情報をＮＡＫ対応表管理部３８に順次書き込む。ＮＡＫ対応表管理部３８は、不達になったパケット信号のパケット番号を管理する。
一方、各パケット信号グループに対応したタイミングで一定の間隔（ｔｄ）でセンタ局から送出されるＮＡＫ送出制御信号（Ｃｏｎ−ＮＡＫ）は、アンテナ３９ａを介して衛星回線受信部３１で受信され、ＮＡＫ送出制御信号抽出部３３で受信データ信号から抽出される。また、ＮＡＫ送出制御信号抽出部３３は、抽出したＮＡＫ送出制御信号に対応付けられたパケット信号グループを認識し、そのパケット信号グループに含まれるパケット番号をデータ解析部３５に通知する。
【０１８２】
データ解析部３５は、ＮＡＫ送出制御信号抽出部３３から通知された複数のパケット番号をＮＡＫ対応表管理部３８が保持する不達のパケット番号と比較する。不達のパケット番号と一致するパケット番号が１つでもＮＡＫ送出制御信号抽出部３３から通知された場合には、データ解析部３５はＮＡＫキャリア発生部３４に対してＮＡＫキャリアの送出を通知する。
【０１８３】
データ解析部３５からＮＡＫキャリアの送出通知を受けた場合には、ＮＡＫキャリア発生部３４は、不達の応答信号であるＮＡＫキャリア（Ｓａｔ−ＮＡＫ）を衛星回線送信部３２およびアンテナ３９ｂを介して衛星回線に送出する。すなわち、そのパケット信号グループに含まれる少なくとも１つのパケット信号が不達であったことをセンタ局に通知する。
【０１８４】
（変形例１−４，１−５，１−６）
この変形例は、第１の実施の形態の変形例である。到達確認通信シーケンスは図２１，図２２又は図２２に示すように変更される。想定するシステム全体の構成は第１の実施の形態と同じであるが、センタ局の構成及びユーザ局の構成は図３５及び図４１のように変更されている。
【０１８５】
なお、図３５及び図４１において第１の実施の形態と対応する要素は同一の符号を付けて示してある。第１の実施の形態と共通の部分については、以下の説明を省略する。
この変形例は、請求項８，請求項１９に対応する。
この形態では、請求項１９のユーザグループ分割手段，バックワード回線割り当て手段，パケット送信手段，応答監視手段，不達認識手段及び回線割り当て省略手段は、それぞれユーザグループ割当信号発生部２１，ＮＡＫ送出制御信号発生部１４，衛星回線送信部１２，キャリア検出部１１，ＮＡＫキャリア判定部１３及びＮＡＫ送出制御信号発生部１４に対応する。
【０１８６】
第１の実施の形態では、ユーザ局が使用するバックワード回線を全てのユーザ局に共通に割り当てている。しかし、降雨等の影響によりパケット信号の受信に失敗するユーザ局が多数発生した場合には、多数のユーザ局が同時に不達の応答信号を送出することになり、その応答信号の集中によってセンタ局及び無線中継装置における負荷が増大する。
【０１８７】
そこで、この形態では、多数のユーザ局を複数のユーザグループに分割し、ユーザグループ毎に不達の応答信号を送信するためのバックワード回線を割り当てる。これにより、不達の応答信号が集中する状況であっても、センタ局や無線回線中継置への負荷を分散し低減することができる。
ユーザ局においては、センタ局が送出したパケット信号の中に正しく受信できなかったパケット信号があった場合には、正しく受信できなかったパケット信号に対する不達の応答信号を、そのパケット信号に対応付けられ、かつ自局が属するユーザグループに対応付けられたバックワード回線を利用して送出する。
【０１８８】
センタ局は、バックワード回線でユーザ局からの応答信号を検出した場合にはそのバックワード回線に対応するパケット信号を正しく受信できなかったユーザ局の存在を認識し、該当するパケット信号を再送する。
また、センタ局は応答のためのバックワード回線をユーザグループ毎に時間区分で順次に割り当てる。さらに、各々のバックワード回線についてユーザ局からの応答信号を検出した場合には、同じパケット信号に対する別ユーザグループヘの応答回線割り当ては省略する。これにより、全ユーザグループに対して応答回線を割り当てる場合と比べて応答信号の監視に必要な時間を短縮できる。
【０１８９】
以下、図２１，図２２，図２３を参照して各局の動作を説明する。なお、図２１，図２２，図２３はセンタ局において複数のユーザ局をユーザグループ（Ａ）とユーザグループ（Ｂ）とに分割する場合を想定している。ユーザグループを表す情報（ＵｓｅｒＧｒ）はセンタ局から各ユーザ局に配信される。なお、ユーザ局であらかじめユーザグループを認識している場合には、ユーザグループ情報（ＵｓｅｒＧｒ）の配信は省略してもよい。
【０１９０】
図２１，図２２，図２３の例では、センタ局からＤａｔａ（ｄ１）〜Ｄａｔａ（ｄ４）の４つのパケット信号が配信され、ユーザ局（１）が２番目のパケット信号Ｄａｔａ（ｄ２）の受信に失敗し、ユーザ局（２）が２番目のパケット信号Ｄａｔａ（ｄ２）の受信に失敗し、ユーザ局（３）が２番目のパケット信号Ｄａｔａ（ｄ２）と３番目のパケット信号Ｄａｔａ（ｄ３）の受信に失敗した場合が示されている。
【０１９１】
また、図２１，図２２の例では、センタ局（ＳＡＴ）はユーザ局（１）とユーザ局（２）をグループ（Ａ）に割り当て、ユーザ局（３）をグループ（Ｂ）に割り当てている。なお、この例では周波数が同じ通信回線上に時間分割で複数の独立した回線を確保して、ユーザグループ毎に独立した複数の応答用の回線を割り当てている。
【０１９２】
データの配信については、第１の実施の形態と同様に全てのユーザ局に対して同時に行われる。
センタ局は、ＮＡＫ送出制御信号Ｃｏｎ−ＮＡＫをパケット信号に対してそれぞれユーザグループ毎に生成し、一定の時間間隔ｔｄで順次に送信する。図２１の例では、パケット信号Ｄａｔａ（ｄ１）に対するＮＡＫ送出制御信号をユーザグループ（Ａ）に対してはＴｄ１（Ａ）のタイミングで出力し、ユーザグループ（Ｂ）に対してはＴｄ１（Ｂ）のタイミングで出力している。
【０１９３】
同様に、Ｄａｔａ（ｄ２）に対するＮＡＫ送出制御信号については、はユーザグループ（Ａ）に対してはＴｄ２（Ａ）のタイミングで出力し、ユーザグループ（Ｂ）に対してはＴｄ２（Ｂ）のタイミングで出力している。また、Ｄａｔａ（ｄ３）に対するＮＡＫ送出制御信号についてはユーザグループ（Ａ）に対してはＴｄ３（Ａ）のタイミングで出力し、ユーザグループ（Ｂ）に対してはＴｄ３（Ｂ）のタイミングで出力している。Ｄａｔａ（ｄ４）に対するＮＡＫ送出制御信号については、ユーザグループ（Ａ）に対してはＴｄ４（Ａ）のタイミングで出力し、ユーザグループ（Ｂ）に対してはＴｄ４（Ｂ）のタイミングで出力している。
【０１９４】
各ユーザ局では、ＮＡＫ送出制御信号を受信すると、それがどのパケット信号でどのユーザグループに対応するものかを認識し、自局が所属するユーザグループでかつ受信に失敗したパケット信号に対応するタイミングの場合に、ＮＡＫキャリア（Ｓａｔ−ＮＡＫ）を送出する。
図２１の例では、ユーザグループ（Ａ）に所属するユーザ局（１）は２番目のパケット信号Ｄａｔａ（ｄ２）の受信に失敗しているので、時間Ｔｄ２（Ａ）で送出されるＮＡＫ送出制御信号Ｃｏｎ−ＮＡＫを受信したときにＮＡＫキャリア（Ｓａｔ−ＮＡＫ）を送出する。
【０１９５】
正しく受信できたパケット信号に対するＮＡＫ送出制御信号Ｃｏｎ−ＮＡＫ及びユーザグループ（Ａ）以外のユーザグループに対するＮＡＫ送出制御信号Ｃｏｎ−ＮＡＫを受信した場合にはＮＡＫキャリアは出力しない。また、ユーザグループ（Ａ）に所属するユーザ局（２）もユーザ局（１）と同様、２番目のパケット信号Ｄａｔａ（ｄ２）の受信に失敗しているので、時間Ｔｄ２（Ａ）で送出されるＮＡＫ送出制御信号Ｃｏｎ−ＮＡＫを受信したときにＮＡＫキャリア（Ｓａｔ−ＮＡＫ）を送出する。
【０１９６】
ユーザグループ（Ｂ）に所属するユーザ局（３）は２番目のパケット信号Ｄａｔａ（ｄ２）と３番目のパケット信号Ｄａｔａ（ｄ３）の受信に失敗しているので、時間Ｔｄ２（Ｂ）と時間Ｔｄ３（Ｂ）で送出されるＮＡＫ送出制御信号Ｃｏｎ−ＮＡＫを受信したときにＮＡＫキャリア（Ｓａｔ−ＮＡＫ）を送出する。
図２１の例では、時間Ｔｄ２（Ａ）の直後にユーザ局（１）及びユーザ局（２）の送出したキャリア（Ｓａｔ−ＮＡＫ）がセンタ局に届き、時間Ｔｄ２（Ｂ）の直後と時間Ｔｄ３（Ｂ）の直後にユーザ局（３）の送出したキャリア（Ｓａｔ−ＮＡＫ）がセンタ局に届く。
【０１９７】
センタ局では各タイミングで検出したＮＡＫキャリア（Ｓａｔ−ＮＡＫ）の有無に基づき、各パケット信号に関する送信の成否を識別する。図２１の例では、少なくとも１つのユーザグループからＮＡＫキャリアを検出したＳａｔ−ＮＡＫの検出結果が「○××○」になっているので、２番目のパケット信号Ｄａｔａ（ｄ２）と３番目のパケット信号Ｄａｔａ（ｄ３）の配信に失敗していることが分かる。
【０１９８】
センタ局では、不達の応答信号であるＮＡＫキャリア（Ｓａｔ−ＮＡＫ）を検出したパケット信号が存在する場合には、不達のパケット信号を連続的に再送する。
図２２の例では、２番目のパケット信号Ｄａｔａ（ｄ２）に対するユーザグループ（Ａ）への応答時間中にＮＡＫキャリアを検出しているので、Ｄａｔａ（ｄ２）に対するユーザグループ（Ｂ）へのＮＡＫ送出制御信号の送出を省略している。
【０１９９】
センタ局では、あるパケット信号に対する不達の応答信号を１つでも受信すれば、そのパケット信号を正しく受信できなかったユーザ局の存在を認識し、そのパケット信号を再送するので、他のユーザグループでこのパケット信号を正しく受信できなかった場合でも問題は生じない。
図２２のシーケンスでは、ＮＡＫ送出制御信号の省略以外については図２１のシーケンスと同じ動作が実行される。
【０２００】
図２３の例では、センタ局（ＳＡＴ）はユーザ局（１）及びユーザ局（２）をユーザグループ（Ａ）に割り当て、ユーザ局（３）をユーザグループ（Ｂ）に割り当てている。また、各ユーザ局が応答するための複数の回線として、周波数分割によりユーザグループ毎に複数の独立した回線を割り当ててある。
データの配信については、第１の実施の形態と同様に全てのユーザ局に同時に配信される。センタ局は、ＮＡＫ送出制御信号Ｃｏｎ−ＮＡＫを一定の時間間隔ｔｄで順次に送信する。
【０２０１】
各ユーザ局では、ＮＡＫ送出制御信号を受信すると、受信に失敗したパケット信号に対応するタイミングで、自局のユーザグループに割り当てられた周波数の応答回線上にＮＡＫキャリア（Ｓａｔ−ＮＡＫ）を送出する。
図２３の例では、ユーザグループ（Ａ）に所属するユーザ局（１）は２番目のパケット信号Ｄａｔａ（ｄ２）の受信に失敗しているので、時間Ｔｄ２で送出されるＮＡＫ送出制御信号Ｃｏｎ−ＮＡＫを受信したときに、そのユーザグループ（Ａ）に割り当てられた周波数の回線上にＮＡＫキャリア（Ｓａｔ−ＮＡＫ）を送出する。
【０２０２】
また、ユーザグループ（Ａ）に所属するユーザ局（２）についてもユーザ局（１）と同様に２番目のパケット信号Ｄａｔａ（ｄ２）の受信に失敗しているので、時間Ｔｄ２で送出されるＮＡＫ送出制御信号Ｃｏｎ−ＮＡＫを受信したときにそのユーザグループ（Ａ）に割り当てられた周波数の回線上にＮＡＫキャリア（Ｓａｔ−ＮＡＫ）を送出する。
【０２０３】
ユーザグループ（Ｂ）に所属するユーザ局（３）については、２番目のパケット信号Ｄａｔａ（ｄ２）及び３番目のパケット信号Ｄａｔａ（ｄ３）の受信に失敗しているので、時間Ｔｄ２及び時間Ｔｄ３で送出されるＮＡＫ送出制御信号Ｃｏｎ−ＮＡＫを受信したときに、そのユーザグループ（Ｂ）に割り当てられた周波数の回線上にＮＡＫキャリア（Ｓａｔ−ＮＡＫ）を送出する。
【０２０４】
図２３の例では、時間Ｔｄ２の直後、周波数（Ａ）の回線を介してユーザ局（１）及びユーザ局（２）の送出したキャリア（Ｓａｔ−ＮＡＫ）がセンタ局に届き、時間Ｔｄ２及び時間Ｔｄ３の直後、周波数（Ｂ）の回線を介してユーザ局（３）の送出したキャリア（Ｓａｔ−ＮＡＫ）がセンタ局に届く。
センタ局では各周波数と各タイミングで検出したＮＡＫキャリア（Ｓａｔ−ＮＡＫ）の有無に基づき、各パケット信号に関する送信の成否を識別する。図２３の例では、少なくとも１つのユーザグループからＮＡＫキャリアを検出したＳａｔ−ＮＡＫの検出結果が「○××○」になっているので、２番目のパケット信号Ｄａｔａ（ｄ２）及び３番目のパケット信号Ｄａｔａ（ｄ３）の配信に失敗していることが分かる。センタ局では、不達の応答信号であるＮＡＫキャリア（Ｓａｔ−ＮＡＫ）を検出したパケット信号が存在する場合には、不達のパケット信号を連続的に再送する。
【０２０５】
この形態では、図３８に示すようにセンタ局の衛星センタ局１０は、キャリア検出部１１，衛星回線送信部１２，ＮＡＫキャリア判定部１３，ＮＡＫ送出制御信号発生部１４，データ解析部１５，ＲＭＴＰ信号送信部１６，ＲＭＴＰ信号受信部１７，ＤＢ管理部１８，ユーザグループ割当信号発生部２１，アンテナ１９ａ，１９ｂで構成されている。
【０２０６】
データ解析部１５は、ＲＭＴＰ信号受信部１７を介してＲＭＴＰセンタ局２０からの信号を一定時間監視し続け、受信したパケット信号を衛星回線送信部１２に送信すると共に、送信したパケットの番号をＤＢ管理部１８に格納する。
また、図２１〜図２３の例ではデータ解析部１５は複数のユーザ局を複数のユーザグループに分割するとともに、ユーザグループ割当信号発生部に対してユーザグループ情報（ＵｓｅｒＧｒ）の送出を指示する。
【０２０７】
また、図２１の例ではデータ解析部１５はパケット送信完了後、ＮＡＫ送出制御信号発生部１４に対して、一定時間間隔（ｔｄ）でそれぞれのユーザグループに対応しかつパケット信号に対応するＮＡＫ送出制御信号（Ｃｏｎ−ＡＣＫ）の送出を指示する。
【０２０８】
図２２の例では、データ解析部１５はあるパケット信号に対するＮＡＫキャリアを検出した場合には、他のユーザグループに対するＮＡＫ送出制御信号の送出は省略し、次のパケット信号に対するＮＡＫ送出信号（Ｃｏｎ−ＡＣＫ）の送出を指示する。
また、図２３の例ではデータ解析部１５はパケットの送信完了後にＮＡＫ送出制御信号発生部１４に対して、一定時間間隔（ｔｄ）でそれぞれのパケット信号に対応するＮＡＫ送出制御信号（Ｃｏｎ−ＡＣＫ）の送出を指示する。
【０２０９】
一方、キャリア検出部１１でユーザ局からの不達の応答信号が送出されたと判定した場合、ＮＡＫ送出制御信号発生部１４より通知されたパケット信号番号を含むＮＡＫパケットをデータ解析部１５に通知する。
データ解析部１５は、ＮＡＫキャリア判定部１３でＮＡＫパケットを受信した場合には、該当するパケット信号が不達であることをＤＢ管理部１８に記録する。また、データ解析部１５はＤＢ管理部１８のパケット到達結果を確認し、不達と判定されたパケット信号番号を含むユーザ毎のＮＡＫパケット（ＮＡＫ（ｕ１）、ＮＡＫ（ｕ２））をそれぞれ生成し、ＲＭＴＰ信号送信部１６へ通知する。
【０２１０】
一方、図４１に示すように、各ユーザ局の衛星ユーザ局３０は衛星回線受信部３１，衛星回線送信部３２，ＮＡＫ送出制御信号抽出部３３，ＮＡＫキャリア発生部３４，データ解析部３５，ＲＭＴＰ信号送信部３６，ＲＭＴＰ信号受信部３７，ＮＡＫ対応表管理部３８，ユーザグループ割当信号抽出部４１，アンテナ３９ａ，３９ｂで槽成されている。
【０２１１】
データ解析部３５は、ＲＭＴＰ信号受信部３７から受信した応答信号に含まれている情報を解析して、パケット番号毎にその到達結果を識別し、その情報をＮＡＫ対応表管理部３８に書き込む。ＮＡＫ対応表管理部３８は、不達になったパケット信号のパケット番号を管理する。
【０２１２】
一方、センタ局から送出されるユーザグループ惰報（ＵｓｅｒＧｒ）は、アンテナ３９ａを介して衛星回線受信部３１で受信され、ユーザグループ割当信号抽出部４１で受信データ信号から抽出される。そして、自局が割り当てられたユーザグループ番号がデータ解析部３５に通知される。
また、各パケット信号と各ユーザグループに対応したタイミングで一定の間隔（ｔｄ）でセンタ局から送出されるＮＡＫ送出制御信号（Ｃｏｎ−ＮＡＫ）は、アンテナ３９ａを介して衛星回線受信部３１で受信され、ＮＡＫ送出制御信号抽出部３３で受信データ信号から抽出される。
【０２１３】
また、図２１，図２２の例では、ＮＡＫ送出制御信号抽出部３３は、抽出したＮＡＫ送出制御信号に対応付けられたパケット番号及びユーザグループを認識し、そのパケット番号をデータ解析部３５に通知する。
データ解析部３５は、ＮＡＫ送出制御信号抽出部３３から通知されたパケット番号及びユーザグループ番号をＮＡＫ対応表管理部３８が保持する不達のパケット番号と比較する。自局のユーザグループ番号でかつ不達のパケット番号と一致するパケット番号がＮＡＫ送出制御信号抽出部３３から通知された場合には、データ解析部３５はＮＡＫキャリア発生部３４に対してＮＡＫキャリアの送出を通知する。
【０２１４】
データ解析部３５からＮＡＫキャリアの送出通知を受けた場合には、ＮＡＫキャリア発生部３４は、不達の応答信号であるＮＡＫキャリア（Ｓａｔ−ＮＡＫ）を衛星回線送信部３２及びアンテナ３９ｂを介して衛星回線に送出する。すなわち、そのパケット信号が不達であったことをセンタ局に通知する。
図２３の例では、ＮＡＫ送出制御信号抽出部３３は、抽出したＮＡＫ送出制御信号に対応付けられたパケット信号を認識し、そのパケット番号をデータ解析部３５に通知する。データ解析部３５は、ＮＡＫ送出制御信号抽出部３３から通知されたパケット番号をＮＡＫ対応表管理部３８が保持する不達のパケット番号と比較する。
【０２１５】
不達のパケット番号と一致するパケット番号がＮＡＫ送出制御信号抽出部３３から通知された場合には、データ解析部３５はＮＡＫキャリア発生部３４に対してＮＡＫキャリアの送出を通知する。データ解析部３５からＮＡＫキャリアの送出通知を受けた場合には、ＮＡＫキャリア発生部３４は、不達の応答信号であるＮＡＫキャリア（Ｓａｔ−ＮＡＫ）をユーザグループ毎に割り当てられた周波数を利用して衛星回線送信部３２およびアンテナ３９ｂを介して衛星回線に送出する。すなわち、そのパケット信号が不達であったことをセンタ局に通知する。
【０２１６】
（変形例１−７〜１−１０）
この変形例は、第１の実施の形態の変形例である。到達確認通信シーケンスは図２４，図２５，図２６又は図２７に示すように変更される。想定するシステム全体の構成は第１の実施の形態と同じであるが、センタ局の構成及びユーザ局の構成は図３５及び図４１のように変更されている。第１の実施の形態と共通の部分については、以下の説明を省略する。
【０２１７】
この変形例は、請求項９，請求項１０，及び請求項２０に対応する。
この形態では、請求項２０のユーザグループ分割手段，パケットグループ分割手段，バックワード回線割り当て手段，パケット送信手段，応答監視手段，不達認識手段及び回線割り当て省略手段は、それぞれユーザグループ割当信号発生部２１，データ解析部１５，ＮＡＫ送出制御信号発生部１４，衛星回線送信部１２，キャリア検出部１１，ＮＡＫキャリア判定部１３及びＮＡＫ送出制御信号発生部１４に対応する。
【０２１９】
この形態では、前記変形例１−２，１−３と同様に、センタ局が連続的に送出するＭ個のパケット信号をＹ個のパケット信号グループに分割し、各々のユーザ局がセンタ局に応答するためのバックワード回線をパケット信号グループの数Ｙだけ割り当てる。また、前記変形例１−４〜１−６と同様に、ユーザ局を複数のユーザグループに分割し、ユーザグループ毎に不達の応答信号を送信するためのバックワード回線を割り当てる。
【０２２０】
ユーザ局では、センタ局が送出したパケット信号の中で正しく受信できなかったパケット信号があった場合には、正しく受信できなかったパケット信号のパケット信号グループに属しかつ自局が属するユーザグループに対応付けられたバックワード回線を利用して不達の応答信号を送出する。
センタ局は、バックワード回線について応答信号を検出した場合には、そのバックワード回線に対応するパケット信号グループを正しく受信できなかったユーザ局の存在を認識して該当パケット信号グループを再送する。
【０２２１】
また、応答のためのバックワード回線をユーザグループ毎に時間区分で順次に割り当て、かつ各々のバックワード回線について応答信号を検出した場合には、同じパケット信号に対する別ユーザグループヘの応答回線割り当てを省略する。これにより、全ユーザグループに対して応答回線を割り当てる場合と比べて応答信号の監視に必要な時間を短縮できる。
【０２２２】
以下、図２４〜図２７を参照して各局の動作を説明する。
なお、図２４〜図２７のいずれのシーケンスにおいても、センタ局にてユーザ局をユーザグループ（Ａ）及びユーザグループ（Ｂ）に分割し、そのユーザグループを表す情報（ＵｓｅｒＧｒ）がセンタ局から配信される。ユーザ局で予めユーザグループを認識している場合には、ユーザグループ情報（ＵｓｅｒＧｒ）の配信は省略してもよい。
【０２２３】
図２４，図２６の例では、センタ局にて配信データＤａｔａ（ｄ１）〜Ｄａｔａ（ｄ４）の中で連続的に現れる２つのパケット信号をそれぞれが含む２つのパケット信号グループにパケットを分割している。
図２４，図２６の例では、センタ局からＤａｔａ（ｄ１）〜Ｄａｔａ（ｄ４）の４つのパケット信号が配信され、さらにユーザ局（１）が２番目のパケット信号Ｄａｔａ（ｄ２）の受信に失敗し、ユーザ局（２）が２番目のパケット信号Ｄａｔａ（ｄ２）の受信に失敗し、ユーザ局（３）が２番目のパケット信号Ｄａｔａ（ｄ２）及び３番目のパケット信号Ｄａｔａ（ｄ３）の受信に失敗した場合が示されている。
【０２２４】
図２４，図２６の例では、センタ局（ＳＡＴ）はユーザ局（１）及びユーザ局（２）をグループ（Ａ）に割り当て、ユーザ局（３）をグループ（Ｂ）に割り当て、各ユーザグループ毎の応答用回線を同じ周波数の回線上に時間区分で割り当てた場合を想定している。
データ配信については、第１の実施の形態と同様に全てのユーザ局に同時に配信される。図２４の例では、センタ局からのパケット信号送出が終了した後でバックワード回線を割り当てているが、図２６の例ではパケット信号の送出が完了する前にバックワード回線を割り当てている。
【０２２５】
センタ局は、ＮＡＫ送出制御信号Ｃｏｎ−ＮＡＫをパケット信号グループ毎に、並びに各々のユーザグループ毎に生成し、一定の時間間隔ｔｄで順次に送信する。図２４の例では、パケット信号Ｄａｔａ（ｄ１）及びＤａｔａ（ｄ２）に対するＮＡＫ送出制御信号を、ユーザグループ（Ａ）に対してはＴｄ（Ｘ，Ａ）のタイミングで出力し、ユーザグル一プ（Ｂ）に対してはＴｄ（Ｘ，Ｂ）のタイミングで出力している。
【０２２６】
同様に、パケット信号Ｄａｔａ（ｄ３）及びＤａｔａ（ｄ４）に対するＮＡＫ送出制御信号は、ユーザグループ（Ａ）に対してはＴｄ（Ｙ，Ａ）のタイミングで出力し、ユーザグループ（Ｂ）に対してはＴｄ（Ｙ，Ｂ）のタイミングで出力している。
各ユーザ局では、ＮＡＫ送出制御信号を受信すると、それがどのパケット信号グループに属し、かつどのユーザグループに対応するものかを認識し、自局が所属するユーザグループに対応し、かつ受信に失敗したパケット信号が属するパケット信号グループに対応するタイミングで、ＮＡＫキャリア（Ｓａｔ−ＮＡＫ）を送出する。
【０２２７】
図２４の例では、ユーザグループ（Ａ）に所属するユーザ局（１）は１番目のパケット信号Ｄａｔａ（ｄ１）は正しく受信できたが、２番目のパケット信号Ｄａｔａ（ｄ２）の受信に失敗しているので、時間Ｔｄ（Ｘ，Ａ）で送出されるＮＡＫ送出制御信号Ｃｏｎ−ＮＡＫを受信したときにＮＡＫキャリア（Ｓａｔ−ＮＡＫ）を送出する。次のパケット信号グループに含まれるパケット信号Ｄａｔａ（ｄ３），Ｄａｔａ（ｄ４）については、何れも正しく受信できているのでＮＡＫキャリアは出力しない。
【０２２８】
また、ユーザグループ（Ａ）以外のユーザグループに対するＮＡＫ送出制御信号Ｃｏｎ−ＮＡＫを受信した場合には、ＮＡＫキャリアは出力しない。また、ユーザグループ（Ａ）に所属するユーザ局（２）もユーザ局（１）と同様に、２番目のパケット信号Ｄａｔａ（ｄ２）の受信に失敗しているので、時間Ｔｄ（Ｘ，Ａ）ＧｒＡで送出されるＮＡＫ送出制御信号Ｃｏｎ−ＮＡＫを受信したときにＮＡＫキャリア（Ｓａｔ−ＮＡＫ）を送出する。
【０２２９】
ユーザグループ（Ｂ）に所属するユーザ局（３）は、２番目のパケット信号Ｄａｔａ（ｄ２）及び３番目のパケット信号Ｄａｔａ（ｄ３）の受信に失敗しているので、時間Ｔｄ（Ｘ，Ｂ）及び時間Ｔｄ（Ｙ，Ｂ）で送出されるＮＡＫ送出制御信号Ｃｏｎ−ＮＡＫを受信したときにＮＡＫキャリア（Ｓａｔ−ＮＡＫ）を送出する。
図２４の例では、時間Ｔｄ（Ｘ，Ａ）の直後にユーザ局（１）及びユーザ局（２）の送出したキャリア（Ｓａｔ−ＮＡＫ）がセンタ局に届き、時間Ｔｄ（Ｘ，Ｂ）の直後及び時間Ｔｄ（Ｙ，Ｂ）の直後にユーザ局（３）の送出したキャリア（Ｓａｔ−ＮＡＫ）がセンタ局に届く。
【０２３０】
センタ局では、各タイミングで検出したＮＡＫキャリア（Ｓａｔ−ＮＡＫ）の有無から、各パケット信号グループに関する送信の成否を識別する。図２４の例では、少なくとも１つのユーザグループからＮＡＫキャリアを検出したＳａｔ−ＮＡＫのパケット信号グループ毎の検出結果が「××」になっているので、Ｄａｔａ（ｄ１）及びＤａｔａ（ｄ２）のいずれかあるいは両パケット信号について配信に失敗し、またＤａｔａ（ｄ３）及びＤａｔａ（ｄ４）のいずれかあるいは両パケット信号の配信に失敗していることが分かる。
【０２３１】
センタ局では、パケット信号グループに属するパケット信号のいずれかが配信に失敗していると判定した場合には、このパケット信号グループを再送する。配信に失敗していると判定されるパケット信号グループが複数ある場合には、該当するパケット信号グループを連続的に再送する。
図２４の例では、Ｄａｔａ（ｄ１）〜Ｄａｔａ（ｄ４）をすべて再送している。また、図２４の例ではＤａｔａ（ｄ１）及びＤａｔａ（ｄ２）に対するユーザグループ（Ａ）への応答時間中にＮＡＫキャリアを検出しているので、Ｄａｔａ（ｄ１）及びＤａｔａ（ｄ２）に対するユーザグループ（Ｂ）へのＮＡＫ送出制御信号の送出は省略している。
【０２３２】
センタ局では、あるパケット信号グループに対する不達の応答信号を１つでも受信すれば、そのパケット信号グループを正しく受信できなかったユーザ局の存在を認識し、このパケット信号グループを再送する。従って、他のユーザグループでこのパケット信号を正しく受信できなかった場合でも問題は生じない。図２６の例では、パケット信号Ｄａｔａ（ｄ２）をフォワード回線で送出した直後にパケット信号Ｄａｔａ（ｄ１）及びパケット信号Ｄａｔａ（ｄ２）に対するユーザグループ（Ａ）へのＮＡＫ送出制御信号Ｃｏｎ−ＮＡＫを送信している。
【０２３３】
ＮＡＫ送出制御信号の送信間隔は、パケット信号送信間隔とは独立に一定の時間間隔に定めてあるので、パケット信号Ｄａｔａ（ｄ１）及びパケット信号Ｄａｔａ（ｄ２）に対するユーザグループ（Ｂ）へのＮＡＫ送出制御信号Ｃｏｎ−ＮＡＫは、パケット信号Ｄａｔａ（ｄ４）を送信した後で送出されている。
【０２３４】
図２６のシーケンスにおいても、ＮＡＫ送出制御信号の送出タイミングの他は図２４のシーケンスと同じ動作が実行される。
図２５，図２７の例では、センタ局（ＳＡＴ）はユーザ局（１）及びユーザ局（２）をユーザグループ（Ａ）に割り当て、ユーザ局（３）をユーザグループ（Ｂ）に割り当てている。また、各ユーザグループ毎の応答用の回線は、を互いに周波数が異なる回線上に割り当てられている。データ配信については、第１の実施の形態と同様に全てのユーザ局に同時に配信される。
【０２３５】
図２５の例では、センタ局からのパケット信号送出が終了した後でバックワード回線を割り当てているが、図２７の例ではパケット信号の送出途中でバックワード回線を割り当てている。
センタ局は、ＮＡＫ送出制御信号Ｃｏｎ−ＮＡＫをパケット信号グループ毎に生成し、一定の時間間隔ｔｄで順次に送信する。各ユーザ局では、ＮＡＫ送出制御信号を受信すると、それがどのパケット信号グループに対応するものかを認識し、受信に失敗したパケット信号が属するパケット信号グループに対応するタイミングで、自局のユーザグループに割り当てられた周波数の応答回線上にＮＡＫキャリア（Ｓａｔ−ＮＡＫ）を送出する。
【０２３６】
図２５の例では、ユーザグループ（Ａ）に所属するユーザ局（１）は１番目のパケット信号Ｄａｔａ（ｄ１）は正しく受信できたが、２番目のパケット信号Ｄａｔａ（ｄ２）の受信に失敗しているので、時間Ｔｄ（Ｘ）で送出されるＮＡＫ送出制御信号Ｃｏｎ−ＮＡＫを受信したときにユーザグループ（Ａ）に割り当てた周波数の応答回線上にＮＡＫキャリア（Ｓａｔ−ＮＡＫ）を送出する。
【０２３７】
また、ユーザグループ（Ａ）に所属するユーザ局（２）もユーザ局（１）と同様に、２番目のパケット信号Ｄａｔａ（ｄ２）の受信に失敗しているので、時間Ｔｄ（Ｘ）で送出されるＮＡＫ送出制御信号Ｃｏｎ−ＮＡＫを受信したときにユーザグループ（Ａ）に割り当てた周波数の応答回線上にＮＡＫキャリア（Ｓａｔ−ＮＡＫ）を送出する。
【０２３８】
ユーザグループ（Ｂ）に所属するユーザ局（３）は、２番目のパケット信号Ｄａｔａ（ｄ２）及び３番目のパケット信号Ｄａｔａ（ｄ３）の受信に失敗しているので、時間Ｔｄ（Ｘ）及び時間Ｔｄ（Ｙ）で送出されるＮＡＫ送出制御信号Ｃｏｎ−ＮＡＫを受信したときにユーザグループ（Ｂ）に割り当てた周波数の応答回線上にＮＡＫキャリア（Ｓａｔ−ＮＡＫ）を送出する。
【０２３９】
図２５の例では、時間Ｔｄ（Ｘ）の直後に、ユーザグループ（Ａ）に割り当てた周波数の応答回線を介して、ユーザ局（１）及びユーザ局（２）の送出したキャリア（Ｓａｔ−ＮＡＫ）がセンタ局に届く。また、時間Ｔｄ（Ｘ）及び時間Ｔｄ（Ｙ）の直後に、ユーザグループ（Ｂ）に割り当てた周波数の応答回線を介して、ユーザ局（３）の送出したキャリア（Ｓａｔ−ＮＡＫ）がセンタ局に届く。
【０２４０】
センタ局では各応答回線の周波数と各タイミングで検出したＮＡＫキャリア（Ｓａｔ−ＮＡＫ）の有無とに基づいて、各パケット信号グループに関する送信の成否を識別する。
図２５の例では、少なくとも１つのユーザグループからＮＡＫキャリアを検出したＳａｔ−ＮＡＫのパケット信号グループ毎の検出結果が「××」になっているので、Ｄａｔａ（ｄ１），Ｄａｔａ（ｄ２）のいずれかあるいは両パケット信号の配信に失敗し、Ｄａｔａ（ｄ３），Ｄａｔａ（ｄ４）のいずれかあるいは両パケット信号の配信に失敗していることが分かる。
【０２４１】
図２７の例では、パケット信号Ｄａｔａ（ｄ２）をフォワード回線で送出した直後にパケット信号Ｄａｔａ（ｄ１）及びパケット信号Ｄａｔａ（ｄ２）に対するＮＡＫ送出制御信号Ｃｏｎ−ＮＡＫを送信している。ＮＡＫ送出制御信号の送信間隔は、パケット信号送信間隔とは独立に一定の時間間隔に定めてあるので、パケット信号Ｄａｔａ（ｄ３）及びパケット信号Ｄａｔａ（ｄ４）に対するＮＡＫ送出制御信号Ｃｏｎ−ＮＡＫはパケット信号Ｄａｔａ（ｄ４）を送信した後に送出されている。
【０２４２】
図２７のシーケンスにおいても、ＮＡＫ送出制御信号の送出タイミングの他は図２５のシーケンスと同じ動作が実行される。
この形態では、図３５に示すようにセンタ局の衛星センタ局１０は、キャリア検出部１１，衛星回線送信部１２，ＮＡＫキャリア判定部１３，ＮＡＫ送出制御信号発生部１４，データ解析部１５，ＲＭＴＰ信号送信部１６，ＲＭＴＰ信号受信部１７，ＤＢ管理部１８，ユーザグループ割当信号発生部２１，アンテナ１９ａ，１９ｂで構成されている。
【０２４３】
データ解析部１５は、ＲＭＴＰ信号受信部１７を介してＲＭＴＰセンタ局２０からの信号を一定時間監視し続け、受信したパケット信号を衛星回線送信部１２に送信すると共に、送信したパケットの番号をＤＢ管理部１８に格納する。
また、図２４〜図２７の例では、データ解析部１５はユーザ局を複数のユーザグループに分割し、ユーザグループ割当信号発生部に対して、ユーザグループ情報（ＵｓｅｒＧｒ）の送出を指示する。
【０２４４】
また、図２４，図２６の例では、データ解析部１５はパケット信号を複数のパケット信号グル一プに分割し、パケット送信開始後にＮＡＫ送出制御信号発生部１４に対して一定の時間間隔（ｔｄ）でそれぞれのユーザグループ及びパケット信号グループに対応するＮＡＫ送出制御信（Ｃｏｎ−ＡＣＫ）の送出を指示する。
また、図２５，図２７の例では、データ解析部１５はパケット送信開始後に、ＮＡＫ送出制御信号発生部１４に対して一定時間間隔（ｔｄ）でそれぞれのパケット信号グループに対応するＮＡＫ送出制御信号（Ｃｏｎ−ＡＣＫ）の送出を指示する。
【０２４５】
一方、キャリア検出部１１においてユーザ局からの不達の応答信号が送出されたと判定した場合、ＮＡＫ送出制御信号発生部１４より通知されたパケット信号グループ番号を含むＮＡＫパケットをデータ解析部１５に通知する。
また、データ解析部１５はあるパケット信号グループに対するＮＡＫキャリアを検出した場合には、他のユーザグループに対するＮＡＫ送出制御信号の送出は省略して、次のパケット信号グループに対するＮＡＫ送出信号（Ｃｏｎ−ＡＣＫ）の送出を指示する。
【０２４６】
データ解析部１５は、ＮＡＫキャリア判定部１３でＮＡＫパケットを受信した場合には、該当するパケット信号グループに属するパケット信号が全て不達であることをＤＢ管理部１８に記録する。データ解析部１５は、ＤＢ管理部１８のパケット到達結果を確認し、不達と判定されたパケット信号番号を全て含むユーザ毎のＮＡＫパケット（ＮＡＫ（ｕ１）、ＮＡＫ（ｕ２））をそれぞれ生成し、ＲＭＴＰ信号送信部１６へ通知する。
【０２４７】
一方、図４１に示すように、各ユーザ局の衛星ユーザ局３０は衛星回線受信部３１，衛星回線送信部３２，ＮＡＫ送出制御信号抽出部３３，ＮＡＫキャリア発生部３４，データ解析部３５，ＲＭＴＰ信号送信部３６，ＲＭＴＰ信号受信部３７，ＮＡＫ対応表管理部３８，ユーザグループ割当信号抽出部４１，アンテナ３９ａ，３９ｂで構成されている。
【０２４８】
データ解析部３５は、ＲＭＴＰ信号受信部３７から受信した応答信号に含まれている情報を解析して、パケット番号毎にその到達結果を識別し、その情報をＮＡＫ対応表管理部３８に書き込む。ＮＡＫ対応表管理部３８は、不達になったパケット信号のパケット番号を管理する。
一方、センタ局から送出されるユーザグループ情報（ＵｓｅｒＧｒ）は、アンテナ３９ａを介して衛星回線受信部３１で受信され、ユーザグループ割当信号抽出部４１で受信データ信号から抽出される。そして、自局が割り当てられたユーザグループ番号がデータ解析部３５に通知される。
【０２４９】
また、各パケット信号グループと各ユーザグループに対応したタイミングで一定の時間間隔（ｔｄ）でセンタ局から送出されるＮＡＫ送出制御信号（Ｃｏｎ−ＮＡＫ）は、アンテナ３９ａを介して衛星回線受信部３１で受信され、ＮＡＫ送出制御信号抽出部３３で受信データ信号から抽出される。
図２４，図２６の例では、ＮＡＫ送出制御信号抽出部３３は、抽出したＮＡＫ送出制御信号に対応付けられたパケット信号グループ及びユーザグループを認識し、そのパケット信号グループに含まれるパケット番号をデータ解析部３５に通知する。
【０２５０】
データ解析部３５は、ＮＡＫ送出制御信号抽出部３３から通知された複数のパケット番号及びユーザグループ番号をＮＡＫ対応表管理部３８が保持する不達のパケット番号及び自局のユーザグループ番号と比較する。自局のユーザグループ番号と一致しかつ不達のパケット番号と一致するパケット番号が１つでもＮＡＫ送出制御信号抽出部３３から通知された場合には、データ解析部３５はＮＡＫキャリア発生部３４に対してＮＡＫキャリアの送出を指示する。
【０２５１】
データ解析部３５からＮＡＫキャリアの送出通知を受けた場合には、ＮＡＫキャリア発生部３４は、不達の応答信号であるＮＡＫキャリア（Ｓａｔ−ＮＡＫ）を衛星回線送信部３２およびアンテナ３９ｂを介して衛星回線に送出する。すなわち、そのパケット信号グループに含まれるパケット信号の少なくとも１つが不達であったことをセンタ局に通知する。
【０２５２】
また図２５，図２７の例では、ＮＡＫ送出制御信号抽出部３３は、抽出したＮＡＫ送出制御信号に対応付けられたパケット信号グループを認識し、そのパケット信号グループに含まれるパケット番号をデータ解析部３５に通知する。データ解析部３５は、ＮＡＫ送出制御信号抽出部３３から通知された複数のパケット番号をＮＡＫ対応表管理部３８が保持する不達のパケット番号と比較する。
【０２５３】
不達のパケット番号と一致するパケット番号が１つでもＮＡＫ送出制御信号抽出部３３から通知された場合には、データ解析部３５はＮＡＫキャリァ発生部３４に対してＮＡＫキャリアの送出を通知する。
データ解析部３５からＮＡＫキャリアの送出通知を受けた場合には、ＮＡＫキャリア発生部３４は、不達の応答信号であるＮＡＫキャリア（Ｓａｔ−ＮＡＫ）をユーザグループ毎に割り当てられた周波数を利用して衛星回線送信部３２およびアンテナ３９ｂを介して衛星回線に送出する。すなわち、そのパケット信号グル一プに含まれるパケット信号の少なくとも１つが不達であったことをセンタ局に通知する。
【０２５４】
（変形例１−１１）
この変形例は、第１の実施の形態の変形例である。到達確認通信シーケンスは図２８に示すように変更される。想定するシステム全体の構成は第１の実施の形態と同じであるが、センタ局の構成及びユーザ局の構成は図３６及び図４２のように変更されている。
【０２５５】
なお、図３６，図４２において、第１の実施の形態と対応する要素には同一の符号を付けて示してある。第１の実施の形態と共通の部分については、以下の説明を省略する。
この変形例は、請求項１１，請求項２１に対応する。
この形態では、請求項２１のサンプル局割り当て手段，バックワード回線割り当て手段，パケット送信手段，応答監視手段及び不達認識手段は、それぞれサンプル局割当信号発生部２２，ＮＡＫ送出制御信号発生部１４，衛星回線送信部１２，キャリア検出部１１及びＮＡＫキャリア判定部１３に対応する。
【０２５６】
第１の実施の形態では、ユーザ局が使用するバックワード回線を全てのユーザ局に共通に割り当てている。しかし、降雨等の影響によりパケット信号の受信に失敗するユーザ局が多数発生した場合には、多数のユーザ局が同時に不達の応答信号を送出することになり、不達の応答信号の集中によりセンタ局及び無線中継装置にかかる負荷の増大が問題になる。
【０２５７】
そこで、この形態では、全ユーザ局の中からその一部分（Ｗ局）をサンプルユーザ局として割り当て、サンプルユーザ局のそれぞれが不達の応答信号を送信するためのバックワード回線を割り当てる。サンプルユーザ局以外のユーザ局については、正しく受信できなかった場合であっても不達の応答信号を送出することはない。これにより、不達の応答信号が集中する状況であっても、センタ局や無線回線中継装置にかかる負荷を分散し低減することができる。
【０２５８】
ユーザ局では、センタ局が送出したパケット信号の中で正しく受信できなかったパケット信号があった場合には、サンプルユーザ局のみが正しく受信できなかったパケット信号に対応付けられたバックワード回線を利用して不達の応答信号を送出する。
センタ局は、バックワード回線について応答信号を検出した場合にはそのバックワード回線に対応するパケット信号を正しく受信できなかったユーザ局の存在を認識し、該当するパケット信号を再送する。
【０２５９】
以下、図２８を参照して各局の動作を説明する。
図２８の例では、センタ局でサンプルユーザ局を指定する。指定されたサンプルユーザ局を表すサンプル局情報（Ｓ−Ｕｓｅｒ）がセンタ局からユーザ局に配信される。なお、ユーザ局で予めサンプルユーザ局を認識している場合には、サンプル局惰報の配信を省略してもよい。
【０２６０】
図２８の例では、ユーザ局（１）がサンプルユーザ局として割り当てられている。また、ユーザ局（１）が２番目のパケット信号Ｄａｔａ（ｄ２）の受信に失敗し、ユーザ局（２）が２番目のパケット信号Ｄａｔａ（ｄ２）及び４番目のパケット信号Ｄａｔａ（ｄ４）の受信に失敗した場合が示されている。
センタ局は、ＮＡＫ送出制御信号Ｃｏｎ−ＮＡＫを一定の時間間隔ｔｄで順次に送信する。各ユーザ局においては、ＮＡＫ送出制御信号を受信すると、受信に失敗したパケット信号に対応するタイミングで、サンプルユーザ局のみがＮＡＫキャリア（Ｓａｔ−ＮＡＫ）を送出する。
【０２６１】
図２８の例では、サンプルユーザ局であるユーザ局（１）は２番目のパケット信号Ｄａｔａ（ｄ２）の受信に失敗しているので、時間Ｔｄ２で送出されるＮＡＫ送出制御信号Ｃｏｎ−ＮＡＫを受信したときにＮＡＫキャリア（Ｓａｔ−ＮＡＫ）を送出する。
また、サンプルユーザ局以外のユーザ局（２）は、パケット信号Ｄａｔａ（ｄ２），Ｄａｔａ（ｄ４）の受信に失敗しているにもかかわらず、ＮＡＫキャリアを送出することはない。
【０２６２】
図２８の例では、時間Ｔｄ２の直後にユーザ局（１）の送出したキャリア（Ｓａｔ−ＮＡＫ）がセンタ局に届く。センタ局では、各タイミングで検出したＮＡＫキャリア（Ｓａｔ−ＮＡＫ）の有無から、各パケット信号に関する送信の成否を識別する。図２８の例では、Ｓａｔ−ＮＡＫの検出結果が「○×○○」になっているので、２番目のパケット信号Ｄａｔａ（ｄ２）の配信に失敗していることが分かる。センタ局ではパケット信号が配信に失敗していると判定した場合には、このパケット信号を連続的に再送する。図２８の例では、Ｄａｔａ（ｄ２）を再送している。
【０２６３】
この形態でば、図３６に示すようにセンタ局の衛星センタ局１０は、キャリア検出部１１，衛星回線送信部１２，ＮＡＫキャリア判定部１３，ＮＡＫ送出制御信号発生部１４，データ解析部１５，ＲＭＴＰ信号送信部１６，ＲＭＴＰ信号受信部１７，ＤＢ管理部１８，サンプル局割当信号発生部２２，アンテナ１９ａ，１９ｂで構成されている。
【０２６４】
データ解析部１５は、ＲＭＴＰ信号受信部１７を介してＲＭＴＰセンタ局２０からの信号を一定時間監視し続け、受信したパケット信号を衛星回線送信部１２に送信すると共に、送信したパケットの番号をＤＢ管理部１８に格納する。また、図２８の例ではデータ解析部１５はユーザ局からサンプルユーザ局を決定し、サンプル局割当信号発生部２２に対して、サンプル局情報（Ｓ−Ｕｓｅｒ）の送出を指示する。
【０２６５】
また、パケット送信の完了後にデータ解析部１５はＮＡＫ送出制御信号発生部１４に対して、一定時間間隔（ｔｄ）でそれぞれのパケット信号グループに対応するＮＡＫ送出制御信号（Ｃｏｎ−ＡＣＫ）の送出を指示する。一方、キャリア検出部１１でユーザ局からの不達の応答信号が送出されたと判定した場合、ＮＡＫ送出制御信号発生部１４より通知されたパケット信号番号を含むＮＡＫパケットをデータ解析部１５に通知する。
【０２６６】
データ解析部１５は、ＮＡＫキャリア判定部１３でＮＡＫパケットを受信した場合には、該当するパケット信号が不達であることをＤＢ管理部１８に記録する。データ解析部１５は、ＤＢ管理部１８のパケット到達結果を確認し、不達と判定されたパケット信号の番号を含むユーザ毎のＮＡＫパケット（ＮＡＫ（ｕ１）、ＮＡＫ（ｕ２））をそれぞれ生成し、ＲＭＴＰ信号送信部１６へ通知する。
【０２６７】
一方、図４２に示すように、各ユーザ局の衛星ユーザ局３０は衛星回線受信部３１，衛星回線送信部３２，ＮＡＫ送出制御信号抽出部３３，ＮＡＫキャリア発生部３４，データ解析部３５，ＲＭＴＰ信号送信部３６，ＲＭＴＰ信号受信部３７，ＮＡＫ対応表管理部３８，サンプル局割当信号抽出部４２，アンテナ３９ａ，３９ｂで構成されている。
【０２６８】
データ解析部３５は、ＲＭＴＰ信号受信部３７から受信した応答信号に含まれている情報を解析して、パケット番号毎にその到達結果を識別し、その情報をＮＡＫ対応表管理部３８に書き込む。
ＮＡＫ対応表管理部３８は、不達になったパケット信号のパケット番号を管理する。一方、センタ局から送出されるサンプル局情報（Ｓ−Ｕｓｅｒ）は、アンテナ３９ａを介して衛星回線受信部３１で受信され、サンプル局割当信号発生部で受信データ信号から抽出される。そして、自局がサンプル局か否かがデータ解析部３５に通知される。
【０２６９】
各パケット信号に対応したタイミングで一定の間隔（ｔｄ）でセンタ局から送出されるＮＡＫ送出制御信号（Ｃｏｎ−ＮＡＫ）は、アンテナ３９ａを介して衛星回線受信部３１で受信され、ＮＡＫ送出制御信号抽出部３３で受信データ信号から抽出される。
【０２７０】
また、ＮＡＫ送出制御信号抽出部３３は、抽出したＮＡＫ送出制御信号に対応付けられたパケット信号を認識し、そのパケット信号番号をデータ解析部３５に通知する。データ解析部３５は、ＮＡＫ送出制御信号抽出部３３から通知されたパケット番号をＮＡＫ対応表管理部３８が保持する不達のパケット番号と比較する。自局がサンプルユーザ局でありしかも不達のパケット番号と一致するパケット番号がＮＡＫ送出制御信号抽出部３３から通知された場合には、データ解析部３５はＮＡＫキャリア発生部３４に対してＮＡＫキャリアの送出を通知する。
【０２７１】
データ解析部３５からＮＡＫキャリアの送出通知を受けた場合には、ＮＡＫキャリア発生部３４は、不達の応答信号であるＮＡＫキャリア（Ｓａｔ−ＮＡＫ）を衛星回線送信部３２およびアンテナ３９ｂを介して衛星回線に送出する。すなわち、そのパケット信号が不達であったことをセンタ局に通知する。
（変形例１−１２，１−１３）
この変形例は、第１の実施の形態の変形例である。到達確認通信シーケンスは図２９又は図３０に示すように変更される。想定するシステム全体の構成は第１の実施の形態と同じであるが、センタ局の構成及びユーザ局の構成は図３６及び図４２のように変更されている。
【０２７２】
なお、図３６，図４２において、第１の実施の形態と対応する要素には同一の符号を付けて示してある。第１の実施の形態と共通の部分については、以下の説明を省略する。
この変形例は、請求項１２，請求項１３，及び請求項２２に対応する。
【０２７３】
この形態では、請求項２２のサンプル局割り当て手段，パケットグループ分割手段，バックワード回線割り当て手段，パケット送信手段，応答監視手段及び不達認識手段は、それぞれサンプル局割当信号発生部２２，データ解析部１５，ＮＡＫ送出制御信号発生部１４，衛星回線送信部１２，キャリア検出部１１及びＮＡＫキャリア判定部１３に対応する。
【０２７４】
第１の実施の形態では、ユーザ局が使用するバックワード回線を全てのユーザ局に共通に割り当てている。しかし、降雨等の影響によりパケット信号の受信に失敗するユーザ局が多数発生した場合、多数のユーザ局が同時に不達の応答信号を送出することになり、不達の応答信号の集中によりセンタ局及び無線回線中継装置にかかる負荷が増大する。
【０２７５】
また、第１の実施の形態では、センタ局では連続的に出力するＭ個のパケット信号に対して、各々のパケット信号に対応するＭ個のバックワード回線を確保する。しかし、複数のユーザ局に共通に割り当てることで応答時間の短縮を図る場合であっても、配信するパケット信号の数が増大する場合にはバックワード回線による応答時間が大きくなる可能性がある。
【０２７６】
そこで、この形態では前記変形例１−１１と同様に、全ユーザ局の中からその一部分（Ｗ局）をサンプルユーザ局として割り当て、サンプルユーザ局のそれぞれが不達の応答信号を送信するためのバックワード回線を割り当てる。サンプルユーザ局以外のユーザ局については、正しく受信できなかった場合であっても不達の応答信号を送出することはない。これにより、不達の応答信号が集中する状況であっても、センタ局や無線回線中継装置にかかる負荷を分散し低減することができる。
【０２７７】
更に、この形態では前記変形例１−２と同様に、センタ局が送出するＭ個のパケット信号をＹ個のパケット信号グループに分割する。各々のパケット信号グループには連続するＸ個のパケット信号を割り当てる。そして、ユーザ局のそれぞれがセンタ局に応答するためのバックワード回線を、パケット信号グループの数Ｙだけ割り当てる。
【０２７８】
これにより、バックワード回線の数が削減され応答時間も短縮可能となる。さらに、センタ局においてユーザ局が不達応答するためのバックワード回線をパケットの配信途中でも割り当て可能にすることで、パケット信号配信開始から応答終了までの時間を短縮できる。
ユーザ局ではセンタ局が送出したパケット信号の中で正しく受信できなかったパケット信号があった場合には、サンプルユーザ局のみが正しく受信できなかったパケット信号が属するパケット信号グループに対応付けられたバックワード回線を利用して不達の応答信号を送出する。
【０２７９】
センタ局は、バックワード回線について応答信号を検出した場合にはそのバックワード回線に対応するパケット信号グループを正しく受信できなかったユーザ局の存在を認識し、該当するパケット信号グループを再送する。
以下、図２９，図３０を参照して各局の動作を説明する。なお、図２９及び図３０の例ではセンタ局でサンプルユーザ局を指定している。また、指定されたサンプルユーザ局を示すサンプル局情報（Ｓ−Ｕｓｅｒ）がセンタ局から配信される。なお、ユーザ局で予めサンプル局を認識している場合には、サンプル局情報の配信を省略してもよい。
【０２８０】
図２９，図３０の例では、ユーザ局（１）がサンプル局として割り当てられている。また、ユーザ局（１）が２番目のパケット信号Ｄａｔａ（ｄ２）の受信に失敗し、ユーザ局（２）が２番目のパケット信号Ｄａｔａ（ｄ２）及び４番目のパケット信号Ｄａｔａ（ｄ４）の受信に失敗した場合が示されている。
図２９の例では、センタ局からのパケット信号送出が終了した後でバックワード回線を割り当てているが、図３０の例ではパケット信号の送出途中でバックワード回線を割り当てている。
【０２８１】
図２９の例では、センタ局（ＳＡＴ）は配信データＤａｔａ（ｄ１）〜Ｄａｔａ（ｄ４）を２つのパケット信号グループに分割し、各々のパケット信号グループには連続的に現れる２個のパケット信号を割り当てている。
また、ユーザ局（１）がサンプルユーザ局として割り当てられている。データ配信については、第１の実施の形態と同様に全てのユーザ局に同時に配信される。センタ局は、ＮＡＫ送出制御信号Ｃｏｎ−ＮＡＫをパケット信号グループ毎に生成し、一定の時間間隔ｔｄで順次に送信する。
【０２８２】
図２９の例では、パケット信号Ｄａｔａ（ｄ１）及びＤａｔａ（ｄ２）に対するＮＡＫ送出制御信号をＴｄ（Ａ）のタイミングで出力し、パケット信号Ｄａｔａ（ｄ３）及びＤａｔａ（ｄ４）に対するＮＡＫ送出制御信号をＴｄ（Ｂ）のタイミングで出力している。
各サンプルユーザ局では、ＮＡＫ送出制御信号を受信すると、それがどのパケット信号グループに対応するものかを認識し、受信に失敗したパケット信号が属するパケット信号グループに対応するタイミングで、ＮＡＫキャリア（Ｓａｔ−ＮＡＫ）を送出する。
【０２８３】
図２９の例では、サンプル局であるユーザ局（１）は１番目のパケット信号Ｄａｔａ（ｄ１）は正しく受信できたが、２番目のパケット信号Ｄａｔａ（ｄ２）の受信に失敗しているので、時間Ｔｄ（Ａ）で送出されるＮＡＫ送出制御信号Ｃｏｎ−ＮＡＫを受信したときにＮＡＫキャリア（Ｓａｔ−ＮＡＫ）を送出する。
次のパケット信号グループ（Ｂ）に含まれるパケット信号Ｄａｔａ（ｄ３），Ｄａｔａ（ｄ４）については、何れも正しく受信できているので、ＮＡＫキャリアは出力しない。また、サンプルユーザ局でないユーザ局（２）についてはパケット信号Ｄａｔａ（ｄ２），Ｄａｔａ（ｄ４）の受信に失敗しているが、ＮＡＫキャリア（Ｓａｔ−ＮＡＫ）は送出しない。
【０２８４】
図２９の例では、時間Ｔｄ（Ｂ）の直後にユーザ局（１）の送出したキャリア（Ｓａｔ−ＮＡＫ）がセンタ局に届く。センタ局では、各タイミングで検出したＮＡＫキャリア（Ｓａｔ−ＮＡＫ）の有無から、各パケット信号グループに関する送信の成否を識別する。
図２９の例では、Ｓａｔ−ＮＡＫのパケット信号グループ毎の検出結果が「×○」になっているので、Ｄａｔａ（ｄ１）及びＤａｔａ（ｄ２）のいずれかあるいは両パケット信号の配信に失敗していることが分かる。センタ局ではパケット信号グループに属するパケット信号のいずれかが配信に失敗していると判定した場合には、このパケット信号グループを再送する。
【０２８５】
図２９の例では、Ｄａｔａ（ｄ１），Ｄａｔａ（ｄ２）のパケット信号を再送している。図３０の例では、パケット信号Ｄａｔａ（ｄ２）をフォワード回線で送出した直後にパケット信号Ｄａｔａ（ｄ１）及びパケット信号Ｄａｔａ（ｄ２）に対するＮＡＫ送出制御信号Ｃｏｎ−ＮＡＫを送信している。
ＮＡＫ送出制御信号の送信間隔は、パケット信号送信間隔とは独立に一定の時間間隔に定めてあるので、パケット信号Ｄａｔａ（ｄ３）及びパケット信号Ｄａｔａ（ｄ４）に対するＮＡＫ送出制御信号Ｃｏｎ−ＮＡＫについては、パケット信号Ｄａｔａ（ｄ４）を送信した後に送出されている。
【０２８６】
図３０のシーケンスについては、ＮＡＫ送出制御信号の送出タイミングの他は図２９のシーケンスと同じ動作が実行される。
この形態では、図３６に示すようにセンタ局の衛星センタ局１０は、キャリア検出部１１，衛星回線送信部１２，ＮＡＫキャリア判定部１３，ＮＡＫ送出制御信号発生部１４，データ解析部１５，ＲＭＴＰ信号送信部１６，ＲＭＴＰ信号受信部１７，ＤＢ管理部１８，サンプル局割当信号発生部２２，アンテナ１９ａ，１９ｂで構成されている。
【０２８７】
データ解析部１５は、ＲＭＴＰ信号受信部１７を介してＲＭＴＰセンタ局２０からの信号を一定時間監視し続け、受信したパケット信号を衛星回線送信部１２に送信すると共に、送信したパケットの番号をＤＢ管理部１８に格納する。
【０２８８】
また、図２９の例ではデータ解析部１５はサンプルユーザ局を決定し、サンプル局割当の信号発生に対して、サンプル局情報（Ｓ−Ｕｓｅｒ）の送出を指示する。また、データ解析部１５はパケット信号を複数のパケット信号グループに分割し、パケット送信終了後に、ＮＡＫ送出制御信号発生部１４に対して、一定時間間隔（ｔｄ）でそれぞれのパケット信号グループに対応するＮＡＫ送出制御信号（Ｃｏｎ−ＡＣＫ）の送出を指示する。
【０２８９】
図３０の例では、データ解析部１５はサンプル局を決定し、サンプル局割当に関する信号発生に対してサンプル局情報（Ｓ−Ｕｓｅｒ）の送出を指示する。またデータ解析部１５はパケット信号を複数のパケット信号グループに分割し、パケット送信を開始した後に一定時間間隔（ｔｄ）でそれぞれのパケット信号グループに対応するＮＡＫ送出制御信号（Ｃｏｎ−ＡＣＫ）の送出を指示する。
【０２９０】
一方、キャリア検出部１１でユーザ局からの不達の応答信号が送出されたと判定した場合、ＮＡＫ送出制御信号発生部１４より通知されたパケット信号グループ番号を含むＮＡＫパケットをデータ解析部１５に通知する。データ解析部１５は、ＮＡＫキャリア判定部１３でＮＡＫパケットを受信した場合には、該当するパケット信号グループに属するパケット信号が全て不達であることをＤＢ管理部１８に記録する。
【０２９１】
データ解析部１５は、ＤＢ管理部１８のパケット到達結果を確認し、不達と判定されたパケット信号番号を全て含むユーザ毎のＮＡＫパケット（ＮＡＫ（ｕ１）、ＮＡＫ（ｕ２））をそれぞれ生成し、ＲＭＴＰ信号送信部１６へ通知する。一方、図４２に示すように、各ユーザ局の衛星ユーザ局３０は衛星回線受信部３１，衛星回線送信部３２，ＮＡＫ送出制御信号抽出部３３，ＮＡＫキャリア発生部３４，データ解析部３５，ＲＭＴＰ信号送信部３６，ＲＭＴＰ信号受信部３７，ＮＡＫ対応表管理部３８，サンプル局割当信号抽出部４２，アンテナ３９ａ，３９ｂで構成されている。
【０２９２】
データ解析部３５は、ＲＭＴＰ信号受信部３７から受信した応答信号に含まれているパケット信号毎の情報を解析して、パケット番号毎にその到達結果を識別し、その情報をＮＡＫ対応表管理部３８に順次に書き込む。ＮＡＫ対応表管理部３８は、不達になったパケット信号のパケット番号を管理する。
一方、センタ局から送出されるサンプル局惰報（Ｓ−Ｕｓｅｒ）は、アンテナ３９ａを介して衛星回線受信部３１で受信され、サンプル局割当信号抽出部４２で受信データ信号から抽出される。そして、自局がサンプルユーザ局か否かをデータ解析部３５に通知する。
【０２９３】
各パケット信号グループに対応したタイミングで一定の間隔（ｔｄ）でセンタ局から送出されるＮＡＫ送出制御信号（Ｃｏｎ−ＮＡＫ）は、アンテナ３９ａを介して衛星回線受信部３１で受信され、ＮＡＫ送出制御信号抽出部３３で受信データ信号から抽出される。
また、ＮＡＫ送出制御信号抽出部３３は、抽出したＮＡＫ送出制御信号に対応付けられたパケット信号グループを認識し、そのパケット信号グループに含まれるパケット番号をデータ解析部３５に通知する。
【０２９４】
各パケット信号に対応したタイミングで一定の間隔（ｔｄ）でセンタ局から送出されるＮＡＫ送出制御信号（Ｃｏｎ−ＮＡＫ）は、アンテナ３９ａを介して衛星回線受信部３１で受信され、ＮＡＫ送出制御信号抽出部３３で受信データ信号から抽出される。データ解析部３５は、ＮＡＫ送出制御信号抽出部３３から通知された複数のパケット番号をＮＡＫ対応表管理部３８が保持する不達のパケット番号と比較する。
【０２９５】
自局がサンプルユーザ局でかつ不達のパケット番号と一致するパケット番号が１つでもＮＡＫ送出制御信号抽出部３３から通知された場合には、データ解析部３５はＮＡＫキャリア発生部３４に対してＮＡＫキャリアの送出を通知する。データ解析部３５からＮＡＫキャリアの送出通知を受けた場合には、ＮＡＫキャリア発生部３４は、不達の応答信号であるＮＡＫキャリア（Ｓａｔ−ＮＡＫ）を衛星回線送信部３２およびアンテナ３９ｂを介して衛星回線に送出する。すなわち、そのパケット信号グループに含まれるパケット信号のすくなくとも１つが不達であったことをセンタ局に通知する。
【０２９６】
（変形例１−１４）
この変形例は、第１の実施の形態の変形例である。到達確認通信シーケンスは図３１に示すように変更される。想定するシステム全体の構成は第１の実施の形態と同じであるが、センタ局の構成及びユーザ局の構成は図３７及び図４３のように変更されている。
【０２９７】
なお、図３７，図４３において、第１の実施の形態と対応する要素には同一の符号を付けて示してある。第１の実施の形態と共通の部分については、以下の説明を省略する。
この変形例は、請求項１４，請求項２３に対応する。
この形態では、請求項２３の受信状況認識手段はユーザ局受信状況抽出部２４に対応する。
【０２９８】
第１の実施の形態では、ユーザ局が使用するバックワード回線を全てのユーザ局に共通に割り当てている。しかし、降雨等の影響によりパケット信号の受信に失敗するユーザ局が多数発生した場合、多数のユーザ局が同時に不達の応答信号を送出することになり、不達の応答信号の集中によりセンタ局や無線回線中継置にかかる負荷が増大する。
【０２９９】
そこで、この形態では、ユーザ局においてパケット信号受信状況が悪化した場合に、不達の応答信号を送信する動作を中断する。そして、再度受信状況が復活した場合には不達の応答信号の送信動作を再開する。さらに、パケット信号の受信状況が悪化した場合や受信状況が回復した場合には、それをセンタ局に通知する。これにより、受信状況が悪化した場合であっても、不達の応答信号が集中するのを回避することができ、センタ局や無線回線中継装置への負荷を分散し低減することができる。
【０３００】
ユーザ局では、センタ局が送出したパケット信号の中で正しく受信できなかったパケット信号があった場合には、正しく受信できなかったパケット信号に対応付けられたバックワード回線を利用して不達の応答信号を送出する。また、連続してパケット信号の受信に失敗した場合のように、パケット信号の受信状況が悪化した場合には、不達の応答信号の送出動作を中断する。
【０３０１】
不達の応答信号の送出動作を中断している間であっても、パケットの受信は継続して行う。また、受信状況が回復した場合には、応答信号の送信を再開し、正しく受信できなかったパケット信号に対応付けられたバックワード回線を利用して不達の応答信号を送出する。
また、ユーザ局はパケットの受信状況をセンタ局へ通知する。センタ局は、バックワード回線について応答信号を検出した場合にはそのバックワード回線に対応するパケット信号を正しく受信できなかったユーザ局の存在を認識し、該当するパケット信号を再送する。また、ユーザ局からのパケット受信状況の通知信号を受信した場合には、それによって該当するユーザ局の受信状況を把握する。
【０３０２】
以下、図３１を参照して各局の動作を説明する。なお、図３１においては、ユーザ局（１）が２番目のパケット信号Ｄａｔａ（ｄ２）の受信に失敗し、ユーザ局（２）が２番目のパケット信号Ｄａｔａ（ｄ２）から４番目のパケット信号Ｄａｔａ（ｄ４）までの受信に失敗した場合の例が示されている。
センタ局は、ＮＡＫ送出制御信号Ｃｏｎ−ＮＡＫを一定の時間間隔ｔｄで順次に送信する。各ユーザ局では、ＮＡＫ送出制御信号を受信すると、受信に失敗したパケット信号に対応するタイミングでＮＡＫキャリア（Ｓａｔ−ＮＡＫ）を送出する。
【０３０３】
図３１の例では、ユーザ局（１）は２番目のパケット信号Ｄａｔａ（ｄ２）の受信に失敗しているので、時間Ｔｄ２で送出されるＮＡＫ送出制御信号Ｃｏｎ−ＮＡＫを受信したときにＮＡＫキャリア（Ｓａｔ−ＮＡＫ）を送出する。また、ユーザ局（２）はパケット信号Ｄａｔａ（ｄ２）〜Ｄａｔａ（ｄ４）の受信に失敗しているため、パケット受信状況が悪化していると判定し、ＮＡＫキャリアの送出を中断している。また、ユーザ局（２）は受信状況悪化に関する通知信号をセンタ局に対して出力する。
【０３０４】
図３１の例では、時間Ｔｄ２の直後にユーザ局（１）の送出したキャリア（Ｓａｔ−ＮＡＫ）がセンタ局に届く。センタ局では、各タイミングで検出したＮＡＫキャリア（Ｓａｔ−ＮＡＫ）の有無に基づき、各パケット信号に関する送信の成否を識別する。図３１の例では、Ｓａｔ−ＮＡＫの検出結果が「○×○○」になっているので、２番目のパケット信号Ｄａｔａ（ｄ２）の配信に失敗していることが分かる。また、図３１の例ではユーザ局の受信状況が「○×」になっているので、ユーザ局（２）の受信状況が悪化していることが分かる。
【０３０５】
センタ局では、パケット信号の配信に失敗していると判定した場合には、このパケット信号を連続的に再送する。図３１の例では、Ｄａｔａ（ｄ２）を再送している。さらに、ユーザ局（２）はパケット受信状況が回復したときに受信状況回復に関する通知信号をセンタ局に対して送出している。
図３１の例では、センタ局がユーザ局（２）からの受信回復通知信号を受信した後で、ユーザ局の受信状況が「○○」に変化し、ユーザ局（１），ユーザ局（２）ともに受信状況が良好であることがわかる。
【０３０６】
この形態では、図３７に示すようにセンタ局の衛星センタ局１０は、キャリア検出部１１，衛星回線送信部１２，ＮＡＫキャリア判定部１３，ＮＡＫ送出制御信号発生部１４，データ解析部１５，ＲＭＴＰ信号送信部１６，ＲＭＴＰ信号受信部１７，ＤＢ管理部１８，衛星回線受信部２３，ユーザ局受信状況抽出部２４，アンテナ１９ａ，１９ｂで構成されている。
【０３０７】
データ解析部１５は、ＲＭＴＰ信号受信部１７を介してＲＭＴＰセンタ局２０からの信号を一定時間監視し続け、受信したパケット信号を衛星回線送信部１２に送信すると共に、送信したパケットの番号をＤＢ管理部１８に格納する。
また、図３１の例ではパケット送信完了後、データ解析部１５はＮＡＫ送出制御信号発生部１４に対して、一定時間間隔（ｔｄ）でそれぞれのパケット信号に対応するＮＡＫ送出制御信号（Ｃｏｎ−ＡＣＫ）の送出を指示する。
【０３０８】
一方、キャリア検出部１１でユーザ局からの不達の応答信号が送出されたと判定した場合、ＮＡＫ送出制御信号発生部１４より通知されたパケット信号番号を含むＮＡＫパケットをデータ解析部１５に通知する。データ解析部１５は、ＮＡＫキャリア判定部１３でＮＡＫパケットを受信した場合には、該当するパケット信号が不達であることをＤＢ管理部１８に記録する。
【０３０９】
データ解析部１５は、ＤＢ管理部１８のパケット到達結果を確認し、不達と判定されたパケット信号の番号を含むユーザ毎のＮＡＫパケット（ＮＡＫ（ｕ１）、ＮＡＫ（ｕ２））をそれぞれ生成し、ＲＭＴＰ信号送信部１６へ通知する。
また、ユーザ局から送出されるユーザ局の受信状況は、アンテナ１９ａを介して衛星回線受信部で受信され、ユーザ局受信状況抽出部で受信データ信号から抽出される。そして、ユーザ局とその受信状況をデータ解析部１５に通知する。データ解析部１５は、ユーザ局受信状況を受信した場合には、ＤＢ管理部１８に記録する。
【０３１０】
一方、図４３に示すように、各ユーザ局の衛星ユーザ局３０は衛星回線受信部３１，衛星回線送信部３２，ＮＡＫ送出制御信号抽出部３３，ＮＡＫキャリア発生部３４，データ解析部３５，ＲＭＴＰ信号送信部３６，ＲＭＴＰ信号受信部３７，ＮＡＫ対応表管理部３８，ユーザ局受信状況発生部４３，アンテナ３９ａ，３９ｂで構成されている。
【０３１１】
データ解析部３５は、ＲＭＴＰ信号受信部３７から受信した応答信号に含まれている情報を解析して、パケット番号毎にその到達結果を識別し、その情報をＮＡＫ対応表管理部３８に書き込む。ＮＡＫ対応表管理部３８は、不達になったパケット信号のパケット番号を管理する。さらに、パケットの到達結果より、自局の受信状況が良好か悪化しているかをデータ解析部３５へ通知する。
【０３１２】
一方、各パケット信号に対応したタイミングで一定の間隔（ｔｄ）でセンタ局から送出されるＮＡＫ送出制御信号（Ｃｏｎ−ＮＡＫ）は、アンテナ３９ａを介して衛星回線受信部３１で受信され、ＮＡＫ送出制御信号抽出部３３で受信データ信号から抽出される。また、ＮＡＫ送出制御信号抽出部３３は、抽出したＮＡＫ送出制御信号に対応付けられたパケット信号を認識し、そのパケット信号番号をデータ解析部３５に通知する。
【０３１３】
データ解析部３５は、ＮＡＫ送出制御信号抽出部３３から通知されたパケット番号をＮＡＫ対応表管理部３８が保持する不達のパケット番号と比較する。受信状況が良好であり、かつ不達のパケット番号と一致するパケット番号がＮＡＫ送出制御信号抽出部３３から通知された場合には、データ解析部３５はＮＡＫキャリア発生部３４に対してＮＡＫキャリアの送出を通知する。受信状況が悪化している場合には、不達のパケット番号と一致するパケット番号がＮＡＫ送出制御信号抽出部３３から通知された場合でもＮＡＫキャリア発生部３４に対してＮＡＫキャリア送出を通知しない。
【０３１４】
データ解析部３５からＮＡＫキャリアの送出通知を受けた場合には、ＮＡＫキャリア発生部３４は、不達の応答信号であるＮＡＫキャリア（Ｓａｔ−ＮＡＫ）を衛星回線送信部３２およびアンテナ３９ｂを介して衛星回線に送出する。すなわち、そのパケット信号が不達であったことをセンタ局に通知する。さらに、受信状況が悪化又は回復した場合にはデータ解析部３５は、ユーザ局受信状況発生部に対して受信状況の送出を通知する。
【０３１５】
（変形例１−１５，１−１６）
この変形例は、第１の実施の形態の変形例である。到達確認通信シーケンスは図３２又は図３３に示すように変更される。想定するシステム全体の構成は第１の実施の形態と同じであるが、センタ局の構成及びユーザ局の構成は図３７及び図４３のように変更されている。
【０３１６】
なお、図３７，図４３において、第１の実施の形態と対応する要素には同一の符号を付けて示してある。第１の実施の形態と共通の部分については、以下の説明を省略する。
この変形例は、請求項１５，請求項１６，請求項２３に対応する。
【０３１８】
第１の実施の形態では、センタ局では連続的に出力するパケット信号Ｍ個に対して、各々のパケット信号に対応するＭ個のバックワード回線を確保する。しかし、複数のユーザ局に共通に割り当てて応答時間の短縮を図る場合であっても、配信するパケット信号数が増大する場合にはバックワード回線による応答時間が大きくなる可能性がある。
【０３１９】
また、第１の実施の形態では、ユーザ局が使用するバックワード回線を全てのユーザ局に共通に割り当てている。しかし、降雨等の影響によりパケット信号の受信に失敗するユーザ局が多数発生した場合、多数のユーザ局が同時に不達の応答信号を送出することになり、不達の応答信号の集中によりセンタ局や無線回線中継装置に対する負荷が増大する。
【０３２０】
そこで、この形態では、前記変形例１−２と同様に、センタ局が送出するＭ個のパケット信号をＹ個のパケット信号グループに分割する。各々のパケット信号グループには連続するＸ個のパケット信号を割り当てる。そして、ユーザ局のそれぞれがセンタ局に応答するためのバックワード回線を、パケット信号グループの数Ｙだけ割り当てる。
【０３２１】
また、前記変形例１−１４と同様に、ユーザ局においてパケット信号受信状況が悪化した場合に、不達の応答信号を送信する動作を中断する。そして、再度受信状況が復活した場合には不達の応答信号の送信動作を再開する。さらに、パケット信号の受信状況が悪化した場合や受信状況が回復した場合には、それをセンタ局に通知する。これにより、受信状況が悪化した場合であっても、不達の応答信号が集中するのを回避することができ、センタ局や無線回線中継装置への負荷を分散し低減することができる。
【０３２２】
パケット信号のグループ化により、バックワード回線数が削減されるため応答時間の短縮が可能になる。また、不達の応答信号の送出を中断することで、多数のユーザ局に同時に受信状況の悪化が生じた場合であっても、多数の不達の応答信号が集中するのを防止することができ、センタ局や無線回線中継装置に対する負荷を分散し低減することができる。
【０３２３】
さらに、センタ局においてユーザ局が不達応答するためのバックワード回線をパケットの配信が完了する前に割り当てることでパケット信号配信開始から応答終了までの時間を短縮できる。
ユーザ局では、センタ局が送出したパケット信号の中で正しく受信できなかったパケット信号があった場合には、正しく受信できなかったパケット信号が属するパケット信号グループに対応付けられたバックワード回線を利用して不達の応答信号を送出する。
【０３２４】
また、連続してパケット信号の受信に失敗したなど、パケット信号の受信状況が悪化した場合には不達の応答信号の送出動作を中断する。不達の応答信号の送出動作を中断している間であっても、パケットの受信は継続して行う。そして、受信状況が復活した場合には、応答信号の送信を再開し、正しく受信できなかったパケット信号グループに対応付けられたバックワード回線を利用して、不達の応答信号を送出する。また、パケットの受信状況をセンタ局へ通知する。
【０３２５】
センタ局は、バックワード回線について応答信号を検出した場合にはそのバックワード回線に対応するパケット信号グループを正しく受信できなかったユーザ局の存在を認識し、該当するパケット信号グループを再送する。また、ユーザ局からのパケット受信状況通知信号を受信して、該当するユーザ局の受信状況を把握する。
【０３２６】
以下、図３２，図３３を参照して各局の動作を説明する。なお、図３２，図３３の例では、ユーザ局（１）が２番目のパケット信号Ｄａｔａ（ｄ２）の受信に失敗し、ユーザ局（２）が２番目のパケット信号Ｄａｔａ（ｄ２）から４番目のパケット信号Ｄａｔａ（ｄ４）までの受信に失敗した場合について示されている。図３２の例ではセンタ局からのパケット信号送出が終了した後でバックワード回線を割り当てており、図３３の例ではパケット信号の送出が完了する前にバックワード回線を割り当てている。
【０３２７】
図３２の例では、センタ局（ＳＡＴ）は配信データＤａｔａ（ｄ１）〜Ｄａｔａ（ｄ４）を２つのパケット信号グループに分割している。各々のパケット信号グループには、連続的に現れる２つのパケット信号が割り当てられる。データ配信については、第１の実施の形態と同様に全てのユーザ局に同時に配信される。
センタ局は、ＮＡＫ送出制御信号Ｃｏｎ−ＮＡＫをパケット信号グループ毎に生成し、一定間隔ｔｄで順次に送信する。図３２の例ではパケット信号Ｄａｔａ（ｄ１）及びＤａｔａ（ｄ２）に対するＮＡＫ送出制御信号をＴｄ（Ａ）のタイミングで出力し、パケット信号Ｄａｔａ（ｄ３）及びＤａｔａ（ｄ４）に対するＮＡＫ送出制御信号をＴｄ（Ｂ）のタイミングで出力する。
【０３２８】
各ユーザ局では、ＮＡＫ送出制御信号を受信すると、それがどのパケット信号グループに対応するものかを認識し、受信に失敗したパケット信号が属するパケット信号グループに対応するタイミングで、ＮＡＫキャリア（Ｓａｔ−ＮＡＫ）を送出する。
図３２の例では、ユーザ局（１）は１番目のパケット信号Ｄａｔａ（ｄ１）は正しく受信できたが、２番目のパケット信号Ｄａｔａ（ｄ２）の受信に失敗しているので、時間Ｔｄ（Ａ）で送出されるＮＡＫ送出制御信号Ｃｏｎ−ＮＡＫを受信したときにＮＡＫキャリア（Ｓａｔ−ＮＡＫ）を送出する。
【０３２９】
また、ユーザ局（２）はパケット信号Ｄａｔａ（ｄ２）〜Ｄａｔａ（ｄ４）の受信に失敗しているため、パケット受信状況が悪化していると判定し、ＮＡＫキャリアの送出を中断する。また、ユーザ局（２）は受信状況悪化通知信号をセンタ局に対して出力する。
図３２の例では、時間Ｔｄ（Ａ）の直後にユーザ局（１）の送出したキャリア（Ｓａｔ−ＮＡＫ）がセンタ局に届く。センタ局では、各タイミングで検出したＮＡＫキャリア（Ｓａｔ−ＮＡＫ）の有無から、各パケット信号グループに関する送信の成否を識別する。図３２の例では、Ｓａｔ−ＮＡＫのパケット信号グループ毎の検出結果が「×○」になっているので、Ｄａｔａ（ｄ１）及びＤａｔａ（ｄ２）のいずれかあるいは両パケット信号の配信に失敗していることが分かる。
【０３３０】
また、図３２の例ではユーザ局の受信状況が「○×」になっているので、ユーザ局（２）の受信状況が悪化していることが分かる。センタ局では、パケット信号グループに属するパケット信号のいずれかが配信に失敗していると判定した場合には、このパケット信号グループを連続的に再送する。図１−１５の例では、Ｄａｔａ（ｄ１）及びＤａｔａ（ｄ２）を再送している。
【０３３１】
さらに、ユーザ局（２）はパケット受信状況が回復したときに、受信状況回復通知信号をセンタ局に対して送出する。
図３２の例では、ユーザ局（２）からの受信回復通知信号を受信した後でユーザ局の受信状況が「○○」に変化し、ユーザ局（１），ユーザ局（２）ともに受信状況が良好であることがわかる。
【０３３２】
図３３の例では、パケット信号Ｄａｔａ（ｄ２）をフォワード回線で送出した直後にパケット信号Ｄａｔａ（ｄ１）及びパケット信号Ｄａｔａ（ｄ２）に対するＮＡＫ送出制御信号Ｃｏｎ−ＮＡＫを送信している。ＮＡＫ送出制御信号の送信間隔は、パケット信号送信間隔とは独立に一定の時間間隔に定めてあるので、パケット信号Ｄａｔａ（ｄ３）及びパケット信号Ｄａｔａ（ｄ４）に対するＮＡＫ送出制御信号Ｃｏｎ−ＮＡＫはパケット信号Ｄａｔａ（ｄ４）を送信した後に送出されている。
【０３３３】
図３３のシーケンスについても、ＮＡＫ送出制御信号の送出タイミングの他は図３２のシーケンスと同じ動作が実行される。
この形態では、図３７に示すようにセンタ局の衛星センタ局１０は、キャリア検出部１１，衛星回線送信部１２，ＮＡＫキャリア判定部１３，ＮＡＫ送出制御信号発生部１４，データ解析部１５，ＲＭＴＰ信号送信部１６，ＲＭＴＰ信号受信部１７，ＤＢ管理部１８，衛星回線受信部２３，ユーザ局受信状況抽出部２４，アンテナ１９ａ，１９ｂで構成されている。
【０３３４】
データ解析部１５は、ＲＭＴＰ信号受信部１７を介してＲＭＴＰセンタ局２０からの信号を一定時間監視し続け、受信したパケット信号を衛星回線送信部１２に送信すると共に、送信したパケットの番号をＤＢ管理部１８に格納する。また、図３２の例ではパケット信号を複数のパケット信号グループに分割し、パケット送信の完了した後で、データ解析部１５はＮＡＫ送出制御信号発生部１４に対して、一定時間間隔（ｔｄ）でそれぞれのパケット信号グループに対応するＮＡＫ送出制御信号（Ｃｏｎ−ＡＣＫ）の送出を指示する。
【０３３５】
図３３の例では、データ解析部１５はパケット信号を複数のパケット信号グループに分割し、パケット送信を開始した後に、一定時間間隔（ｔｄ）でそれぞれのパケット信号グループに対応するＮＡＫ送出制御信号（Ｃｏｎ−ＡＣＫ）の送出を指示する。
一方、キャリア検出部１１でユーザ局からの不達の応答信号が送出されたと判定した場合、ＮＡＫ送出制御信号発生部１４より通知されたパケット信号グループ番号を含むＮＡＫパケットをデータ解析部１５に通知する。
【０３３６】
データ解析部１５は、ＮＡＫキャリア判定部１３でＮＡＫパケットを受信した場合には、該当するパケット信号グループに属するパケット信号が全てが不達であることをＤＢ管理部１８に記録する。
データ解析部１５は、ＤＢ管理部１８のパケット到達結果を確認し、不達と判定されたパケット信号番号を全て含むユーザ毎のＮＡＫパケット（ＮＡＫ（ｕ１）、ＮＡＫ（ｕ２））をそれぞれ生成し、ＲＭＴＰ信号送信部１６へ通知する。また、ユーザ局から送出されるユーザ局受信状況は、アンテナ１９ａを介して衛星回線受信部で受信され、ユーザ局受信状況抽出部２４で受信データ信号から抽出される。そして、ユーザ局とその受信状況の情報がデータ解析部１５に通知される。データ解析部１５は、ユーザ局受信状況を受信した場合にはＤＢ管理部１８に記録する。
【０３３７】
一方、図４３に示すように、各ユーザ局の衛星ユーザ局３０は衛星回線受信部３１，衛星回線送信部３２，ＮＡＫ送出制御信号抽出部３３，ＮＡＫキャリア発生部３４，データ解析部３５，ＲＭＴＰ信号送信部３６，ＲＭＴＰ信号受信部３７，ＮＡＫ対応表管理部３８，ユーザ局受信状況発生部４３，アンテナ３９ａ，３９ｂで構成されている。
【０３３８】
データ解析部３５は、ＲＭＴＰ信号受信部３７から受信した応答信号に含まれているパケット信号毎の惰報を解析して、パケット番号毎にその到達結果を識別し、その情報をＮＡＫ対応表管理部３８に順次に書き込む。ＮＡＫ対応表管理部３８は、不達になったパケット信号のパケット番号を管理する。さらに、パケットの到達結果より、自局の受信状況が良好か悪化しているかをデータ解析部３５へ通知する。
【０３３９】
一方、各パケット信号グループに対応したタイミングで一定の間隔（ｔｄ）でセンタ局から送出されるＮＡＫ送出制御信号（Ｃｏｎ−ＮＡＫ）は、アンテナ３９ａを介して衛星回線受信部３１で受信され、ＮＡＫ送出制御信号抽出部３３で受信データ信号から抽出される。
また、ＮＡＫ送出制御信号抽出部３３は、抽出したＮＡＫ送出制御信号に対応付けられたパケット信号グループを認識し、そのパケット信号グループに含まれるパケット番号をデータ解析部３５に通知する。
【０３４０】
データ解析部３５は、ＮＡＫ送出制御信号抽出部３３から通知された複数のパケット番号をＮＡＫ対応表管理部３８が保持する不達のパケット番号と比較する。受信状況が良好であり、かつ不達のパケット番号と一致するパケット番号が１つでもＮＡＫ送出制御信号抽出部３３から通知された場合には、データ解析部３５はＮＡＫキャリア発生部３４に対してＮＡＫキャリアの送出を通知する。
【０３４１】
受信状況が悪化している場合には、不達のパケット番号と一致するパケット番号がＮＡＫ送出制御信号抽出部３３から通知された場合でもＮＡＫキャリア発生部３４に対してＮＡＫキャリア送出を通知しない。
データ解析部３５からＮＡＫキャリアの送出通知を受けた場合には、ＮＡＫキャリア発生部３４は、不達の応答信号であるＮＡＫキャリア（Ｓａｔ−ＮＡＫ）を衛星回線送信部３２及びアンテナ３９ｂを介して衛星回線に送出する。すなわち、そのパケット信号グループに含まれるパケット信号の少なくとも１つが不達であったことをセンタ局に通知する。さらに、受信状況が悪化又は回復した場合にはデータ解析部３５は、ユーザ局受信状況発生部に対して受信状況の情報を通知する。
【０３４２】
（変形例２−１）
この変形例では、第２の実施の形態と前記変形例１−１〜１−１６のいずれかとを組み合わせることを想定している。この変形例では、到達確認通信シーケンスは図３４に示すように変更される。想定するシステム全体の構成は第２の実施の形態と同じである。
【０３４３】
また、センタ局の構成は必要に応じて図３８〜図４０のいずれかに変更され、ユーザ局の構成は図４４〜図４６のいずれかに変更される。なお、図３８〜図４０及び図４４〜図４６において、第１の実施の形態及び第２の実施の形態と対応する要素には同一の符号を付けて示してある。
この変形例は、請求項１１〜１６，請求項１８〜２３に対応する。
【０３４４】
この形態では、請求項１８〜２３の専用応答回線割り当て手段，到達確認問い合わせ手段及び到達確認識別手段は、それぞれ衛星回線受信部５１，問い合わせ信号発生部５２及びデータ解析部１５に対応する。
この形態の動作については、既に説明した複数の動作を組み合わせただけであり、基本的に変わる部分はないので説明は省略する。
【０３４５】
図３８，図３９及び図４０のセンタ局には、それぞれユーザグループ割当信号発生部２５，サンプル局割当信号発生部２６及びユーザ局受信状況抽出部２７が付加されている。また、図４４，図４５及び図４６のユーザ局には、それぞれユーザグループ割当信号抽出部４４，サンプル局割当信号抽出部４５及びユーザ局受信状況発生部４６が付加されている。
【０３４６】
（変形例３−１）
この変形例では、第３の実施の形態と前記変形例１−１〜１−１６のいずれかとを組み合わせることを想定している。この変形例で想定するシステム全体の構成は第３の実施の形態と同じである。
また、センタ局の構成は必要に応じて図４７〜図４９のいずれかに変更され、ユーザ局の構成は図５０〜図５２のいずれかに変更される。なお、図４７〜図４９及び図５０〜図５２において、第１の実施の形態及び第３の実施の形態と対応する要素には同一の符号を付けて示してある。
【０３４７】
この変形例は、請求項１７，請求項２４に対応する。
この形態では、請求項２４のユーザ局特定手段，専用応答回線割り当て手段，到達確認問い合わせ手段及び到達確認識別手段は、それぞれデータ解析部１５，衛星回線受信部５１，問い合わせ信号発生部５２及びデータ解析部１５に対応する。また、請求項４３のリンク確立応答手段はリンク確立応答信号発生部６２に対応する。
【０３４８】
この形態の動作については、既に説明した複数の動作を組み合わせただけであり、基本的に変わる部分はないので説明は省略する。
図４７，図４８及び図４９のセンタ局には、それぞれユーザグループ割当信号発生部７１，サンプル局割当信号発生部７２及びユーザ局受信状況抽出部７３が付加されている。また、図５０，図５１及び図５２のユーザ局には、それぞれユーザグループ割当信号抽出部８１，サンプル局割当信号抽出部８２及びユーザ局受信状況発生部８３が付加されている。
【０３４９】
【発明の効果】
本発明によれば、パケット不達の応答信号をユーザ局が送出するためのバックワード回線を複数のユーザ局に共通に割り当てるので、応答信号のために利用する回線の周波数帯域やタイムスロット数の低減が可能になる。
このため、ユーザ局数が増えた場合でも、回線の周波数帯域やタイムスロット数を増やす必要がなく、少ない周波数帯域だけを利用して多数のユーザ局に効率的にパケットを配信できる。
【０３５０】
また、センタ局において不達の応答信号を検出しない場合に最終確認の問い合わせを行うことにより、通信回線上で信号の劣化が生じる場合のパケット配信の信頼性を高められる。
更に、パケットの送信開始前にリンク確立シーケンスを実施して通信可能なユーザ局を限定することにより、無駄な通信処理を省略し、パケット配信を効率的に行うことができる。
【図面の簡単な説明】
【図１】第１の実施の形態の到達確認通信シーケンスを示すシーケンス図である。
【図２】第２の実施の形態の到達確認通信シーケンス（１）を示すシーケンス図である。
【図３】第２の実施の形態の到達確認通信シーケンス（２）を示すシーケンス図である。
【図４】第３の実施の形態のリンク確立シーケンスを示すシーケンス図である。
【図５】第１の実施の形態の信号の送信例を示す模式図である。
【図６】第１の実施の形態のセンタ局の構成を示すブロック図である。
【図７】第１の実施の形態のユーザ局の構成を示すブロック図である。
【図８】第２の実施の形態のセンタ局の構成を示すブロック図である。
【図９】第２の実施の形態のユーザ局の構成を示すブロック図である。
【図１０】第３の実施の形態のセンタ局の構成を示すブロック図である。
【図１１】第３の実施の形態のユーザ局の構成を示すブロック図である。
【図１２】第１の実施の形態の各局の動作を示すフローチャートである。
【図１３】第２の実施の形態の各局の動作（１）を示すフローチャートである。
【図１４】第２の実施の形態の各局の動作（２）を示すフローチャートである。
【図１５】通信システムのネットワークの構成例を示すブロック図である。
【図１６】ＦＤＭＡで回線を確保する場合の周波数割り当ての例を示す模式図である。
【図１７】ＴＤＭＡで回線を確保する場合のタイムスロットの割り当ての例を示す模式図である。
【図１８】変形例（１−１）の到達確認通信シーケンスを示すシーケンス図である。
【図１９】変形例（１−２）の到達確認通信シーケンスを示すシーケンス図である。
【図２０】変形例（１−３）の到達確認通信シーケンスを示すシーケンス図である。
【図２１】変形例（１−４）の到達確認通信シーケンスを示すシーケンス図である。
【図２２】変形例（１−５）の到達確認通信シーケンスを示すシーケンス図である。
【図２３】変形例（１−６）の到達確認通信シーケンスを示すシーケンス図である。
【図２４】変形例（１−７）の到達確認通信シーケンスを示すシーケンス図である。
【図２５】変形例（１−８）の到達確認通信シーケンスを示すシーケンス図である。
【図２６】変形例（１−９）の到達確認通信シーケンスを示すシーケンス図である。
【図２７】変形例（１−１０）の到達確認通信シーケンスを示すシーケンス図である。
【図２８】変形例（１−１１）の到達確認通信シーケンスを示すシーケンス図である。
【図２９】変形例（１−１２）の到達確認通信シーケンスを示すシーケンス図である。
【図３０】変形例（１−１３）の到達確認通信シーケンスを示すシーケンス図である。
【図３１】変形例（１−１４）の到達確認通信シーケンスを示すシーケンス図である。
【図３２】変形例（１−１５）の到達確認通信シーケンスを示すシーケンス図である。
【図３３】変形例（１−１６）の到達確認通信シーケンスを示すシーケンス図である。
【図３４】変形例（２−１）の到達確認通信シーケンスを示すシーケンス図である。
【図３５】センタ局の変形例（１）の構成を示すブロック図である。
【図３６】センタ局の変形例（２）の構成を示すブロック図である。
【図３７】センタ局の変形例（３）の構成を示すブロック図である。
【図３８】センタ局の変形例（４）の構成を示すブロック図である。
【図３９】センタ局の変形例（５）の構成を示すブロック図である。
【図４０】センタ局の変形例（６）の構成を示すブロック図である。
【図４１】ユーザ局の変形例（１）の構成を示すブロック図である。
【図４２】ユーザ局の変形例（２）の構成を示すブロック図である。
【図４３】ユーザ局の変形例（３）の構成を示すブロック図である。
【図４４】ユーザ局の変形例（４）の構成を示すブロック図である。
【図４５】ユーザ局の変形例（５）の構成を示すブロック図である。
【図４６】ユーザ局の変形例（６）の構成を示すブロック図である。
【図４７】センタ局の変形例（７）の構成を示すブロック図である。
【図４８】センタ局の変形例（８）の構成を示すブロック図である。
【図４９】センタ局の変形例（９）の構成を示すブロック図である。
【図５０】ユーザ局の変形例（７）の構成を示すブロック図である。
【図５１】ユーザ局の変形例（８）の構成を示すブロック図である。
【図５２】ユーザ局の変形例（９）の構成を示すブロック図である。
【符号の説明】
１０  衛星センタ局
１１  キャリア検出部
１２  衛星回線送信部
１３  ＮＡＫキャリア判定部
１４  ＮＡＫ送出制御信号発生部
１５  データ解析部
１６  ＲＭＴＰ信号送信部
１７  ＲＭＴＰ信号受信部
１８  ＤＢ管理部
１９ａ，１９ｂ  アンテナ
２０  ＲＭＴＰセンタ局
２１  ユーザグループ割当信号発生部
２２  サンプル局割当信号発生部
２３  衛星回線受信部
２４  ユーザ局受信状況抽出部
２５  ユーザグループ割当信号発生部
２６  サンプル局割当信号発生部
２７  ユーザ局受信状況抽出部
３０  衛星ユーザ局
３１  衛星回線受信部
３２  衛星回線送信部
３３  ＮＡＫ送出制御信号抽出部
３４  ＮＡＫキャリア発生部
３５  データ解析部
３６  ＲＭＴＰ信号送信部
３７  ＲＭＴＰ信号受信部
３８  ＮＡＫ対応表管理部
３９ａ，３９ｂ  アンテナ
４０  ＲＭＴＰユーザ局
４１  ユーザグループ割当信号抽出部
４２  サンプル局割当信号抽出部
４３  ユーザ局受信状況発生部
４４  ユーザグループ割当信号抽出部
４５  サンプル局割当信号抽出部
４６  ユーザ局受信状況発生部
５１  衛星回線受信部
５２  問い合わせ信号発生部
５３  問い合わせ信号抽出部
５４  ＡＣＫ応答信号発生部
６１  リンク確立信号発生部
６２  リンク確立応答信号発生部
６３  リンク確立信号抽出部
６４  リンク確立信号発生部
７１  ユーザグループ割当信号発生部
７２  サンプル局割当信号発生部
７３  ユーザ局受信状況抽出部
８１  ユーザグループ割当信号抽出部
８２  サンプル局割当信号抽出部
８３  ユーザ局受信状況発生部
【図１】
0003605029.tif 000002
【図２】
0003605029.tif 000003
【図３】
0003605029.tif 000004
【図４】
0003605029.tif 000005
【図５】
0003605029.tif 000006
【図６】
0003605029.tif 000007
【図７】
0003605029.tif 000008
【図８】
0003605029.tif 000009
【図９】
0003605029.tif 000010
【図１０】
0003605029.tif 000011
【図１１】
0003605029.tif 000012
【図１２】
0003605029.tif 000013
【図１３】
0003605029.tif 000014
【図１４】
0003605029.tif 000015
【図１５】
0003605029.tif 000016
【図１６】
0003605029.tif 000017
【図１７】
0003605029.tif 000018
【図１８】
0003605029.tif 000019
【図１９】
0003605029.tif 000020
【図２０】
0003605029.tif 000021
【図２１】
0003605029.tif 000022
【図２２】
0003605029.tif 000023
【図２３】
0003605029.tif 000024
【図２４】
0003605029.tif 000025
【図２５】
0003605029.tif 000026
【図２６】
0003605029.tif 000027
【図２７】
0003605029.tif 000028
【図２８】
0003605029.tif 000029
【図２９】
0003605029.tif 000030
【図３０】
0003605029.tif 000031
【図３１】
0003605029.tif 000032
【図３２】
0003605029.tif 000033
【図３３】
0003605029.tif 000034
【図３４】
0003605029.tif 000035
【図３５】
0003605029.tif 000036
【図３６】
0003605029.tif 000037
【図３７】
0003605029.tif 000038
【図３８】
0003605029.tif 000039
【図３９】
0003605029.tif 000040
【図４０】
0003605029.tif 000041
【図４１】
0003605029.tif 000042
【図４２】
0003605029.tif 000043
【図４３】
0003605029.tif 000044
【図４４】
0003605029.tif 000045
【図４５】
0003605029.tif 000046
【図４６】
0003605029.tif 000047
【図４７】
0003605029.tif 000048
【図４８】
0003605029.tif 000049
【図４９】
0003605029.tif 000050
【図５０】
0003605029.tif 000051
【図５１】
0003605029.tif 000052
【図５２】
0003605029.tif 000053